(57)【要約】  初期化期間の前半期間で、複数の走査電極（ＳＣ）に第１の電位（Ｖｉ１）から第２の電位（Ｖｉ２）に上昇する第１のランプ波形が印加され、前記前半期間内において、前記前半期間よりも短い期間で複数の維持電極（ＳＵ）に第５の電位（接地電位）から第６の電位（Ｖｉ５、Ｖｉ５’）に上昇する第３のランプ波形が印加される。前記前半期間に続く後半期間で、前記複数の走査電極（ＳＣ）に第３の電位（Ｖｉ３）から第４の電位（Ｖｉ４）に下降する第２のランプ波形が印加され、前記後半期間内において、前記後半期間よりも短い期間で前記複数の維持電極（ＳＵ）に第７の電位（Ｖｅ）から第８の電位（Ｖｉ６、Ｖｉ６’）に下降する第４のランプ波形が印加される。そして、プラズマディスプレイパネルの状態に基づいて前記第３のランプ波形の波高値及び前記第４のランプ波形の波高値が変更される。
2008066084.tif 000002
【特許請求の範囲】
【請求項１】
複数の走査電極および維持電極と複数のデータ電極との交差部に複数の放電セルを有するプラズマディスプレイパネルと、
前記プラズマディスプレイパネルを１フィールド期間が複数のサブフィールドを含むサブフィールド法で駆動する駆動装置とを備え、
前記駆動装置は、
前記複数の走査電極を駆動する走査電極駆動回路と、
前記複数の維持電極を駆動する維持電極駆動回路とを備え、
前記走査電極駆動回路は、前記複数のサブフィールドのうち少なくとも１つのサブフィールドの初期化期間内における第１の期間で前記複数の走査電極に第１の電位から第２の電位に上昇する第１のランプ波形を印加し、前記第１の期間に続く第２の期間で前記複数の走査電極に第３の電位から第４の電位に下降する第２のランプ波形を印加し、
前記維持電極駆動回路は、前記第１の期間内における前記第１の期間よりも短い第３の期間で前記複数の維持電極に第５の電位から第６の電位に上昇する第３のランプ波形を印加し、前記第２の期間内における前記第２の期間よりも短い第４の期間で前記複数の維持電極に第７の電位から第８の電位に下降する第４のランプ波形を印加し、前記プラズマディスプレイパネルの状態に基づいて前記第３のランプ波形の波高値および前記第４のランプ波形の波高値を変更する、プラズマディスプレイ装置。
【請求項２】
前記プラズマディスプレイパネルの状態として前記プラズマディスプレイパネルの点灯率を検出する検出部をさらに備え、
前記維持電極駆動回路は、前記検出部により検出される点灯率に基づいて前記第３のランプ波形の波高値および前記第４のランプ波形の波高値を変更する、請求項１記載のプラズマディスプレイ装置。
【請求項３】
前記プラズマディスプレイパネルの状態として前記プラズマディスプレイパネルに表示される画像の平均輝度レベルを検出する検出部をさらに備え、
前記維持電極駆動回路は、前記検出部により検出される平均輝度レベルに基づいて前記第３のランプ波形の波高値および前記第４のランプ波形の波高値を変更する、請求項１記載のプラズマディスプレイ装置。
【請求項４】
前記維持電極駆動回路は、前記検出部により検出される平均輝度レベルが低いほど前記第３のランプ波形の波高値および前記第４のランプ波形の波高値を高くする、請求項３記載のプラズマディスプレイ装置。
【請求項５】
前記プラズマディスプレイパネルの状態として前記プラズマディスプレイパネルの累積点灯時間を検出する検出部をさらに備え、
前記維持電極駆動回路は、前記検出部により検出される累積点灯時間に基づいて前記第３のランプ波形の波高値および前記第４のランプ波形の波高値を変更する、請求項１記載のプラズマディスプレイ装置。
【請求項６】
前記プラズマディスプレイパネルの状態として前記プラズマディスプレイパネルの温度を検出する検出部をさらに備え、
前記維持電極駆動回路は、前記検出部により検出される温度に基づいて前記第３のランプ波形の波高値および前記第４のランプ波形の波高値を変更する、請求項１記載のプラズマディスプレイ装置。
【請求項７】
前記維持電極駆動回路は、前記第３の期間および前記第４の期間で前記複数の維持電極をフローティング状態にする、請求項１記載のプラズマディスプレイ装置。
【請求項８】
複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、
前記複数のサブフィールドのうち少なくとも１つのサブフィールドの初期化期間内における第１の期間で前記複数の走査電極に第１の電位から第２の電位に上昇する第１のランプ波形を印加するステップと、
前記第１の期間に続く第２の期間で前記複数の走査電極に第３の電位から第４の電位に下降する第２のランプ波形を印加するステップと、
前記第１の期間内における前記第１の期間よりも短い第３の期間で前記複数の維持電極に第５の電位から第６の電位に上昇する第３のランプ波形を印加するステップと、
前記第２の期間内における前記第２の期間よりも短い第４の期間で前記複数の維持電極に第７の電位から第８の電位に下降する第４のランプ波形を印加するステップと、
前記プラズマディスプレイパネルの状態に基づいて前記第３のランプ波形の波高値および前記第４のランプ波形の波高値を変更するステップとを備えた、プラズマディスプレイパネルの駆動方法。
【請求項９】
複数の走査電極および維持電極と複数のデータ電極との交差部に複数の放電セルを有するプラズマディスプレイパネルと、
前記プラズマディスプレイパネルを１フィールド期間が複数のサブフィールドを含むサブフィールド法で駆動する駆動装置とを備え、
前記駆動装置は、
前記複数の走査電極を駆動する走査電極駆動回路と、
前記複数の維持電極を駆動する維持電極駆動回路とを備え、
前記走査電極駆動回路は、前記複数のサブフィールドのうち少なくとも１つのサブフィールドの初期化期間内における前半期間で前記複数の走査電極に上昇する第１のランプ波形を印加し、前記前半期間に続く後半期間で前記複数の走査電極に下降する第２のランプ波形を印加し、
前記維持電極駆動回路は、前記前半期間で前記複数の維持電極に上昇する第３のランプ波形を印加し、前記後半期間で前記複数の維持電極に下降する第４のランプ波形を印加し、前記プラズマディスプレイパネルの状態に基づいて前記第３のランプ波形の波高値および前記第４のランプ波形の波高値を変更する、プラズマディスプレイ装置。
【請求項１０】
複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、
前記複数のサブフィールドのうち少なくとも１つのサブフィールドの初期化期間内における前半期間で前記複数の走査電極に上昇する第１のランプ波形を印加するステップと、
前記前半期間に続く後半期間で前記複数の走査電極に下降する第２のランプ波形を印加するステップと、
前記前半期間内において前記複数の維持電極に上昇する第３のランプ波形を印加するステップと、
前記後半期間内において前記複数の維持電極に下降する第４のランプ波形を印加するステップと、
前記プラズマディスプレイパネルの状態に基づいて前記第３のランプ波形の波高値および前記第４のランプ波形の波高値を変更するステップとを備えた、プラズマディスプレイパネルの駆動方法。
【発明の詳細な説明】
【技術分野】
【０００１】
本発明は、プラズマティスプレイ装置およびその駆動方法に関する。
【背景技術】
【０００２】
プラズマディスプレイパネル（以下、パネルと略記する）として代表的な交流面放電型パネルにおいては、対向配置された前面板と背面板との間に多数の放電セルが形成されている。【０００３】
前面板は、前面ガラス基板、一対の走査電極と維持電極とからなる表示電極、誘電体層および保護層を含む。複数の表示電極が、互いに平行となるように前面ガラス基板上に形成されている。それらの表示電極を覆うように、誘電体層および保護層が前面ガラス基板上に形成されている。【０００４】
背面板は、背面ガラス基板、データ電極、誘電体層、隔壁および蛍光体層を含む。複数のデータ電極が、互いに平行となるように背面ガラス基板上に形成されている。それらのデータ電極を覆うように、誘電体層が背面ガラス基板上に形成されている。さらに、誘電体層上には、複数のデータ電極と平行となるように複数の隔壁が形成されている。誘電体層の表面および隔壁の側面には、蛍光体層が形成されている。【０００５】
そして、複数の表示電極と複数のデータ電極とが立体交差するように、前面板と背面板とが対向配置される。前面板と背面板との間に放電空間が形成される。放電空間には放電ガスが封入されている。ここで、表示電極とデータ電極とが対向する部分に放電セルが形成される。このような構成のパネルにおいては、各放電セル内でガス放電により紫外線が発生する。この紫外線によりＲ（赤）、Ｇ（緑）およびＢ（青）各色の蛍光体が励起発光することによりカラー表示が行われる。【０００６】
パネルを駆動する方法としてはサブフィールド法が用いられている。また、サブフィールド法の中でも、階調表示に関係しない発光を極力減らすことによりコントラスト比を向上させる新規な駆動方法が特開２０００−２４２２２４号公報（以下、特許文献１と記す）に開示されている。【０００７】
以下の説明において、１フィールド期間は初期化期間、書込み期間および維持期間を有するＮ個のサブフィールドに分割される。分割されたＮ個のサブフィールドを、それぞれ第１ＳＦ、第２ＳＦ、・・・、および第ＮＳＦと略記する。特許文献１の駆動方法によれば、これらＮ個のサブフィールドのうち第１ＳＦを除くサブフィールドにおいては、前のサブフィールドの維持期間中に点灯した放電セルでのみ初期化動作が行われる。【０００８】
具体的には、第１ＳＦの初期化期間の前半部（第１の期間）では、走査電極に緩やかに上昇するランプ波形を印加することにより微弱放電を発生させ、書込み動作に必要な壁電荷を各電極上に形成する。このとき、後で壁電荷の最適化を図ることを見越して過剰に壁電荷を形成しておく。続いて、初期化期間の後半部（第２の期間）では、走査電極に緩やかに下降するランプ波形を印加することにより再び微弱放電を発生させる。これにより、各電極上に過剰に蓄えられた壁電荷を弱めることにより、各放電セルにおける壁電荷量が適切な量に調整される。【０００９】
第１ＳＦの書込み期間では、発光させるべき放電セルにおいて書込み放電を発生させる。そして、第１ＳＦの維持期間では、走査電極および維持電極に維持パルスを印加することにより、書込み放電を起こした放電セルにおいて維持放電を発生させ、対応する放電セルの蛍光体層を発光させることにより画像表示が行われる。【００１０】
続く第２ＳＦの初期化期間では、第１ＳＦの初期化期間の後半部と同様の駆動波形、すなわち走査電極に緩やかに下降するランプ波形を印加する。これにより、書込み動作に必要な壁電荷形成が維持放電と同時に行われる。それにより、第２ＳＦの初期化期間に、第１ＳＦの初期化期間と同様の前半部を独立に設ける必要がなくなる。【００１１】
上記のように、走査電極に緩やかに下降するランプ波形が印加されることにより、第１ＳＦにおいて維持放電を行った放電セルで微弱放電が発生する。これにより、各電極上に過剰に蓄えられた壁電荷が弱められ、各々の放電セルに対して適切な壁電荷に調整される。また、維持放電が発生しなかった放電セルでは、第１ＳＦの初期化期間終了時における壁電荷が保たれているので、微弱放電が発生しない。【００１２】
このように、第１ＳＦの初期化動作は全ての放電セルを放電させる全セル初期化動作であり、第２ＳＦ以降の初期化動作は維持放電を行った放電セルのみ初期化する選択初期化動作である。したがって、全ての放電セルのうちの画像表示に関係しない放電セル（発光しない放電セル）では、第１ＳＦの初期化期間でのみ微弱放電が発生し、他のＳＦの初期化期間で微弱放電が発生しない。その結果、コントラストの高い画像表示が可能となる。【００１３】
また、上記の全セル初期化動作を行う際の初期化放電を安定化させる方法として、第１の期間にデータ電極にデータパルスを印加する駆動方法が特開２００５−３２１６８０号公報（以下、特許文献２と記す）に開示されている。特許文献２の駆動方法によれば、全セル初期化期間の第１の期間において、データ電極に正のデータ電圧を印加し、走査電極とデータ電極間よりも先に走査電極と維持電極と間の放電を発生させることにより初期化放電を安定化し、良好な品質で画像表示を行うことが可能となる。【００１４】
さらに、この全セル初期化動作において、不必要な放電を抑制し、コントラストを高める方法が特開２００４−１６３８８４号公報（以下、特許文献３と記す）に開示されている。【００１５】
特許文献３の駆動方法によれば、第１の期間において、走査電極に緩やかに上昇するランプ波形が印加される一部の期間で、維持電極が接地端子およびノードから切り離される（ハイインピーダンス状態）。この場合、走査電極へのランプ波形の印加とともに、維持電極にもランプ波形が印加される。これにより、走査電極と維持電極との間の電位差が小さくなり、不必要な放電が抑制され、コントラストが高められる。
【特許文献１】特開２０００−２４２２２４号公報
【特許文献２】特開２００５−３２１６８０号公報
【特許文献３】特開２００４−１６３８８４号公報
【発明の開示】
【発明が解決しようとする課題】
【００１６】
近年、パネルの高精細度化、大画面化に伴い放電セル数が増加している。そのため、上述の初期化動作時に電荷調整が最適に行われない場合には、画像表示の不具合が発生する。【００１７】
上述のように、特許文献２の駆動方法においては、全セル初期化動作時に、走査電極と維持電極との間、または走査電極とデータ電極との間で電荷調整が行われる。走査電極の電荷調整は、走査電極に印加されるランプ波形によって同時に行われる。【００１８】
このとき、初期化放電の第１の期間でデータ電極にデータパルスが印加される。この場合、走査電極とデータ電極との間の電位差が小さくなる。それにより、走査電極とデータ電極との間の放電よりも走査電極と維持電極間の放電が先に発生する。これにより、初期化放電が安定化される。【００１９】
そのため、第１の期間における走査電極の上りランプ波形の波高値は、データ電極に印加されたデータパルスの電圧との間の電位差が走査電極とデータ電極との間の壁電荷を十分に蓄積することが可能な値に設定される必要がある。【００２０】
一方、第１の期間でデータ電極にデータパルスが印加されている際には、維持電極が０Ｖに接地されている。そのため、第１の期間における走査電極の上りランプの波高値を大きくすると、走査電極と維持電極との間の電位差が大きくなり、強い放電が発生する。その結果、コントラストが低下する。【００２１】
これに対し、特許文献３の駆動方法のように、第１の期間における走査電極へのランプ波形の印加中に、維持電極をハイインピーダンス状態にして維持電極にランプ波形を印加する場合、走査電極と維持電極との間の電位差が著しく大きくなることが抑制される。その結果、強い放電の発生が抑制され、コントラストが向上する。【００２２】
しかしながら、この場合、維持電極に蓄積される壁電荷が減少するので、初期化期間の次の書込み期間での書込み放電が不安定になる。その結果、画像表示の不具合が発生する。【００２３】
本発明の目的は、画像のコントラストが十分に向上されるとともに、画像表示の不具合が十分に防止されたプラズマディスプレイ装置およびその駆動方法を提供することである。
【課題を解決するための手段】
【００２４】
（１）本発明の一局面に従うプラズマディスプレイ装置は、複数の走査電極および維持電極と複数のデータ電極との交差部に複数の放電セルを有するプラズマディスプレイパネルと、プラズマディスプレイパネルを１フィールド期間が複数のサブフィールドを含むサブフィールド法で駆動する駆動装置とを備え、駆動装置は、複数の走査電極を駆動する走査電極駆動回路と、複数の維持電極を駆動する維持電極駆動回路とを備え、走査電極駆動回路は、複数のサブフィールドのうち少なくとも１つのサブフィールドの初期化期間内における第１の期間で複数の走査電極に第１の電位から第２の電位に上昇する第１のランプ波形を印加し、第１の期間に続く第２の期間で複数の走査電極に第３の電位から第４の電位に下降する第２のランプ波形を印加し、維持電極駆動回路は、第１の期間内における第１の期間よりも短い第３の期間で複数の維持電極に第５の電位から第６の電位に上昇する第３のランプ波形を印加し、第２の期間内における第２の期間よりも短い第４の期間で複数の維持電極に第７の電位から第８の電位に下降する第４のランプ波形を印加し、プラズマディスプレイパネルの状態に基づいて第３のランプ波形の波高値および第４のランプ波形の波高値を変更するものである。【００２５】
このプラズマディスプレイ装置においては、複数のサブフィールドのうち少なくとも１つのサブフィールドの初期化期間内における第１の期間で、走査電極駆動回路により複数の走査電極に第１の電位から第２の電位に上昇する第１のランプ波形が印加される。そして、第１の期間内における第１の期間よりも短い第３の期間で、維持電極駆動回路により複数の維持電極に第５の電位から第６の電位に上昇する第３のランプ波形が印加される。【００２６】
これにより、第３の期間では、複数の走査電極と複数の維持電極との間の電位差が大きくなることが抑制される。そのため、複数の走査電極と複数の維持電極との間で初期化放電が発生しない。したがって、第１の期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。【００２７】
また、第１の期間に続く第２の期間で初期化放電のために複数の走査電極に第３の電位から第４の電位に下降する第２のランプ波形が印加される。そして、第２の期間内における第２の期間よりも短い第４の期間で、維持電極駆動回路により複数の維持電極に第７の電位から第８の電位に下降する第４のランプ波形が印加される。【００２８】
これにより、第４の期間では、複数の走査電極と複数の維持電極との間の電位差が大きくなることが抑制される。そのため、複数の走査電極と複数の維持電極との間で初期化放電が発生しない。したがって、第２の期間における初期化放電の発生期間が短縮されるので、第１の期間で複数の走査電極および複数の維持電極に蓄積された壁電荷の減少量が少なくなる。【００２９】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。【００３０】
それにより、複数の走査電極上および複数の維持電極上の壁電荷を十分に書込み放電に適した値に調整することができる。【００３１】
したがって、コントラストを向上させつつ、書込み動作を安定化することができる。また、安定した書込み動作により維持期間での誤放電を抑えることができる。その結果、コントラストが高く表示品質の良好な画像を表示することができる。【００３２】
（２）プラズマディスプレイ装置は、プラズマディスプレイパネルの状態としてプラズマディスプレイパネルの点灯率を検出する検出部をさらに備え、維持電極駆動回路は、検出部により検出される点灯率に基づいて第３のランプ波形の波高値および第４のランプ波形の波高値を変更してもよい。【００３３】
この場合、プラズマディスプレイパネルの点灯率に基づいて第３のランプ波形の波高値および第４のランプ波形の波高値を変更することにより、点灯率に応じて走査電極と維持電極との間での壁電荷の制御および走査電極とデータ電極との間での壁電荷の制御をそれぞれ独立に行うことができる。【００３４】
それにより、複数の走査電極上および複数の維持電極上の壁電荷を十分に書込み放電に適した値に調整することができる。【００３５】
したがって、コントラストを向上させつつ、書込み動作を安定化することができる。また、安定した書込み動作により維持期間での誤放電を抑えることができる。その結果、コントラストが高く表示品質の良好な画像を表示することができる。【００３６】
（３）プラズマディスプレイ装置は、プラズマディスプレイパネルの状態としてプラズマディスプレイパネルに表示される画像の平均輝度レベルを検出する検出部をさらに備え、維持電極駆動回路は、検出部により検出される平均輝度レベルに基づいて第３のランプ波形の波高値および第４のランプ波形の波高値を変更してもよい。【００３７】
この場合、プラズマディスプレイパネルに表示される画像の平均輝度レベルに基づいて第３のランプ波形の波高値および第４のランプ波形の波高値を変更することにより、平均輝度レベルに応じて走査電極と維持電極との間での壁電荷の制御および走査電極とデータ電極との間での壁電荷の制御をそれぞれ独立に行うことができる。【００３８】
それにより、複数の走査電極上および複数の維持電極上の壁電荷を十分に書込み放電に適した値に調整することができる。【００３９】
したがって、コントラストを向上させつつ、書込み動作を安定化することができる。また、安定した書込み動作により維持期間での誤放電を抑えることができる。その結果、コントラストが高く表示品質の良好な画像を表示することができる。【００４０】
（４）維持電極駆動回路は、検出部により検出される平均輝度レベルが低いほど第３のランプ波形の波高値および第４のランプ波形の波高値を高くしてもよい。【００４１】
この場合、平均輝度レベルが低い場合に、初期化期間の発光輝度が十分に低減される。したがって、低輝度の映像においてもコントラストが十分に向上される。【００４２】
（５）プラズマディスプレイ装置は、プラズマディスプレイパネルの状態としてプラズマディスプレイパネルの累積点灯時間を検出する検出部をさらに備え、維持電極駆動回路は、検出部により検出される累積点灯時間に基づいて第３のランプ波形の波高値および第４のランプ波形の波高値を変更してもよい。【００４３】
この場合、プラズマディスプレイパネルの累積点灯時間に基づいて第３のランプ波形の波高値および第４のランプ波形の波高値を変更することにより、累積点灯時間に応じて走査電極と維持電極との間での壁電荷の制御および走査電極とデータ電極との間での壁電荷の制御をそれぞれ独立に行うことができる。【００４４】
それにより、複数の走査電極上および複数の維持電極上の壁電荷を十分に書込み放電に適した値に調整することができる。【００４５】
したがって、コントラストを向上させつつ、書込み動作を安定化することができる。また、安定した書込み動作により維持期間での誤放電を抑えることができる。その結果、コントラストが高く表示品質の良好な画像を表示することができる。【００４６】
（６）プラズマディスプレイ装置は、プラズマディスプレイパネルの状態としてプラズマディスプレイパネルの温度を検出する検出部をさらに備え、維持電極駆動回路は、検出部により検出される温度に基づいて第３のランプ波形の波高値および第４のランプ波形の波高値を変更してもよい。【００４７】
この場合、プラズマディスプレイパネルの温度に基づいて第３のランプ波形の波高値および第４のランプ波形の波高値を変更することにより、温度に応じて走査電極と維持電極との間での壁電荷の制御および走査電極とデータ電極との間での壁電荷の制御をそれぞれ独立に行うことができる。【００４８】
それにより、複数の走査電極上および複数の維持電極上の壁電荷を十分に書込み放電に適した値に調整することができる。【００４９】
したがって、コントラストを向上させつつ、書込み動作を安定化することができる。また、安定した書込み動作により維持期間での誤放電を抑えることができる。その結果、コントラストが高く表示品質の良好な画像を表示することができる。【００５０】
（７）維持電極駆動回路は、第３の期間および第４の期間で複数の維持電極をフローティング状態にしてもよい。【００５１】
複数の維持電極がフローティング状態になると、複数の維持電極の電位は、容量結合により複数の走査電極の電位変化に従って変化する。これにより、第３の期間および第４の期間においては、複数の維持電極の電位が、複数の走査電極に印加される第１のランプ波形および第２のランプ波形に従って変化する。【００５２】
したがって、簡単な回路構成で、複数の維持電極に第３のランプ波形および第４のランプ波形を印加することができる。その結果、コストの上昇が抑制される。【００５３】
（８）本発明の他の局面に従うプラズマディスプレイパネルの駆動方法は、複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、複数のサブフィールドのうち少なくとも１つのサブフィールドの初期化期間内における第１の期間で複数の走査電極に第１の電位から第２の電位に上昇する第１のランプ波形を印加するステップと、第１の期間に続く第２の期間で複数の走査電極に第３の電位から第４の電位に下降する第２のランプ波形を印加するステップと、第１の期間内における第１の期間よりも短い第３の期間で複数の維持電極に第５の電位から第６の電位に上昇する第３のランプ波形を印加するステップと、第２の期間内における第２の期間よりも短い第４の期間で複数の維持電極に第７の電位から第８の電位に下降する第４のランプ波形を印加するステップと、プラズマディスプレイパネルの状態に基づいて第３のランプ波形の波高値および第４のランプ波形の波高値を変更するステップとを備えたものである。【００５４】
このプラズマディスプレイパネルの駆動方法においては、複数のサブフィールドのうち少なくとも１つのサブフィールドの初期化期間内における第１の期間で、複数の走査電極に第１の電位から第２の電位に上昇する第１のランプ波形が印加される。そして、第１の期間内における第１の期間よりも短い第３の期間で、複数の維持電極に第５の電位から第６の電位に上昇する第３のランプ波形が印加される。【００５５】
これにより、第３の期間では、複数の走査電極と複数の維持電極との間の電位差が大きくなることが抑制される。そのため、複数の走査電極と複数の維持電極との間で初期化放電が発生しない。したがって、第１の期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。【００５６】
また、第１の期間に続く第２の期間で初期化放電のために複数の走査電極に第３の電位から第４の電位に下降する第２のランプ波形が印加される。そして、第２の期間内における第２の期間よりも短い第４の期間で、複数の維持電極に第７の電位から第８の電位に下降する第４のランプ波形が印加される。【００５７】
これにより、第４の期間では、複数の走査電極と複数の維持電極との間の電位差が大きくなることが抑制される。そのため、複数の走査電極と複数の維持電極との間で初期化放電が発生しない。したがって、第２の期間における初期化放電の発生期間が短縮されるので、第１の期間で複数の走査電極および複数の維持電極に蓄積された壁電荷の減少量が少なくなる。【００５８】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。【００５９】
それにより、複数の走査電極上および複数の維持電極上の壁電荷を十分に書込み放電に適した値に調整することができる。【００６０】
したがって、コントラストを向上させつつ、書込み動作を安定化することができる。また、安定した書込み動作により維持期間での誤放電を抑えることができる。その結果、コントラストが高く表示品質の良好な画像を表示することができる。【００６１】
（９）本発明のさらに他の局面に従うプラズマディスプレイ装置は、複数の走査電極および維持電極と複数のデータ電極との交差部に複数の放電セルを有するプラズマディスプレイパネルと、プラズマディスプレイパネルを１フィールド期間が複数のサブフィールドを含むサブフィールド法で駆動する駆動装置とを備え、駆動装置は、複数の走査電極を駆動する走査電極駆動回路と、複数の維持電極を駆動する維持電極駆動回路とを備え、走査電極駆動回路は、複数のサブフィールドのうち少なくとも１つのサブフィールドの初期化期間内における前半期間で複数の走査電極に上昇する第１のランプ波形を印加し、前半期間に続く後半期間で複数の走査電極に下降する第２のランプ波形を印加し、維持電極駆動回路は、前半期間で複数の維持電極に上昇する第３のランプ波形を印加し、後半期間で複数の維持電極に下降する第４のランプ波形を印加し、プラズマディスプレイパネルの状態に基づいて第３のランプ波形の波高値および第４のランプ波形の波高値を変更するものである。【００６２】
このプラズマディスプレイ装置においては、複数のサブフィールドのうち少なくとも１つのサブフィールドの初期化期間内における前半期間で、走査電極駆動回路により複数の走査電極に上昇する第１のランプ波形が印加される。また、前半期間においては、維持電極駆動回路により複数の維持電極に上昇する第３のランプ波形が印加される。【００６３】
これにより、前半期間において、複数の走査電極に第１のランプ波形が印加されかつ複数の維持電極に第３のランプ波形が印加される際には、複数の走査電極と複数の維持電極との間の電位差が大きくなることが抑制される。そのため、複数の走査電極と複数の維持電極との間で初期化放電が発生しない。したがって、前半期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。【００６４】
また、前半期間に続く後半期間で初期化放電のために複数の走査電極に下降する第２のランプ波形が印加される。また、後半期間内においては、維持電極駆動回路により複数の維持電極に下降する第４のランプ波形が印加される。【００６５】
これにより、後半期間において、複数の走査電極に第２のランプ波形が印加されかつ複数の維持電極に第４のランプ波形が印加される際には、複数の走査電極と複数の維持電極との間の電位差が大きくなることが抑制される。そのため、複数の走査電極と複数の維持電極との間で初期化放電が発生しない。したがって、後半期間における初期化放電の発生期間が短縮されるので、前半期間で複数の走査電極および複数の維持電極に蓄積された壁電荷の減少量が少なくなる。【００６６】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。【００６７】
それにより、複数の走査電極上および複数の維持電極上の壁電荷を十分に書込み放電に適した値に調整することができる。【００６８】
したがって、コントラストを向上させつつ、書込み動作を安定化することができる。また、安定した書込み動作により維持期間での誤放電を抑えることができる。その結果、コントラストが高く表示品質の良好な画像を表示することができる。【００６９】
（１０）本発明のさらに他の局面に従うプラズマディスプレイパネルの駆動方法は、複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、複数のサブフィールドのうち少なくとも１つのサブフィールドの初期化期間内における前半期間で複数の走査電極に上昇する第１のランプ波形を印加するステップと、前半期間に続く後半期間で複数の走査電極に下降する第２のランプ波形を印加するステップと、前半期間内において複数の維持電極に上昇する第３のランプ波形を印加するステップと、後半期間内において複数の維持電極に下降する第４のランプ波形を印加するステップと、プラズマディスプレイパネルの状態に基づいて第３のランプ波形の波高値および第４のランプ波形の波高値を変更するステップとを備えたものである。【００７０】
このプラズマディスプレイパネルの駆動方法においては、複数のサブフィールドのうち少なくとも１つのサブフィールドの初期化期間内における前半期間で、複数の走査電極に上昇する第１のランプ波形が印加される。また、前半期間においては、複数の維持電極に上昇する第３のランプ波形が印加される。【００７１】
これにより、前半期間において、複数の走査電極に第１のランプ波形が印加されかつ複数の維持電極に第３のランプ波形が印加される際には、複数の走査電極と複数の維持電極との間の電位差が大きくなることが抑制される。そのため、複数の走査電極と複数の維持電極との間で初期化放電が発生しない。したがって、前半期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。【００７２】
また、前半期間に続く後半期間で初期化放電のために複数の走査電極に下降する第２のランプ波形が印加される。また、後半期間内においては、維持電極駆動回路により複数の維持電極に下降する第４のランプ波形が印加される。【００７３】
これにより、後半期間において、複数の走査電極に第２のランプ波形が印加されかつ複数の維持電極に第４のランプ波形が印加される際には、複数の走査電極と複数の維持電極との間の電位差が大きくなることが抑制される。そのため、複数の走査電極と複数の維持電極との間で初期化放電が発生しない。したがって、後半期間における初期化放電の発生期間が短縮されるので、前半期間で複数の走査電極および複数の維持電極に蓄積された壁電荷の減少量が少なくなる。【００７４】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。【００７５】
それにより、複数の走査電極上および複数の維持電極上の壁電荷を十分に書込み放電に適した値に調整することができる。【００７６】
したがって、コントラストを向上させつつ、書込み動作を安定化することができる。また、安定した書込み動作により維持期間での誤放電を抑えることができる。その結果、コントラストが高く表示品質の良好な画像を表示することができる。【００７７】
維持電極駆動回路は、検出部により検出される点灯率に基づいて第３のランプ波形の波高値および第４のランプ波形の波高値を段階的に変更してもよい。【００７８】
この場合、初期化期間の発光輝度が段階的に変化するので、初期化期間の発光輝度の変化が視聴者により視認されない。したがって、表示品質がさらに良好となる。【００７９】
維持電極駆動回路は、検出部により検出される点灯率が第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される点灯率が第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。【００８０】
この場合、第３のランプ波形の波高値および第４のランプ波形の波高値が段階的に変化するとともにヒステリシス特性を有する。したがって、表示品質が十分に向上される。【００８１】
維持電極駆動回路は、検出部により検出される点灯率が第１の閾値よりも小さい値から第１の閾値以上になった場合および検出部により検出される点灯率が第２の閾値よりも大きい値から第２の閾値以下になった場合に第３のランプ波形の波高値および第４のランプ波形の波高値を段階的に変更してもよい。【００８２】
この場合、第３のランプ波形の波高値および第４のランプ波形の波高値が段階的に変化するとともにヒステリシス特性を有する。したがって、表示品質が十分に向上される。【００８３】
維持電極駆動回路は、検出部により検出される平均輝度レベルに基づいて第３のランプ波形の波高値および第４のランプ波形の波高値を段階的に変更してもよい。【００８４】
この場合、初期化期間の発光輝度が段階的に変化するので、初期化期間の発光輝度の変化が視聴者により視認されない。したがって、表示品質がさらに良好となる。【００８５】
維持電極駆動回路は、検出部により検出される平均輝度レベルが第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される平均輝度レベルが第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。【００８６】
この場合、第３のランプ波形の波高値および第４のランプ波形の波高値の変化がヒステリシス特性を有する。それにより、初期化期間の発光輝度が頻繁に切り替わることが防止される。したがって、表示品質がさらに良好となる。【００８７】
維持電極駆動回路は、検出部により検出される平均輝度レベルが第１の閾値よりも小さい値から第１の閾値以上になった場合および検出部により検出される平均輝度レベルが第２の閾値よりも大きい値から第２の閾値以下になった場合に第３のランプ波形の波高値および第４のランプ波形の波高値を段階的に変更してもよい。【００８８】
この場合、第３のランプ波形の波高値および第４のランプ波形の波高値が段階的に変化するとともにヒステリシス特性を有する。したがって、表示品質が十分に向上される。【００８９】
維持電極駆動回路は、検出部により検出される点灯率累積点灯時間が閾値を超えた後にプラズマディスプレイパネルの電源がオフにされ、その後にプラズマディスプレイパネルの電源がオンにされたときに、第３のランプ波形の波高値および第４のランプ波形の波高値を変更してもよい。【００９０】
この場合、視聴者が映像を見ているときには初期化期間の発光輝度が変化せず、視聴者がプラズマディスプレイパネルの電源をオンしたときに初期化期間の発光輝度が変化する。それにより、視聴者により初期化期間の発光輝度の変化が視認されない。したがって、表示品質の劣化が防止される。【００９１】
維持電極駆動回路は、検出部により検出される点灯率累積点灯時間が閾値を超えた場合に、第３のランプ波形の波高値および第４のランプ波形の波高値を小さくしてもよい。【００９２】
この場合、累積点灯時間が長くなると、放電セルの放電空間における走査電極と維持電極との間の放電開始電圧が高くなるので、初期化放電が発生しにくくなる。したがって、累積点灯時間が長い場合には、第３のランプ波形の波高値および第４のランプ波形の波高値を小さくすることにより初期化期間において初期化放電を確実に発生させることができる。【００９３】
維持電極駆動回路は、検出部により検出される温度に基づいて第３のランプ波形の波高値および第４のランプ波形の波高値を段階的に変更してもよい。【００９４】
この場合、初期化期間の発光輝度が段階的に変化するので、初期化期間の発光輝度の変化が視聴者により視認されない。したがって、表示品質がさらに良好となる。【００９５】
維持電極駆動回路は、検出部により検出される温度が第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される温度が第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。【００９６】
この場合、第３のランプ波形の波高値および第４のランプ波形の波高値の変化がヒステリシス特性を有する。それにより、初期化期間の発光輝度が頻繁に切り替わることが防止される。したがって、表示品質がさらに良好となる。【００９７】
維持電極駆動回路は、検出部により検出される温度が第１の閾値よりも小さい値から第１の閾値以上になった場合および検出部により検出される温度が第２の閾値よりも大きい値から第２の閾値以下になった場合に第３のランプ波形の波高値および第４のランプ波形の波高値を段階的に変更してもよい。【００９８】
この場合、第３のランプ波形の波高値および第４のランプ波形の波高値が段階的に変化するとともにヒステリシス特性を有する。したがって、表示品質が十分に向上される。
【発明の効果】
【００９９】
本発明のプラズマディスプレイ装置およびその駆動方法によれば、画像のコントラストが十分に向上されるとともに、画像表示の不具合が十分に防止され、高品質の画像を得ることができる。
【図面の簡単な説明】
【０１００】
【図１】図１は第１の実施の形態に用いるプラズマディスプレイの要部を示す斜視図
【図２】図２は第１の実施の形態におけるパネルの電極配列図
【図３】図３は第１の実施の形態に係るプラズマディスプレイ装置の構成図
【図４】図４は第１の実施の形態においてパネルの各電極に印加される駆動電圧波形を示す図
【図５】図５は全セル初期化動作時に従来のプラズマディスプレイ装置で用いられる駆動電圧波形図
【図６】図６は全セル初期化動作時に第１の実施の形態に係るプラズマディスプレイ装置で用いられる駆動電圧波形図
【図７】図７は図３の維持電極駆動回路の一構成例を示す回路図
【図８】図８は第１の実施の形態に係るプラズマディスプレイ装置において図４の第１ＳＦの初期化期間に走査電極および維持電極に与えられる駆動電圧波形図ならびに維持電極駆動回路に与えられる制御信号のタイミング図
【図９】図９はサブフィールドの点灯率と維持電極へのランプ波形の印加タイミングとの関連性の一例を示す図
【図１０】図１０は第２の実施の形態に係るプラズマディスプレイ装置の構成図
【図１１】図１１は第２の実施の形態に係るプラズマディスプレイ装置において図４の第１ＳＦの初期化期間に走査電極および維持電極に与えられる駆動電圧波形図ならびに維持電極駆動回路に与えられる制御信号のタイミング図
【図１２】図１２はＡＰＬ検出回路により検出されるＡＰＬの値に応じて設定される維持電極へのランプ波形の印加タイミングの一例を示す図
【図１３】図１３は第３の実施の形態に係るプラズマディスプレイ装置の構成図
【図１４】図１４は点灯時間検出器により検出される累積点灯時間に応じて設定される維持電極へのランプ波形の印加タイミングおよび波高値の一例を示す図
【図１５】図１５は第４の実施の形態に係るプラズマディスプレイ装置の構成図
【図１６】図１６は温度検出器により検出される温度に応じて設定される維持電極ＳＵへのランプ波形の印加タイミングおよび波高値の一例を示す図
【発明を実施するための最良の形態】
【０１０１】
以下、本発明の一実施の形態に係るプラズマディスプレイ装置およびその駆動方法について、図面を用いて説明する。【０１０２】
以下の説明において、ランプ波形の波高値とは、特に言及する場合を除き、時間の変化とともに緩やかに上昇または下降するランプ波形の電圧の最大変化量、例えばランプ波形の印加開始時点の電位と印加終了時点の電位との差分値をいう。【０１０３】
［第１の実施の形態］
図１は第１の実施の形態に用いるプラズマディスプレイの要部を示す斜視図である。プラズマディスプレイパネル（以下、パネルと略記する）１は、互いに対向配置されたガラス製の前面基板２および背面基板３を備える。前面基板２および背面基板３の間に放電空間が形成される。前面基板２上には複数対の走査電極４および維持電極５が互いに平行に形成されている。各対の走査電極４および維持電極５が表示電極を構成する。走査電極４および維持電極５を覆うように誘電体層６が形成され、誘電体層６上には保護層７が形成されている。【０１０４】
背面基板３上には絶縁体層８で覆われた複数のデータ電極９が設けられている。絶縁体層８上には、データ電極９と平行な方向に延びるストライプ状の隔壁１０が設けられている。また、絶縁体層８の表面および隔壁１０の側面に蛍光体層１１が設けられている。そして、複数対の走査電極４および維持電極５と複数のデータ電極９とが垂直に交差するように前面基板２と背面基板３とが対向配置され、前面基板２と背面基板３との間に放電空間が形成されている。放電空間には、放電ガスとして、例えばネオンとキセノンとの混合ガスが封入されている。なお、パネルの構造は上述したものに限られず、例えば井桁状の隔壁を備えた構造を用いてもよい。【０１０５】
上記蛍光体層１１は、放電セルごとにＲ（赤）、Ｇ（緑）およびＢ（青）のいずれかの蛍光体層を含む。パネル１上の１画素は、Ｒ、ＧおよびＢの蛍光体をそれぞれ含む３つの放電セルにより構成される。【０１０６】
図２は第１の実施の形態におけるパネルの電極配列図である。行方向に沿ってｎ本の走査電極ＳＣ1〜ＳＣn（図１の走査電極４）およびｎ本の維持電極ＳＵ1〜ＳＵn（図１の維持電極５）が配列され、列方向に沿ってｍ本のデータ電極Ｄ1〜Ｄm（図１のデータ電極９）が配列されている。ｎおよびｍはそれぞれ２以上の自然数である。そして、１対の走査電極ＳＣiおよび維持電極ＳＵiと１つのデータ電極Ｄjとが交差した部分に放電セルＤＣが形成されている。それにより、放電空間内にｍ×ｎ個の放電セルが形成されている。なお、ｉは１〜ｎのうち任意の整数であり、ｊは１〜ｍのうち任意の整数である。【０１０７】
図３は第１の実施の形態に係るプラズマディスプレイ装置の構成図である。このプラズマディスプレイ装置は、パネル１、データ電極駆動回路１２、走査電極駆動回路１３、維持電極駆動回路１４、タイミング発生回路１５、画像信号処理回路１８、点灯率検出器２０Ａおよび電源回路（図示せず）を備える。【０１０８】
画像信号処理回路１８は画像信号ｓｉｇをパネル１の画素数に応じた画像データに変換し、各画素の画像データを複数のサブフィールドに対応する複数のビットに分割し、それらをデータ電極駆動回路１２に出力する。【０１０９】
データ電極駆動回路１２はサブフィールド毎の画像データを各データ電極Ｄ1〜Ｄmに対応する信号に変換し、その信号に基づいて各データ電極Ｄ1〜Ｄmを駆動する。【０１１０】
タイミング発生回路１５は水平同期信号Ｈおよび垂直同期信号Ｖに基づいてタイミング信号を発生し、それらのタイミング信号をそれぞれの駆動回路ブロック（データ電極駆動回路１２、走査電極駆動回路１３および維持電極駆動回路１４）へ供給する。【０１１１】
走査電極駆動回路１３はタイミング信号に基づいて走査電極ＳＣ1〜ＳＣnに駆動波形を供給し、維持電極駆動回路１４はタイミング信号に基づいて維持電極ＳＵ1〜ＳＵnに駆動波形を供給する。【０１１２】
点灯率検出器２０Ａは、各サブフィールドの点灯率を検出し、その値をタイミング発生回路１５に供給する。ここで、点灯率とは、同時に点灯（発光）する放電セルＤＣの数を、パネルの全放電セルＤＣの数で除算することにより得られる値である。【０１１３】
次に、パネル１を駆動するための駆動電圧波形およびパネル１の動作について説明する。【０１１４】
本実施の形態において、各フィールドは、初期化期間、書込み期間および維持期間を有する複数のサブフィールドに分割される。例えば、１フィールドが時間軸上でＮ個のサブフィールド（以下、第１ＳＦ、第２ＳＦ、・・・、および第ＮＳＦと略記する）に分割される。【０１１５】
図４は第１の実施の形態においてパネル１の各電極に印加される駆動電圧波形を示す図である。図４の例では、第１ＳＦおよび第２ＳＦにおける駆動電圧波形が示されている。【０１１６】
本例では、第１ＳＦが全セル初期化動作を行う初期化期間を有するサブフィールド（以下、「全セル初期化サブフィールド」と略記する）に相当し、第２ＳＦが選択初期化動作を行う初期化期間を有するサブフィールド（以下、「選択初期化サブフィールド」と略記する）に相当する。【０１１７】
まず、第１ＳＦ（全セル初期化サブフィールド）における駆動電圧波形およびその駆動電圧波形に基づくパネル１の動作について説明する。【０１１８】
第１ＳＦの初期化期間の前半部（以下、前半期間と呼ぶ）には、データ電極Ｄ1〜Ｄmを正の電位Ｖｄに保持し、維持電極ＳＵ1〜ＳＵnの電位を０Ｖに保持する。その状態で、走査電極ＳＣ1〜ＳＣnに対して放電開始電圧以下となる電位Ｖｉ1から放電開始電圧を超える電位Ｖｉ2に向かって緩やかに上昇するランプ波形を印加する。【０１１９】
それにより、全ての放電セルＤＣにおいて１回目の微弱な初期化放電が発生し、走査電極ＳＣ1〜ＳＣn上に負の壁電荷が蓄えられるとともに維持電極ＳＵ1〜ＳＵn上およびデータ電極Ｄ1〜Ｄm上に正の壁電荷が蓄えられる。ここで、電極上の壁電圧とは、電極を覆う誘電体層または蛍光体層上等に蓄積した壁電荷により生じる電圧をいう。【０１２０】
前半期間における所定のタイミングで、０Ｖに保持された維持電極ＳＵ1〜ＳＵnに、０Ｖから電位Ｖｉ5まで上昇するランプ波形を印加する。これにより、走査電極ＳＣ1〜ＳＣnと維持電極ＳＵ1〜ＳＵnとの電位差が電圧Ｖｉ5の分だけ小さくなる。それにより、走査電極ＳＣ1〜ＳＣnと維持電極ＳＵ1〜ＳＵnとの間で強い放電が発生することが抑制され、コントラストが向上される。【０１２１】
初期化期間の後半部（以下、後半期間と呼ぶ）には、維持電極ＳＵ1〜ＳＵnを正の電位Ｖｅに保持した状態で、走査電極ＳＣ1〜ＳＣnに電位Ｖｉ3から電位Ｖｉ4に向かって緩やかに下降するランプ波形を印加する。すると、全ての放電セルＤＣにおいて２回目の微弱な初期化放電が発生し、走査電極ＳＣ1〜ＳＣn上の壁電圧および維持電極ＳＵ1〜ＳＵn上の壁電圧が弱められ、データ電極Ｄ1〜Ｄm上の壁電圧も書込み動作に適した値に調整される。【０１２２】
上記後半期間における所定のタイミングで、正の電位Ｖｅに保持された維持電極ＳＵ1〜ＳＵnに、正の電位Ｖｅから電位Ｖｉ6まで下降するランプ波形を印加する。この場合、維持電極ＳＵ1〜ＳＵnと走査電極ＳＣ1〜ＳＣnとの間の電位差が放電開始電圧を超える時点から維持電極ＳＵ1〜ＳＵnにランプ波形が印加されるまでの期間中に、放電により前半期間に蓄積された壁電荷が減少する。【０１２３】
上述のように、本実施の形態では、前半期間に維持電極ＳＵ1〜ＳＵnに０Ｖから電位Ｖｉ5まで上昇するランプ波形が印加される。この場合、このランプ波形を印加しない場合に比べて、前半期間の終了時に維持電極ＳＵ1〜ＳＵnに蓄積される壁電荷が電圧Ｖｉ5の分減少する。それにより、後半期間において、次の書込みに必要な維持電極ＳＵ1〜ＳＵn上の壁電荷が不足し、書込み放電が不安定になることが懸念される。【０１２４】
そこで、上述のように、本実施の形態では、後半期間に維持電極ＳＵ1〜ＳＵnに正の電位Ｖｅから電位Ｖｉ6まで下降するランプ波形が印加される。このランプ波形が印加される期間中には、微弱放電が発生しない。そのため、ランプ波形を印加しない場合に比べて、微弱放電が発生する期間が短縮される。これにより、放電により減少する壁電荷の量が低減される。それにより、維持電極ＳＵ1〜ＳＵn上の壁電荷が書込みに必要な量よりも少なくなることが防止される。【０１２５】
その結果、走査電極ＳＣ1〜ＳＣn上の壁電圧および維持電極ＳＵ1〜ＳＵn上の壁電圧を書込み動作に適した値に弱めることが可能となる。また、データ電極Ｄ1〜Ｄm上の壁電圧が書込み動作に適した値に調整される。【０１２６】
なお、電位Ｖｉ6の値を調整することにより、走査電極ＳＣ1〜ＳＣn上の壁電圧および維持電極ＳＵ1〜ＳＵn上の壁電圧を次の書込み放電に適した電圧に調整することが可能となる。【０１２７】
続く書込み期間では、維持電極ＳＵ1〜ＳＵnを正の電位Ｖｅ’に保ち、走査電極ＳＣ1〜ＳＣnを一旦電位Ｖｃに保持する。次に、１行目の走査電極ＳＣ1に負の走査パルス電圧Ｖａが印加されるとともに、データ電極Ｄ1〜Ｄmのうち１行目において発光すべき放電セルＤＣのデータ電極Ｄk（ｋ＝１〜ｍのいずれか）に正の書込みパルス電圧Ｖｄが印加される。【０１２８】
図４では、書込みパルス電圧Ｖｄと走査パルス電圧Ｖａとが同時に印加されている時間（以下、「書込み時間」と略記する）が矢印Ｔｗで表されている。【０１２９】
書込み時間Ｔｗにおいては、データ電極Ｄkと走査電極ＳＣ1との交差部の電圧は、外部印加電圧（Ｖｄ−Ｖａ）にデータ電極Ｄk上の壁電圧および走査電極ＳＣ1上の壁電圧が加算されたものとなる。それにより、データ電極Ｄkと走査電極ＳＣ1との交差部の電圧が、放電開始電圧を超える。【０１３０】
そして、データ電極Ｄkと走査電極ＳＣ1との間および維持電極ＳＵ1と走査電極ＳＵ1との間で書込み放電が発生する。【０１３１】
その結果、この放電セルＤＣの走査電極ＳＣ1上に正の壁電荷が蓄積され、維持電極ＳＵ1上に負の壁電荷が蓄積され、データ電極Ｄk上にも負の壁電荷が蓄積される。このようにして、１行目に表示すべき放電セルＤＣで書込み放電が発生することにより、各電極Ｄk，ＳＣ1，ＳＵ1上で壁電荷が蓄積される（書込み動作）。【０１３２】
一方、書込みパルス電圧Ｖｄが印加されなかったデータ電極Ｄｈ（ｈ≠ｋ）と走査電極ＳＣ1との交差部の電圧は放電開始電圧を超えない。そのため、その交差部の放電セルＤＣでは書込み放電が発生しない。以上の書込み動作がｎ行目の放電セルに至るまで順次行われ、書込み期間が終了する。【０１３３】
続く維持期間では、走査電極ＳＣ1〜ＳＣnが０Ｖに戻され、走査電極ＳＣ1〜ＳＣnに維持期間の最初の維持パルス電圧Ｖｓが印加される。このとき、書込み放電を起こした放電セルＤＣにおいては、走査電極ＳＣiと維持電極ＳＵiとの間の電圧が、維持パルス電圧Ｖｓに走査電極ＳＣi上の壁電圧および維持電極ＳＵi上の壁電圧の大きさが加算されたものとなり、放電開始電圧を超える。そして、走査電極ＳＣiと維持電極ＳＵiとの間に維持放電が起こり、走査電極ＳＣi上に負の壁電荷が蓄積され、維持電極ＳＵi上に正の壁電荷が蓄積される。【０１３４】
このとき、データ電極Ｄk上にも正の壁電荷が蓄積される。書込み期間において書込み放電が起きなかった放電セルＤＣでは維持放電は発生せず、初期化期間の終了時における壁電圧状態が保持される。【０１３５】
続いて、走査電極ＳＣ1〜ＳＣnが０Ｖに戻され、走査電極ＳＣ1〜ＳＣnに２番目の維持パルス電圧Ｖｓが印加される。すると、維持放電を起こした放電セルＤＣでは、維持電極ＳＵiと走査電極ＳＣiとの間の電圧が放電開始電圧を超える。これにより、再び維持電極ＳＵiと走査電極ＳＣiとの間に維持放電が起こり、維持電極ＳＵi上に負の壁電荷が蓄積され、走査電極ＳＣi上に正の壁電荷が蓄積される。【０１３６】
以降同様に、走査電極ＳＣ1〜ＳＣnと維持電極ＳＵ1〜ＳＵnとに輝度重みに応じた数の維持パルスが交互に印加されることにより、書込み期間において書込み放電を起こした放電セルＤＣでは維持放電が継続して行われる。こうして維持期間における維持動作が終了する。【０１３７】
続いて、第２ＳＦ（選択初期化サブフィールド）における駆動電圧波形およびその駆動電圧波形に基づくパネル１の動作について説明する。【０１３８】
第２ＳＦの初期化期間では、初めに維持電極ＳＵ1〜ＳＵnが正の電位Ｖｅで保持され、データ電極Ｄ1〜Ｄmが接地電位に保持される。この状態で、走査電極ＳＣ1〜ＳＣnに電位Ｖｉ3’から電位Ｖｉ4に向かって緩やかに下降するランプ波形が印加される。すると、前のサブフィールドの維持期間で維持放電が起きた放電セルＤＣでは微弱な初期化放電が発生する。それにより、走査電極ＳＣi上の壁電圧および維持電極ＳＵi上の壁電圧が弱められ、データ電極Ｄk上の壁電圧も書込み動作に適した値に調整される。【０１３９】
一方、前のサブフィールドで書込み放電および維持放電が起きなかった放電セルＤＣにおいては、放電が発生せず、前のサブフィールドの初期化期間の終了時における壁電荷の状態がそのまま保たれる。【０１４０】
このように、第２ＳＦ、すなわち選択初期化サブフィールドの初期化期間においては、直前のサブフィールドで維持放電が起こった放電セルＤＣで選択的に初期化放電を発生させる選択初期化動作が行われる。【０１４１】
書込み期間および維持期間における駆動電圧波形および動作は、第１ＳＦ（全セル初期化サブフィールド）の書込み期間および維持期間における駆動電圧波形および動作と同様であるため説明を省略する。【０１４２】
次に、第１ＳＦの初期化期間において、維持電極ＳＵ1〜ＳＵnにランプ波形を印加する理由について、従来の駆動方法と比較して説明する。【０１４３】
図５は全セル初期化動作時に従来のプラズマディスプレイ装置で用いられる駆動電圧波形図である。図６は全セル初期化動作時に第１の実施の形態に係るプラズマディスプレイ装置で用いられる駆動電圧波形図である。図５および図６においては、走査電極ＳＣ1〜ＳＣn、維持電極ＳＵ1〜ＳＵnおよびデータ電極Ｄ1〜Ｄmをそれぞれ符号ＳＣ，ＳＵ，ＤＡで表す。【０１４４】
まず、図５の駆動電圧波形の前半期間について説明する。図５の前半期間では、走査電極ＳＣに正の電位Ｖｉ1から正の電位Ｖｉ2まで緩やかに上昇するランプ波形が印加される。このとき、維持電極ＳＵは０Ｖに保持され、データ電極は電圧Ｖｄに保持される。【０１４５】
そのため、維持電極ＳＵには、走査電極ＳＣと維持電極ＳＵとの間の電圧が放電開始電圧から電圧Ｖｉ2に到達するまでの期間中、放電に応じた壁電荷が蓄積される。【０１４６】
また、データ電極ＤＡには、走査電極ＳＣとデータ電極ＤＡとの間の電圧が放電開始電圧から電圧（Ｖｉ2−Ｖｄ）に到達するまでの期間中、放電に応じた壁電荷が蓄積される。【０１４７】
なお、前半期間においては、データ電極ＤＡにデータパルスＶｄが印加されている。これにより、走査電極ＳＣと維持電極ＳＵとの間の放電が、走査電極ＳＣとデータ電極ＤＡとの間の放電よりも先に発生する。それにより、初期化放電が安定化する。【０１４８】
この場合、前半期間において、走査電極ＳＣに印加される上りランプ波形の波高値は、走査電極ＳＣとデータ電極ＤＡとの間の電位差が十分に放電開始電圧を超えるように調整される必要がある。このように、ランプ波形の波高値が調整されることにより、走査電極ＳＣ上およびデータ電極ＤＡ上に十分な壁電荷が蓄積される。【０１４９】
一方、維持電極ＳＵは前半期間では０Ｖ（接地電位）に保持されているので、上りランプ波形の波高値が大きく設定されていると、走査電極ＳＣと維持電極ＳＵとの間の電位差が大きくなる。この場合、強い放電が起こってコントラストが低下する。【０１５０】
そこで、図６に示すように、本実施の形態に係るプラズマディスプレイ装置の駆動方法においては、前半期間中であって、走査電極ＳＣに上りランプ波形が印加されている期間中に、維持電極ＳＵを接地端子およびノードから切り離してハイインピーダンス状態にする期間を設ける。【０１５１】
本実施の形態において、ハイインピーダンス状態とは、維持電極ＳＵが電源端子、接地端子およびノードから切り離された状態（フローティング状態）をいう。【０１５２】
この場合、維持電極ＳＵの電位は容量結合により走査電極ＳＣの電位の変化に従って変化する。したがって、維持電極ＳＵにもランプ波形が印加される。これにより、走査電極ＳＣと維持電極ＳＵとの間の放電を減少させることが可能となり、コントラストを向上させることが可能となる。【０１５３】
続いて、図５の駆動電圧波形の後半期間について説明する。初期化期間における後半期間は、前半期間で各電極ＳＣ，ＳＵ，ＤＡに蓄積された電荷を調整するために設定される。【０１５４】
図５において、維持電極ＳＵでは、放電開始電圧から電位Ｖｉ2と電位Ｖｅとの電位差までの電圧の大きさに応じて壁電圧が弱められる。また、データ電極ＤＡでは、放電開始電圧から電位Ｖｉ2までの電圧の大きさに応じて壁電圧が弱められる。【０１５５】
ここで、後半期間における維持電極ＳＵの電位Ｖｅは、初期化期間に続く書込み期間の書込み動作を安定させるために設定されている。したがって、維持電極ＳＵの電位を変化させることは困難である。そのため、従来は、図５に示す前半期間と同様に、維持電極ＳＵとデータ電極ＤＡのどちらか一方に合わせて電位Ｖｉ4を設定していた。【０１５６】
そのため、上述のように、前半期間に維持電極ＳＵに上りランプ波形を印加して走査電極ＳＣと維持電極ＳＵとの間の放電を減少させた場合、維持電極ＳＵに蓄積される壁電荷が減少し、次の書込み期間における書込み放電が不安定になる。【０１５７】
そこで、本実施の形態では、図６に示すように、初期化期間の前半期間だけでなく後半期間においても維持電極ＳＵにランプ波形が印加される。このように、上りランプ波形の電位Ｖｉ5および下りランプ波形の電位Ｖｉ6を設定することにより、走査電極ＳＣにランプ波形が印加されているときに、維持電極ＳＵに印加される電圧が変化する。これにより、走査電極ＳＣと維持電極ＳＵとの間の電位差、および走査電極ＳＣとデータ電極ＤＡとの間の電位差が、前半期間および後半期間で独立して制御される。【０１５８】
具体的には、走査電極ＳＣの電位を正の電位Ｖｉ1から正の電位Ｖｉ2に上昇させる上りランプ波形の印加開始から所定期間中は、維持電極ＳＵの電位が０Ｖ（ＧＮＤ：接地電位）で保持される。その後、走査電極ＳＣの電位が上りランプ波形により所定の高さに達したタイミングから維持電極ＳＵにもランプ波形を印加する。すると、走査電極ＳＣと維持電極ＳＵとの間の放電および電荷蓄積は、維持電極ＳＵにランプ波形を印加するタイミングで止まる。【０１５９】
次に、走査電極ＳＣへの上りランプ波形の印加終了後、すなわち走査電極ＳＣが正の電位Ｖｉ2に達した後、走査電極ＳＣの電位を正の電位Ｖｉ2から正の電位Ｖｉ3に切り換えるタイミングで、維持電極ＳＵを一旦接地し、その後、走査電極ＳＣに下りランプ波形を印加する前に維持電極ＳＵに電圧Ｖｅを印加する。【０１６０】
そして、走査電極ＳＣの電位を正の電位Ｖｉ3から負の電位Ｖｉ4に下降させる下りランプ波形の印加開始から所定期間中は、維持電極ＳＵが電位Ｖｅに保持される。所定期間が経過したタイミングから維持電極ＳＵにもランプ波形を印加する。これにより、走査電極ＳＣと維持電極ＳＵとの間の放電および電荷調整は、維持電極ＳＵにランプ波形を印加するタイミングで止まる。【０１６１】
その後、走査電極ＳＣへの下りランプ波形の印加が終了するタイミングで維持電極ＳＵへのランプ波形の印加も終了させる。その後、維持電極ＳＵが電位Ｖｅに保持される。また、維持電極ＳＵは、次の書込み期間で電位Ｖｅ’に保持される。【０１６２】
このように、前半期間においては、維持電極ＳＵにランプ波形を印加し、ランプ波形の電位Ｖｉ5を設定することにより、走査電極ＳＣと維持電極ＳＵとの間の放電が減少される。また、維持電極ＳＵに蓄積する壁電荷が減少しても、続く初期化期間の後半期間において、維持電極ＳＵにランプ波形を印加し、ランプ波形の電位Ｖｉ6を設定することにより、走査電極ＳＣおよび維持電極ＳＵに蓄積された壁電荷を不要に削除することなく、初期化動作を完了することが可能となる。【０１６３】
これにより、不必要な放電が抑制されるので、次の書込み期間における書込み放電を安定化することが可能となるとともに、表示に関係がない発光を抑制し、高いコントラストを有する画像を得ることが可能となる。【０１６４】
本実施の形態においては、上記所定の電位Ｖｉ1〜Ｖｉ6の設定値は、放電セルＤＣに応じて最適に設定することが望ましい。【０１６５】
例えば前半期間および後半期間中の所定のタイミングで維持電極ＳＵをハイインピーダンス状態にする。この場合、維持電極ＳＵを電位Ｖｉ5および電位Ｖｉ6にするための電圧が、回路コストを上昇させることなく容易に得られる。【０１６６】
また、図６では、走査電極ＳＣの電位を電位Ｖｉ2から電位Ｖｉ3に切り換えるタイミングで維持電極ＳＵを０Ｖに接地し、その後、走査電極ＳＣへの下りランプ波形の印加前に維持電極ＳＵを電位Ｖｅに保持しているが、これは一例であり、維持電極ＳＵの電位を電位Ｖｉ5から電位Ｖｅに保持してもよい。【０１６７】
また、維持電極ＳＵへの上りランプ波形の印加開始タイミングは、全ての放電セルＤＣで走査電極ＳＣと維持電極ＳＵとの間の放電が開始された後のタイミングに設定されることが望ましい。また、維持電極ＳＵの下りランプ波形の印加開始タイミングは、走査電極ＳＣと維持電極ＳＵとの間の電位差が調整されるように、パネル１に応じて最適に設定されることが望ましい。【０１６８】
また、本実施の形態では、放電を安定化させるために、書込み期間において維持電極ＳＵの電位を電位Ｖｅから電位Ｖｅ’に電圧Ｖｅ２分積み上げている。しかしながら、電圧Ｖｅ２がない場合でも、効果は変わらない。【０１６９】
本実施の形態においては、維持電極ＳＵに印加されるランプ波形の波高値が各サブフィールドの点灯率によって制御される。この理由について説明する。【０１７０】
本実施の形態では、各サブフィールドの点灯率が所定の閾値を下回った場合の画像が「ハイコントラスト画像」として検出される。このようなハイコントラスト画像として、例えば月および星が含まれる夜空の画像、および暗い画面を背景として白い文字が表示された画像等を挙げることができる。【０１７１】
このような画像においては、輝度が低い背景内に輝度が高い対象物が存在する。すなわち、輝度が低くかつ面積が大きい表示領域と、輝度が高くかつ面積が小さい表示領域とを含む。そのため、このような画像は、コントラストが向上されることにより著しく明瞭にパネル１上に表示される。【０１７２】
このような画像においては、パネル１における黒の表示領域が大きく、放電する面積が小さくなる。したがって、初期化放電の量を少なくした場合でも、安定した書込み動作が可能である。また、初期化期間に維持電極ＳＵに印加するランプ波形の波高値を大きくすることができる。これにより、黒輝度の輝度レベルを下げることにより、大きなコントラスト改善効果を得ることができる。【０１７３】
各サブフィールドの点灯率が所定の閾値を下回った場合または上回った場合に、維持電極ＳＵに印加する上りおよび下りのランプ波形の波高値を変更することは、初期化期間の発光輝度の変化が視認されないように、段階的に行われることが望ましい。この段階的変化は、初期化期間における発光輝度の変化が視認されないように行われることが好ましく、例えばヒステリシス機能を用いることができる。【０１７４】
図７は図３の維持電極駆動回路１４の一構成例を示す回路図である。図７の維持電極駆動回路１４は電荷回収型の維持電極駆動回路である。【０１７５】
図７に示すように、維持電極駆動回路１４は、ダイオードＤ１０１からダイオード１０３、コンデンサＣ１０１、コンデンサＣ１０２、ｎチャンネル電界効果トランジスタ（以下、トランジスタと略記する）Ｑ１０１，Ｑ１０２，Ｑ１０３，Ｑ１０４，Ｑ１０５ａ，Ｑ１０５ｂ，Ｑ１０６，Ｑ１０７およびコイルＬ１０１を含む。【０１７６】
トランジスタＱ１０１は、電圧Ｖｓを受ける電源端子Ｖ１０１とノードＮ１０１との間に接続され、ゲートには制御信号Ｓ１０１が与えられる。【０１７７】
トランジスタＱ１０２は、ノードＮ１０１と接地端子との間に接続され、ゲートには制御信号Ｓ１０２が与えられる。ノードＮ１０１は、維持電極ＳＵ（図２の維持電極ＳＵ1〜ＳＵn）に接続される。【０１７８】
ノードＮ１０１とノードＮ１０２との間には、コイルＬ１０１が接続される。ノードＮ１０２とノードＮ１０３との間には、ダイオードＤ１０１およびトランジスタＱ１０３が直列に接続されるとともに、ダイオードＤ１０２およびトランジスタＱ１０４が直列に接続される。コンデンサＣ１０１はノードＮ１０３と接地端子との間に接続される。トランジスタＱ１０３のゲートには制御信号Ｓ１０３が与えられ、トランジスタＱ１０４のゲートには制御信号Ｓ１０４が与えられる。【０１７９】
ダイオードＤ１０３は、電圧Ｖｅを受ける電源端子Ｖ１０２とノードＮ１０４との間に接続される。トランジスタＱ１０５ａおよびトランジスタＱ１０５ｂは、ノードＮ１０４とノードＮ１０１との間に直列に接続される。トランジスタＱ１０５ａおよびトランジスタＱ１０５ｂのゲートには制御信号Ｓ１０５が与えられる。コンデンサＣ１０２は、ノードＮ１０４とノードＮ１０５との間に接続される。【０１８０】
トランジスタＱ１０６は、ノードＮ１０５と接地端子との間に接続され、ゲートには制御信号Ｓ１０６が与えられる。トランジスタＱ１０７は、電圧Ｖｅ２を受ける電源端子Ｖ１０３とノードＮ１０５との間に接続され、ゲートには制御信号Ｓ１０７が与えられる。【０１８１】
なお、図７ではスイッチング素子としてｎチャンネルＦＥＴを用いているが、これに代えて、スイッチング動作を行う素子としてＩＧＢＴ（絶縁ゲート型バイポーラ・トランジスタ）等の他の素子を用いても良い。【０１８２】
ｎチャンネルＦＥＴＱ１０１〜Ｑ１０７に与えられる制御信号Ｓ１０１〜Ｓ１０７は、図３のタイミング回路１５から維持電極駆動回路１４にタイミング信号として与えられる。これらの制御信号Ｓ１０１〜Ｓ１０７は、回収コンデンサＣ１０１と維持電極（図示せず）との間の電荷の授受を制御する。【０１８３】
図８は第１の実施の形態に係るプラズマディスプレイ装置において図４の第１ＳＦの初期化期間に走査電極ＳＣおよび維持電極ＳＵに与えられる駆動電圧波形図ならびに維持電極駆動回路１４に与えられる制御信号のタイミング図である。【０１８４】
図８の最上段に走査電極ＳＣの駆動電圧波形が示され、次の段に維持電極ＳＵの駆動電圧波形が示されている。【０１８５】
本実施の形態において、維持電極ＳＵに与えられる制御信号Ｓ１０２，Ｓ１０５は、各サブフィールドの点灯率に応じて変化する。具体的には、サブフィールドの点灯率が所定の閾値よりも低い場合と、サブフィールドの点灯率が所定の閾値以上である場合とで制御信号Ｓ１０２，Ｓ１０５が異なる。【０１８６】
初めに、サブフィールドの点灯率が所定の閾値よりも低い場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。【０１８７】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。【０１８８】
走査電極ＳＵへの上りランプ波形の印加開始から所定期間経過した後、時点ｔ１ａで、制御信号Ｓ１０２がローレベルとなる。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。【０１８９】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。【０１９０】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。【０１９１】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。【０１９２】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。【０１９３】
その後、制御信号Ｓ１０５，Ｓ１０７がハイレベルとなる。これにより、維持電極ＳＵが電位Ｖｅに電圧Ｖｅ２を加算した電位Ｖｅ’で保持される。【０１９４】
続いて、サブフィールドの点灯率が所定の閾値以上である場合について説明する。サブフィールドの点灯率が所定の閾値以上である場合、走査電極ＳＵへの上りランプ波形の印加開始から所定期間経過した後、時点ｔ１ｂで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｉ5’まで上昇する。【０１９５】
ここで、時点ｔ１ｂは、サブフィールドの点灯率が所定の閾値よりも低い場合に制御信号Ｓ１０２がハイレベルからローレベルに切り替わる時点ｔ１ａよりも遅くなるように設定される。そのため、サブフィールドの点灯率が所定の閾値以上である場合には、サブフィールドの点灯率が所定の閾値よりも低い場合に比べて維持電極ＳＵがハイインピーダンス状態となる期間が短縮される（矢印ＰＩ３’で示される第３の期間参照）。その結果、維持電極ＳＵに印加される上りランプ波形の波高値（接地電位と電位Ｖｉ5’との電位差）は、サブフィールドの点灯率が所定の閾値よりも低い場合の波高値（接地電位と電位Ｖｉ5との電位差）よりも小さくなる。【０１９６】
また、走査電極ＳＵへの下りランプ波形の印加開始から所定期間経過した後、時点ｔ５ｂで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｉ6’まで下降する。【０１９７】
ここで、時点ｔ５ｂは、サブフィールドの点灯率が所定の閾値よりも低い場合に制御信号Ｓ１０２がハイレベルからローレベルに切り替わる時点ｔ５ａよりも遅くなるように設定される。そのため、サブフィールドの点灯率が所定の閾値以上である場合には、サブフィールドの点灯率が所定の閾値よりも低い場合に比べて維持電極ＳＵがハイインピーダンス状態となる期間が短縮される（矢印ＰＩ４’で示される第４の期間参照）。その結果、維持電極ＳＵに印加される下りランプ波形の波高値（電位Ｖｉ3と電位Ｖｉ6’との電位差）は、サブフィールドの点灯率が所定の閾値よりも低い場合の波高値（電位Ｖｉ3と電位Ｖｉ6との電位差）よりも大きくなる。【０１９８】
上記のように、本実施の形態に係るプラズマディスプレイ装置においては、サブフィールドの点灯率が所定の閾値よりも低い場合に維持電極ＳＵをハイインピーダンス状態にする期間（第３の期間および第４の期間）が長く設定され、サブフィールドの点灯率が所定の閾値以上である場合に維持電極ＳＵをハイインピーダンス状態にする期間が短く設定される。【０１９９】
それにより、サブフィールドの点灯率が所定の閾値よりも低い場合に維持電極ＳＵに発生するランプ波形の波高値が、サブフィールドの点灯率が所定の閾値以上である場合に発生するランプ波形の波高値よりも大きくなる。【０２００】
これらより、以下の効果を得ることができる。サブフィールドの点灯率が所定の閾値よりも低い場合、そのサブフィールドで表示される画像は、黒の表示領域が大きくなる。したがって、パネル１上の放電面積が小さくなる。そのため、維持電極ＳＵがハイインピーダンス状態となる期間を長く設定し、初期化放電における電荷の調整量を少なくしても、後続の書込み期間で安定した書込み動作が行われる。したがって、点灯率が低い揚合には、維持電極ＳＵに印加するランプ波形電圧の印加タイミングを早くして、ランプ波形電圧の波高値を大きくする。その結果、初期化放電の発生が低減され、明瞭なハイコントラスト画像を得ることが可能となる。【０２０１】
一方、サブフィールドの点灯率が所定の閾値以上である場合、維持電極ＳＵがハイインピーダンス状態となる期間を短く設定し、初期化放電における電荷の調整量を多くする。これにより、後続の書込み期間で安定した書込み動作が行われる。したがって、点灯率が高い揚合には、維持電極ＳＵに印加するランプ波形電圧の印加タイミングを遅くして、ランプ波形電圧の波高値を小さくする。その結果、初期化期間における初期化放電の発生を低減するとともに、後続の書込み動作に必要な壁電荷が十分に調整される。【０２０２】
図９はサブフィールドの点灯率と維持電極ＳＵへのランプ波形の印加タイミングとの関連性の一例を示す図である。図９の説明においては、ランプ波形の波高値は、時間の変化とともに緩やかに上昇または下降するランプ波形の印加終了時における電圧値をいう。【０２０３】
本例では、サブフィールドの点灯率に応じて維持電極ＳＵのランプ波形の波高値が２段階に設定される。本例では、図８で説明した点灯率の閾値を５％に設定する。【０２０４】
図９に示すように、点灯率の閾値が５％以上である場合、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。【０２０５】
一方、点灯率の閾値が５％よりも低い場合、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。【０２０６】
本実施の形態において、図９に示されるタイミングおよび波高値は、一例であり、これらの値はパネルにおける走査電極ＳＣおよび維持電極ＳＵ間の放電開始電圧に応じて適宜設定することが好ましい。【０２０７】
本例において、各サブフィールドの点灯率が５％以上である状態から５％を下回る状態に変化する場合には、図９に示されるタイミングおよびランプ波形の波高値に応じてパネル１の駆動条件が変更される。【０２０８】
上記のようにパネル１の駆動条件が著しく変化すると、初期化期間の発光輝度の変化が視認される場合がある。そこで、このような駆動条件の変更は、輝度の変化が視認されないように、段階的に行われてもよい。【０２０９】
例えば、各サブフィールドの点灯率が５％以上である状態から５％を下回る状態に変化した場合、そのときのフィールドから１フィールドごとに、維持電極ＳＵをハイインピーダンス状態にするタイミングを２μｓずつずらすことにより、図９に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。【０２１０】
上記と同様に、サブフィールドの点灯率が５％を下回る状態から５％以上の状態に変化する場合にも、そのときのフィールドから１フィールドごとに、維持電極ＳＵをハイインピーダンス状態とするタイミングを２μｓずつずらすことにより、図９に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。【０２１１】
閾値にはヒステリシス幅が設定されてもよい。例えば、５％の閾値に、上下２％のヒステリシス幅を設ける。このように、ヒステリシス幅を設定することにより、以下のようにパネル１の駆動条件を変更することができる。【０２１２】
例えば、サブフィールドの点灯率が５％以上の状態から５％を下回る状態に変化する場合には、図９に示されるタイミングおよびランプ波形の波高値に応じてパネル１の駆動条件が変更されるが、その後、サブフィールドの点灯率が上昇する際には、点灯率が７％以上となるまでパネル１の駆動条件を変更しない。【０２１３】
このようなヒステリシス制御を行うことにより、例えば表示される画像のサブフィールドの点灯率が５％程度である場合に、画像の輝度が著しく切り替わることが防止される。それにより、初期化期間における発光輝度の変化が視認されることが十分に防止される。【０２１４】
なお、本実施の形態では、図９に示される閾値を用いてパネル１を駆動する旨を説明したが、これらの閾値は、パネル１の放電開始電圧に応じて最適に設定することが望ましい。また、本実施では、１つの閾値を設定する旨を説明したが、閾値は複数設定されてもよい。【０２１５】
本実施の形態では、全セル初期化サブフィールドが第１ＳＦに設定される例を説明したが、全セル初期化サブフィールドは第１ＳＦ以外のサブフィールド（例えば、第２ＳＦまたは第３ＳＦ等）に設定されてもよいし、複数のサブフィールドに設定されてもよい。【０２１６】
この場合、全セル初期化波形が挿入されたサブフィールドにおいて、走査電極ＳＣにランプ波形が印加される間に維持電極ＳＵにランプ波形を印加する。これにより、全セル初期化波形が挿入されたサブフィールドで、上記同様の効果を得ることができる。【０２１７】
また、複数のサブフィールドに全セル初期化波形が挿入される場合には、選択的に特定のサブフィールドにおいて、走査電極ＳＣにランプ波形が印加される間に維持電極ＳＵにランプ波形を印加してもよい。【０２１８】
本実施の形態では、維持電極ＳＵをハイインピーダンス状態とすることにより、維持電極ＳＵのランプ波形を得ている。これに限らず、走査電極ＳＣ用のランプ波形生成回路と同様の構成を維持電極ＳＵ用のランプ波形生成回路としてプラズマディスプレイ装置に設けてもよい。この場合、初期化期間において、走査電極ＳＣに与えるランプ波形と同じ傾きを有するランプ波形を容易に維持電極ＳＵに与えることができる。【０２１９】
初期化放電が安定しているパネル１を表示させる場合には、初期化期間における前半期間に、データ電極ＤＡにデータパルスＶｄを印加しなくてもよい。【０２２０】
［第２の実施の形態］
以下、第２の実施の形態に係るプラズマディスプレイ装置について、第１の実施の形態に係るプラズマディスプレイ装置と異なる点を説明する。【０２２１】
図１０は第２の実施の形態に係るプラズマディスプレイ装置の構成図である。図１０に示すように、本実施の形態に係るプラズマディスプレイ装置は、第１の実施の形態に係るプラズマディスプレイ装置の構成のうちの点灯率検出器２０Ａに代えて、ＡＰＬ検出器２０Ｂを備える。【０２２２】
ＡＰＬ検出器２０Ｂは、画像信号ｓｉｇのＡＰＬ（平均画像レベル）を検出し、検出したＡＰＬを示す信号をタイミング発生回路１５へ出力する。ここで、ＡＰＬとは、１フレームにおける画像信号ｓｉｇの輝度レベルの平均をいい、１画面の画像の全体的な明るさを表している。本実施の形態では、１フレームは１フィールドに等しい。【０２２３】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。【０２２４】
ここで、本実施の形態では、図１０のＡＰＬ検出器２０Ｂにより検出されるＡＰＬの値に応じてランプ波形の波高値を制御する。この理由について説明する。【０２２５】
本実施の形態に係るプラズマディスプレイ装置においては、ＡＰＬ検出回路２０により検出されるＡＰＬの値に応じて維持電極ＳＵに印加される維持パルスの数が変更される。【０２２６】
具体的には、ＡＰＬの値が低くなるほど、１フィールド当りの維持パルス数が増加される。これにより、電力が一定に保たれつつ、画像のコントラストが強調される。【０２２７】
したがって、前のフィールドでＡＰＬの値が低く維持パルス数が多いほど、次のフィールドの開始時点では、前のフィールドの維持放電に伴って放電セルＤＣ内部に発生するプライミングの量が多くなる。それにより、初期化期間における前半期間（図６）中、走査電極ＳＣと維持電極ＳＵとの間の放電開始電圧が低くなる。【０２２８】
すなわち、前のフィールドでＡＰＬの値が低い画像が表示される際には、初期化期間の前半期間中に、走査電極ＳＣと維持電極ＳＵとの間で放電が発生しやすくなる。なお、プライミングとは、放電のための起爆剤となる励起粒子をいう。【０２２９】
一方、ＡＰＬの値が高くなるほど、１フィールド当りの維持パルス数が減少される。この場合、前のフィールドでＡＰＬの値が高く維持パルス数が少ないほど、次のフィールドの開始時点では、前のフィールドの維持放電に伴って放電セルＤＣ内部に発生するプライミングの量が少なくなる。それにより、初期化期間における前半期間（図６）中、走査電極ＳＣと維持電極ＳＵとの間の放電開始電圧が高くなる。【０２３０】
すなわち、前のフィールドでＡＰＬの値が高い画像が表示される際には、初期化期間の前半期間中に、走査電極ＳＣと維持電極ＳＵとの間で放電が発生しにくくなる。【０２３１】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。【０２３２】
そのため、本願発明では、前半期間中に維持電極ＳＵに上りランプ波形を印加するタイミングを、ＡＰＬ検出器２０Ｂにより検出されるＡＰＬの値に応じて適宜制御する。それにより、維持電極ＳＵに印加される上りランプ波形の波高値を制御し、各電極ＳＣ，ＳＵ，ＤＡの壁電荷を調整するとともに、必要のない放電を減らす。【０２３３】
具体的には、例えば前のフィールドでＡＰＬの値が低い画像を表示する場合には放電開始電圧が低くなるので、前半期間中に維持電極ＳＵに上りランプ波形を印加するタイミングを早める。これにより、走査電極ＳＣと維持電極ＳＵとの間の初期化放電の期間が短縮され、上りランプ波形の波高値が大きくなる。それにより、前半期間における上りランプ波形の印加後に走査電極ＳＣおよび維持電極ＳＵに蓄積される壁電荷の量が過剰に多くなることが防止される。すなわち、走査電極ＳＣ上および維持電極ＳＵ上の壁電荷の量を減らすことができる。【０２３４】
この場合、書込み期間における書込み放電を安定して発生させるために、前半期間に続く後半期間では、前半期間終了時に走査電極ＳＣ上および維持電極ＳＵ上に蓄積された壁電荷の量に応じて維持電極ＳＵに下りランプ波形を印加するタイミングを早め、下りランプ波形の波高値を大きくする。これにより、前半期間で、走査電極ＳＣ上および維持電極ＳＵ上に蓄積された壁電荷が、後半期間における初期化放電により減りすぎることが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。【０２３５】
逆に、例えば前のフィールドでＡＰＬの値が高い画像を表示する場合には放電開始電圧が高くなるので、前半期間中に維持電極ＳＵに上りランプ波形を印加するタイミングを遅らせ、上りランプ波形の波高値を小さくする。これにより、走査電極ＳＣと維持電極ＳＵとの間の初期化放電の期間が長時間化される。それにより、前半期間における上りランプ波形の印加後に走査電極ＳＣおよび維持電極ＳＵに蓄積される壁電荷の量が過剰に少なくなることが防止される。すなわち、走査電極ＳＣ上および維持電極ＳＵ上の壁電荷の量を多くすることができる。【０２３６】
この場合、書込み期間における書込み放電を安定して発生させるために、前半期間に続く後半期間では、前半期間終了時に走査電極ＳＣ上および維持電極ＳＵ上に蓄積された壁電荷の量に応じて維持電極ＳＵに下りランプ波形を印加するタイミングを遅らせ、下りランプ波形の波高値を小さくする。これにより、前半期間で、走査電極ＳＣ上および維持電極ＳＵ上に蓄積された壁電荷が、後半期間における初期化放電により十分に減らすことができないことが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。【０２３７】
上記のように、ＡＰＬの値に応じて前半期間における維持電極ＳＵへの印加タイミングをずらして上りランプ波形の波高値を変化させる場合には、後半期間においても同様に、維持電極ＳＵへの印加タイミングを適宜ずらして下りランプ波形の波高値を適宜変化させる。これにより、書込み期間の書込み放電を安定して発生させることが可能となり、パネル１に良好な品質の画像を表示させることが可能となる。【０２３８】
ＡＰＬ検出器２０Ｂにより検出されるＡＰＬに応じて維持電極ＳＵの上りおよび下りのランプ波形の波高値を変更することは、初期化期間の発光輝度の変化が視認されないように、段階的に行われることが望ましい。この段階的変化は、初期化期間における発光輝度の変化が視認されないように行われることが好ましく、例えばヒステリシス機能を用いることができる。【０２３９】
第２の実施の形態に係るプラズマディスプレイ装置においても、第１の実施の形態において説明した図７の維持電極駆動回路１４と同じ構成を有する維持電極駆動回路１４（図１０）が用いられる。【０２４０】
図１１は第２の実施の形態に係るプラズマディスプレイ装置において図４の第１ＳＦの初期化期間に走査電極ＳＣおよび維持電極ＳＵに与えられる駆動電圧波形図ならびに維持電極駆動回路１４に与えられる制御信号のタイミング図である。【０２４１】
図１１の最上段に走査電極ＳＣの駆動電圧波形が示され、次の段に維持電極ＳＵの駆動電圧波形が示されている。【０２４２】
本実施の形態において、維持電極ＳＵに与えられる制御信号Ｓ１０２，Ｓ１０５は、ＡＰＬ検出器２０Ｂにより検出されるＡＰＬの値に応じて変化する。具体的には、ＡＰＬの値が低い場合と、中程度の場合と、高い場合とで制御信号Ｓ１０２，Ｓ１０５が異なる。【０２４３】
初めに、ＡＰＬの値が中程度の場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。【０２４４】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。【０２４５】
走査電極ＳＵへの上りランプ波形の印加開始から所定期間経過した後、時点ｔ１ａで、制御信号Ｓ１０２がローレベルとなる（太い実線部参照）。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。【０２４６】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。【０２４７】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。【０２４８】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。【０２４９】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。【０２５０】
その後、制御信号Ｓ１０５，Ｓ１０７がハイレベルとなる。これにより、維持電極ＳＵが電位Ｖｅに電圧Ｖｅ２を加算した電位Ｖｅ’で保持される。【０２５１】
続いて、ＡＰＬの値が低い場合について説明する。なお、図１１において、ＡＰＬの値が低い場合の制御信号Ｓ１０２，Ｓ１０５は太い一点鎖線で示されている。【０２５２】
ＡＰＬの値が低い場合、走査電極ＳＵへの上りランプ波形の印加開始から所定期間経過した後、時点ｔ１ｂで、制御信号Ｓ１０２がローレベルとなる（太い一点差鎖線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｈ5まで上昇する。【０２５３】
ここで、時点ｔ１ｂは、ＡＰＬの値が中程度の場合に制御信号Ｓ１０２がハイレベルからローレベルに切り替わる時点ｔ１ａよりも早くなるように設定される。そのため、ＡＰＬの値が低い場合には、ＡＰＬの値が中程度の場合に比べて維持電極ＳＵがハイインピーダンス状態となる期間が長時間化される（矢印ＰＩ３ｂで示される第３の期間参照）。その結果、維持電極ＳＵに印加される上りランプ波形の波高値（接地電位と電位Ｖｈ5との電位差）は、ＡＰＬの値が中程度の場合の波高値（接地電位と電位Ｖｉ5との電位差）よりも大きくなる。【０２５４】
また、走査電極ＳＵへの下りランプ波形の印加開始から所定期間経過した後、時点ｔ５ｂで、制御信号Ｓ１０５がローレベルとなる（太い一点鎖線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｈ6まで下降する。【０２５５】
ここで、時点ｔ５ｂは、ＡＰＬの値が中程度の場合に制御信号Ｓ１０２がハイレベルからローレベルに切り替わる時点ｔ５ａよりも早くなるように設定される。そのため、ＡＰＬの値が低い場合には、ＡＰＬの値が中程度の場合に比べて維持電極ＳＵがハイインピーダンス状態となる期間が長時間化される（矢印ＰＩ４ｂで示される第４の期間参照）。その結果、維持電極ＳＵに印加される下りランプ波形の波高値（電位Ｖｉ3と電位Ｖｈ6との電位差）は、ＡＰＬの値が中程度の場合の波高値（電位Ｖｉ3と電位Ｖｉ6との電位差）よりも大きくなる。【０２５６】
ＡＰＬの値が高い場合、走査電極ＳＵへの上りランプ波形の印加開始から所定期間経過した後、時点ｔ１ｃで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｌ5まで上昇する。【０２５７】
ここで、時点ｔ１ｃは、ＡＰＬの値が中程度の場合に制御信号Ｓ１０２がハイレベルからローレベルに切り替わる時点ｔ１ａよりも遅くなるように設定される。そのため、ＡＰＬの値が高い場合には、ＡＰＬの値が中程度の場合に比べて維持電極ＳＵがハイインピーダンス状態となる期間が短縮される（矢印ＰＩ３ｃで示される第３の期間参照）。その結果、維持電極ＳＵに印加される上りランプ波形の波高値（接地電位と電位Ｖｌ5との電位差）は、ＡＰＬの値が中程度の場合の波高値（接地電位と電位Ｖｉ5との電位差）よりも小さくなる。【０２５８】
また、走査電極ＳＵへの下りランプ波形の印加開始から所定期間経過した後、時点ｔ５ｃで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｌ6まで下降する。【０２５９】
ここで、時点ｔ５ｃは、ＡＰＬの値が中程度の場合に制御信号Ｓ１０２がハイレベルからローレベルに切り替わる時点ｔ５ａよりも遅くなるように設定される。そのため、ＡＰＬの値が高い場合には、ＡＰＬの値が中程度の場合に比べて維持電極ＳＵがハイインピーダンス状態となる期間が短縮される（矢印ＰＩ４ｃで示される第４の期間参照）。その結果、維持電極ＳＵに印加される下りランプ波形の波高値（電位Ｖｉ3と電位Ｖｌ6との電位差）は、ＡＰＬの値が中程度の場合の波高値（電位Ｖｉ3と電位Ｖｉ6との電位差）よりも小さくなる。【０２６０】
上記のように、本実施の形態に係るプラズマディスプレイ装置においては、ＡＰＬの値が低い場合と、中程度の場合と、高い場合とで維持電極ＳＵをハイインピーダンス状態にする期間（第３の期間および第４の期間）が互いに異なるように設定される。【０２６１】
すなわち、ＡＰＬの値が低い場合には維持電極ＳＵをハイインピーダンス状態にする期間が長く設定され、ＡＰＬの値が中程度の場合には維持電極ＳＵをハイインピーダンス状態にする期間が中程度に設定され、ＡＰＬの値が高い場合には維持電極ＳＵをハイインピーダンス状態にする期間が長く設定される。【０２６２】
それにより、ＡＰＬの値が低い場合に維持電極ＳＵに発生するランプ波形の波高値が、ＡＰＬの値が中程度の場合に発生するランプ波形の波高値よりも大きくなる。一方、ＡＰＬの値が高い場合に維持電極ＳＵに発生するランプ波形の波高値が、ＡＰＬの値が中程度の場合に発生するランプ波形の波高値よりも小さくなる。【０２６３】
上記のように、ＡＰＬの値に応じて、維持電極ＳＵをハイインピーダンス状態にする期間を変化させることにより、表示品質が向上されかつコントラストが向上された画像を得ることができる。【０２６４】
図１２はＡＰＬ検出器２０Ｂにより検出されるＡＰＬの値に応じて設定される維持電極ＳＵへのランプ波形の印加タイミングおよび波高値の一例を示す図である。図１２の説明においては、ランプ波形の波高値は、時間の変化とともに緩やかに上昇または下降するランプ波形の印加終了時における電圧値をいう。【０２６５】
本例では、ＡＰＬの値に応じて維持電極ＳＵへのランプ波形の印加タイミングおよび波高値が３段階で設定される。【０２６６】
図１２に示すように、ＡＰＬの値が０％以上１０％以下である場合（低い場合）、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。【０２６７】
続いて、ＡＰＬの値が１０％よりも高く３０％以下である場合（中程度の場合）、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。【０２６８】
ＡＰＬの値が３０％よりも高く１００％以下である場合（高い場合）、維持電極ＳＵに印加される上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。【０２６９】
本実施の形態において、図１２に示されるタイミングおよび波高値は、一例であり、これらの値はパネルにおける走査電極ＳＣおよび維持電極ＳＵ間の放電開始電圧に応じて適宜設定することが好ましい。【０２７０】
本例において、ＡＰＬの値が０％以上１０％以下の範囲内にある状態から１０％よりも高く３０％以下の範囲内にある状態に変化する場合には、図１２に示されるタイミングおよびランプ波形の波高値に応じてパネル１の駆動条件が変更される。【０２７１】
上記のようにパネル１の駆動条件が著しく変化すると、初期化期間の発光輝度の変化が視認される場合がある。そこで、このような駆動条件の変更は、輝度の変化が視認されないように、段階的に行われてもよい。【０２７２】
例えば、ＡＰＬの値が０％以上１０％以下の範囲内にある状態から１０％よりも高く３０％以下の範囲内にある状態に変化した場合、ＡＰＬの値が１０％よりも高く３０％以下の範囲内にある状態に変化したときのフィールドから１フィールドごとに、維持電極ＳＵをハイインピーダンス状態にするタイミングを２μｓずつずらすことにより、図１２に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。【０２７３】
上記と同様に、ＡＰＬの値が１０％よりも高く３０％以下の範囲内にある状態から３０％よりも高く１００％以下の範囲内にある状態に変化した場合、ＡＰＬの値が３０％よりも高く１００％以下の範囲内にある状態に変化したときのフィールドから１フィールドごとに、維持電極ＳＵをハイインピーダンス状態にするタイミングを２μｓずつずらすことにより、図１２に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。【０２７４】
ＡＰＬの値が３０％よりも高く１００％以下の範囲内にある状態から１０％よりも高く３０％以下の範囲内にある状態に変化した場合、およびＡＰＬの値が１０％よりも高く３０％以下の範囲内にある状態から０％以上１０％以下の範囲内にある状態に変化した場合についても上記と同様の処理を行う。その結果、輝度の変化が視認されることが十分に防止される。【０２７５】
上述のように、図１２の例においては、ＡＰＬの値が、０％以上１０％以下の範囲、１０％よりも高く３０％以下の範囲、および３０％よりも高く１００％以下の範囲のいずれの範囲に属するかに応じてパネル１の駆動条件が変更される。【０２７６】
本実施の形態においては、各範囲を区分する閾値にヒステリシス幅が設定されてもよい。図１２の例では、１０％および３０％が閾値に相当する。【０２７７】
例えば、３０％の閾値に、上下２％のヒステリシス幅を設ける。このように、ヒステリシス幅を設定することにより、以下のようにパネル１の駆動条件を変更することができる。【０２７８】
例えば、ＡＰＬの値が３０％よりも高い状態から３０％以下の状態に変化する場合には、図１２に示されるタイミングおよびランプ波形の波高値に応じてパネル１の駆動条件が変更されるが、その後、ＡＰＬの値が上昇する際には、ＡＰＬの値が３２％よりも高い状態となるまでパネル１の駆動条件を変更しない。【０２７９】
このようなヒステリシス制御を行うことにより、例えば表示される画像のＡＰＬの値が３０％程度である場合に、画像の輝度が著しく切り替わることが防止される。それにより、初期化期間における発光輝度の変化が視認されることが十分に防止される。【０２８０】
なお、本実施の形態では、図１２に示されるようにＡＰＬの値が３つの範囲のいずれに属するかに応じてパネル１を駆動する旨を説明したが、これらの範囲はパネル１の放電開始電圧に応じて最適に設定することが望ましい。また、本実施では、ＡＰＬの値について３つの範囲を設定する旨を説明したが、ＡＰＬの値の範囲は２つ設定されてもよいし、４つ設定されてもよい。【０２８１】
［第３の実施の形態］
以下、第３の実施の形態に係るプラズマディスプレイ装置について、第１の実施の形態に係るプラズマディスプレイ装置と異なる点を説明する。【０２８２】
図１３は第３の実施の形態に係るプラズマディスプレイ装置の構成図である。図１３に示すように、本実施の形態に係るプラズマディスプレイ装置は、第１の実施の形態に係るプラズマディスプレイ装置の構成のうちの点灯率検出器２０Ａに代えて、点灯時間検出器２０Ｃを備える。【０２８３】
点灯時間検出器２０Ｃは、画像信号ｓｉｇの入力状態を監視することによりパネル１における累積点灯時間を検出し、その値をタイミング発生回路１５に供給する。ここで、累積点灯時間とは、使用者によりプラズマディスプレイ装置の電源がオンされる状態、具体的にはパネル１が駆動状態にある時間の累積値をいう。以下の説明において、パネル１を駆動状態とする操作をオン操作と呼び、パネル１を非駆動状態とする操作をオフ操作と呼ぶ。【０２８４】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。【０２８５】
ここで、本実施の形態では、図１３の点灯時間検出器２０Ｃにより検出される累積点灯時間に応じてランプ波形の波高値を制御する。この理由について説明する。【０２８６】
一般に、プラズマディスプレイ装置においては、パネル１の累積点灯時間に応じて走査電極ＳＣと維持電極ＳＵとの間の放電開始電圧が変化する。具体的には、累積点灯時間が長くなるほど走査電極ＳＣと維持電極ＳＵとの間の放電開始電圧が高くなる。【０２８７】
この場合、第１ＳＦ（全セル初期化サブフィールド）の初期化期間における前半期間中に、走査電極ＳＣと維持電極ＳＵとの間で放電が発生しにくくなる。【０２８８】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。【０２８９】
そのため、本願発明では、前半期間中に維持電極ＳＵに上りランプ波形を印加するタイミングを、点灯時間検出器２０Ｃにより検出される累積点灯時間に応じて適宜制御する。それにより、維持電極ＳＵに印加される上りランプ波形の波高値を制御し、各電極ＳＣ，ＳＵ，ＤＡの壁電荷を調整する。【０２９０】
具体的には、例えば累積点灯時間が所定の閾値よりも長くなった場合に、放電開始電圧の上昇に応じて前半期間中に維持電極ＳＵに上りランプ波形を印加するタイミングを遅らせ、上りランプ波形の波高値を小さくする。【０２９１】
これにより、走査電極ＳＣと維持電極ＳＵとの間の初期化放電の期間が放電開始電圧の上昇に伴って短縮されることが防止される。それにより、前半期間における上りランプ波形の印加後に走査電極ＳＣおよび維持電極ＳＵに蓄積される壁電荷の量が過剰に少なくなることが防止される。【０２９２】
また、この場合、書込み期間における書込み放電を安定して発生させるために、後半期間中に維持電極ＳＵに下りランプ波形を印加するタイミングを遅らせ、下りランプ波形の波高値を小さくする。【０２９３】
これにより、前半期間で、走査電極ＳＣ上および維持電極ＳＵ上に蓄積された壁電荷が、後半期間における初期化放電により十分に減らすことができないことが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。【０２９４】
上記累積点灯時間に応じて維持電極ＳＵの上りおよび下りのランプ波形の波高値を変更するタイミングは、例えば累積点灯時間が所定の閾値よりも長くなった後、オフ操作が行われ、さらにその後オン操作されるタイミングで設定されることが好ましい。このように、維持電極ＳＵに印加するランプ波形の変更を、オン操作およびオフ操作のタイミングで行うことにより、初期化期間の発光輝度の変化が視認されにくくなる。【０２９５】
第３の実施の形態に係るプラズマディスプレイ装置においても、第１の実施の形態において説明した図７の維持電極駆動回路１４と同じ構成を有する維持電極駆動回路１４（図１３）が用いられる。【０２９６】
第３の実施の形態に係るプラズマディスプレイ装置の走査電極ＳＣおよび維持電極ＳＵは、例えば第１の実施の形態において説明した図８の駆動電圧波形を用いて駆動することができる。以下、走査電極ＳＣおよび維持電極ＳＵの動作、ならびに維持電極駆動回路１４（図１３）に与えられる制御信号について図８を参照しつつ説明する。【０２９７】
本実施の形態において、維持電極ＳＵに与えられる制御信号Ｓ１０２，Ｓ１０５は、点灯時間検出器２０Ｃにより検出される累積点灯時間に応じて変化する。具体的には、累積点灯時間が所定の閾値以下である場合と、累積点灯時間が所定の閾値よりも長い場合とで制御信号Ｓ１０２，Ｓ１０５が異なる。【０２９８】
初めに、累積点灯時間が所定の閾値以下である場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。【０２９９】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。【０３００】
走査電極ＳＵへの上りランプ波形の印加開始から所定期間経過した後、時点ｔ１ａで、制御信号Ｓ１０２がローレベルとなる（太い実線部参照）。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。【０３０１】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。【０３０２】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。【０３０３】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。【０３０４】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。【０３０５】
その後、制御信号Ｓ１０５，Ｓ１０７がハイレベルとなる。これにより、維持電極ＳＵが電位Ｖｅに電圧Ｖｅ２を加算した電位Ｖｅ’で保持される。【０３０６】
続いて、累積点灯時間が所定の閾値よりも長くなった場合について説明する。累積点灯時間が所定の閾値よりも長くなった場合、走査電極ＳＵへの上りランプ波形の印加開始から所定期間経過した後、時点ｔ１ｂで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｉ5’まで上昇する。【０３０７】
ここで、時点ｔ１ｂは、累積点灯時間が所定の閾値以下である場合に制御信号Ｓ１０２がハイレベルからローレベルに切り替わる時点ｔ１ａよりも遅くなるように設定される。そのため、累積点灯時間が所定の閾値よりも長い場合には、累積点灯時間が所定の閾値以下である場合に比べて維持電極ＳＵがハイインピーダンス状態となる期間が短縮される（矢印ＰＩ３’で示される第３の期間参照）。その結果、維持電極ＳＵに印加される上りランプ波形の波高値（接地電位と電位Ｖｉ5’との電位差）は、累積点灯時間が所定の閾値以下である場合の波高値（接地電位と電位Ｖｉ5との電位差）よりも小さくなる。【０３０８】
また、走査電極ＳＵへの下りランプ波形の印加開始から所定期間経過した後、時点ｔ５ｂで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｉ6’まで下降する。【０３０９】
ここで、時点ｔ５ｂは、累積点灯時間が所定の閾値以下である場合に制御信号Ｓ１０２がハイレベルからローレベルに切り替わる時点ｔ５ａよりも遅くなるように設定される。そのため、累積点灯時間が所定の閾値よりも長い場合には、累積点灯時間が所定の閾値以下である場合に比べて維持電極ＳＵがハイインピーダンス状態となる期間が短縮される（矢印ＰＩ４’で示される第４の期間参照）。その結果、維持電極ＳＵに印加される下りランプ波形の波高値（電位Ｖｉ3と電位Ｖｉ6’との電位差）は、累積点灯時間が所定の閾値以下である場合の波高値（電位Ｖｉ3と電位Ｖｉ6との電位差）よりも小さくなる。【０３１０】
上記のように、本実施の形態に係るプラズマディスプレイ装置においては、累積点灯時間が所定の閾値以下である場合に維持電極ＳＵをハイインピーダンス状態にする期間（第３の期間および第４の期間）が長く設定され、累積点灯時間が所定の閾値よりも長い場合に維持電極ＳＵをハイインピーダンス状態にする期間が短く設定される。これにより、表示品質が向上されかつコントラストが向上された画像を得ることができる。【０３１１】
図１４は点灯時間検出器２０Ｃにより検出される累積点灯時間に応じて設定される維持電極ＳＵへのランプ波形の印加タイミングおよび波高値の一例を示す図である。図１４の説明においては、ランプ波形の波高値は、時間の変化とともに緩やかに上昇または下降するランプ波形の印加終了時における電圧値をいう。【０３１２】
本例では、累積点灯時間に応じて維持電極ＳＵへのランプ波形の印加タイミングおよび波高値が３段階で設定される。【０３１３】
図１４に示すように、累積点灯時間が０時間以上５００時間以下である場合、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。【０３１４】
続いて、累積点灯時間が５００時間よりも長く１５００時間以下である場合、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。【０３１５】
累積点灯時間が１５００時間よりも長い場合、維持電極ＳＵに印加される上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。【０３１６】
本実施の形態において、図１４に示されるタイミングおよび波高値は一例であり、これらの値はパネル１における走査電極ＳＣおよび維持電極ＳＵ間の放電開始電圧に応じて適宜設定することが好ましい。【０３１７】
なお、本実施の形態では、図１４に示されるように累積点灯時間が３つの範囲のいずれに属するかに応じてパネル１を駆動する旨を説明したが、これらの範囲はパネル１の放電開始電圧に応じて最適に設定することが望ましい。また、本実施では、累積点灯時間について３つの範囲を設定する旨を説明したが、累積点灯時間の範囲は２つ設定されてもよいし、４つ設定されてもよい。【０３１８】
本実施の形態においては、累積点灯時間は、点灯時間検出器２０Ｃが画像信号ｓｉｇの入力状態を監視することにより検出される。これに代えて、累積点灯時間は、オン操作およびオフ操作を行うためのスイッチの切替信号を監視することにより検出してもよい。したがって、点灯時間検出器２０Ｃは、図１３に示される各構成と個別に設けられてもよい。【０３１９】
［第４の実施の形態］
以下、第４の実施の形態に係るプラズマディスプレイ装置について、第１の実施の形態に係るプラズマディスプレイ装置と異なる点を説明する。【０３２０】
図１５は第４の実施の形態に係るプラズマディスプレイ装置の構成図である。図１５に示すように、本実施の形態に係るプラズマディスプレイ装置は、第１の実施の形態に係るプラズマディスプレイ装置の構成のうちの点灯率検出器２０Ａに代えて、温度検出器２０Ｄを備える。【０３２１】
温度検出器２０Ｄは、パネル１の温度を検出し、その値をタイミング発生回路１５へ出力する。なお、温度検出器２０は、パネル１に接触するように設けられてもよく、パネル１から離間するように設けられてもよい。例えば、パネル１の背面側に取り付けられた回路基板上に温度検出器２０が設けられてもよい。【０３２２】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。【０３２３】
ここで、本実施の形態では、図１５の温度検出器２０Ｄにより検出されるパネル１の温度に応じてランプ波形の波高値を制御する。この理由について説明する。【０３２４】
一般に、プラズマディスプレイ装置においては、パネル１の温度に応じて走査電極ＳＣと維持電極ＳＵとの間の放電開始電圧が変化する。具体的には、パネル１の温度が低いほど、走査電極ＳＣと維持電極ＳＵとの間の放電開始電圧が高くなる。【０３２５】
この場合、第１ＳＦ（全セル初期化サブフィールド）の初期化期間における前半期間中に、走査電極ＳＣと維持電極ＳＵとの間で放電が発生しにくくなる。【０３２６】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。【０３２７】
そのため、本願発明では、前半期間中に維持電極ＳＵに上りランプ波形を印加するタイミングを、温度検出器２０Ｄにより検出されるパネル１の温度に応じて適宜制御する。それにより、維持電極ＳＵに印加される上りランプ波形の波高値を制御し、各電極ＳＣ，ＳＵ，ＤＡの壁電荷を調整する。【０３２８】
具体的には、例えばパネル１の温度が所定の閾値よりも低い場合に、放電開始電圧の高さに応じて前半期間中に維持電極ＳＵに上りランプ波形を印加するタイミングを遅らせ、上りランプ波形の波高値を小さくする。【０３２９】
これにより、放電開始電圧が高い場合でも、走査電極ＳＣと維持電極ＳＵとの間の初期化放電の期間を十分に長くすることができる。それにより、前半期間における上りランプ波形の印加後に走査電極ＳＣおよび維持電極ＳＵに蓄積される壁電荷の量が過剰に少なくなることが防止される。【０３３０】
また、この場合、書込み期間における書込み放電を安定して発生させるために、後半期間中に維持電極ＳＵに下りランプ波形を印加するタイミングを遅らせ、下りランプ波形の波高値を小さくする。【０３３１】
なお、パネル１の温度に応じて維持電極ＳＵに印加されるランプ波形の波高値を変更することは、初期化期間の発光輝度の変化が視認されないように、段階的に行われることが望ましい。また、この段階的変化は、初期化期間における発光輝度の変化が視認されないように行われることが好ましく、例えばヒステリシス機能を用いることができる。【０３３２】
第４の実施の形態に係るプラズマディスプレイ装置においても、第１の実施の形態において説明した図７の維持電極駆動回路１４と同じ構成を有する維持電極駆動回路１４（図１５）が用いられる。【０３３３】
第４の実施の形態に係るプラズマディスプレイ装置の走査電極ＳＣおよび維持電極ＳＵは、例えば第１の実施の形態において説明した図８の駆動電圧波形を用いて駆動することができる。以下、走査電極ＳＣおよび維持電極ＳＵの動作、ならびに維持電極駆動回路１４（図１３）に与えられる制御信号について図８を参照しつつ説明する。【０３３４】
本実施の形態において、パネル１の温度が高い場合には、走査電極ＳＵへの上りランプ波形の印加開始から所定期間経過した後、例えば時点ｔ１ａで制御信号Ｓ１０２がローレベルとなる。これにより、維持電極ＳＵが時点ｔ１ａから時点ｔ２までの第３の期間ＰＩ３にハイインピーダンス状態となる。【０３３５】
一方、パネル１の温度が低い場合には、例えば時点ｔ１ａよりも遅い時点ｔ１ｂで、制御信号Ｓ１０２がローレベルとなる。これにより、維持電極ＳＵが時点１ｂから時点ｔ２までの第３の期間（図８の矢印ＰＩ３’）にハイインピーダンス状態となる。【０３３６】
このように、パネル１の温度に応じて制御信号Ｓ１０２が切り換えられることにより、パネル１の温度が低い場合には、パネル１の温度が高い場合に比べて前半期間において維持電極ＳＵがハイインピーダンス状態となる期間が短縮される。それにより、パネル１の温度が低い場合に維持電極ＳＵに発生する上りランプ波形の波高値は、パネル１の温度が高い場合に維持電極ＳＵに発生する上りランプ波形の波高値よりも小さくなる。【０３３７】
また、パネル１の温度が高い場合には、走査電極ＳＵへの下りランプ波形の印加開始から所定期間経過した後、例えば時点ｔ５ａで制御信号Ｓ１０５がローレベルとなる。これにより、維持電極ＳＵが時点ｔ５ａから時点ｔ６までの第４の期間ＰＩ４にハイインピーダンス状態となる。【０３３８】
一方、パネル１の温度が低い場合には、例えば時点ｔ５ａよりも遅い時点ｔ５ｂで、制御信号Ｓ１０５がローレベルとなる。これにより、維持電極ＳＵが時点５ｂから時点ｔ６までの第４の期間（図８の矢印ＰＩ４’）にハイインピーダンス状態となる。【０３３９】
このように、パネル１の温度に応じて制御信号Ｓ１０５が切り換えられることにより、パネル１の温度が低い場合には、パネル１の温度が高い場合に比べて前半期間において維持電極ＳＵがハイインピーダンス状態となる期間が短縮される。それにより、パネル１の温度が低い場合に維持電極ＳＵに発生する下りランプ波形の波高値は、パネル１の温度が高い場合に維持電極ＳＵに発生する下りランプ波形の波高値よりも小さくなる。【０３４０】
上記のように、本実施の形態に係るプラズマディスプレイ装置においては、パネル１の温度が低い場合に維持電極ＳＵをハイインピーダンス状態にする期間（第３の期間および第４の期間）が短く設定される。これにより、パネル１の温度が低いほど、維持電極ＳＵに発生するランプ波形の波高値が小さくなる。その結果、パネル１の温度変化に関わらず、表示品質の良好な画像を常時表示させることが可能となる。【０３４１】
なお、本実施の形態においては、パネル１の温度に関して１または複数の閾値を設け、その閾値を基準として維持電極ＳＵのランプ波形の波高値を変更してもよい。【０３４２】
図１６は温度検出器２０Ｄにより検出される温度に応じて設定される維持電極ＳＵへのランプ波形の印加タイミングおよび波高値の一例を示す図である。図１６の説明においては、ランプ波形の波高値は、時間の変化とともに緩やかに上昇または下降するランプ波形の印加終了時における電圧値をいう。【０３４３】
本例では、ＡＰＬの値に応じて維持電極ＳＵへのランプ波形の印加タイミングおよび波高値が３段階で設定される。【０３４４】
図１６に示すように、パネル１の温度が５℃以下である場合、維持電極ＳＵに発生する上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。【０３４５】
パネル１の温度が５℃よりも高く２５℃以下である場合、維持電極ＳＵに発生する上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。【０３４６】
パネル１の温度が２５℃よりも高い場合、維持電極ＳＵに発生する上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。【０３４７】
なお、パネル１の駆動条件の変更は、輝度の変化が視認されないように、段階的に行われてもよい。【０３４８】
例えば、パネル１の温度が５℃以下である状態から５℃よりも高い状態に変化した場合、そのときのフィールドから１フィールドごとに、維持電極ＳＵをハイインピーダンス状態にするタイミングを２μｓずつ遅らせることにより、図１６に示される所望のタイミングに変更する。【０３４９】
同様に、パネル１の温度が５℃以上の状態から５℃より低い状態に変化した場合、そのときのフィールドから１フィールドごとに、維持電極ＳＵをハイインピーダンス状態にするタイミングを２μｓずつ早めることにより、図１６に示される所望のタイミングに変更する。【０３５０】
このように、フィールド毎に段階的にタイミングをずらすことにより、波高値が徐々に所望のタイミングに近づくように変更される。その結果、輝度の変化が視認されることが十分に防止される。【０３５１】
本実施の形態においては、上記の各範囲を区分する閾値にヒステリシス幅が設定されてもよい。図１６の例では、５℃および２５℃が閾値に相当する。【０３５２】
例えば、５℃の閾値に、上下２℃のヒステリシス幅を設ける。このように、ヒステリシス幅を設定することにより、以下のようにパネル１の駆動条件を変更することができる。【０３５３】
例えば、パネル１の温度が５℃よりも高い状態から５℃以下の状態に変化する場合には、図１６に示されるタイミングおよびランプ波形の波高値に応じてパネル１の駆動条件が変更されるが、その後、パネル１の温度が上昇する際には、パネル１の温度が７℃よりも高くなるまでパネル１の駆動条件を変更しない。【０３５４】
このようなヒステリシス制御を行うことにより、例えばパネル１の温度が５℃程度または２５℃程度である場合に、画像の輝度が著しく切り替わることが防止される。それにより、初期化期間における発光輝度の変化が視認されることが十分に防止される。【０３５５】
［請求項の各構成要素と実施の形態の各要素との対応］
以下、請求項の各構成要素と実施の形態の各要素との対応の例について説明するが、本発明は下記の例に限定されない。【０３５６】
第１〜第４の実施の形態においては、電位Ｖｉ1が第１の電位の例であり、電位Ｖｉ2が第２の電位の例であり、電位Ｖｉ1からＶｉ2に上昇するランプ波形が第１のランプ波形の例であり、電位Ｖｉ3が第３の電位の例であり、電位Ｖｉ4が第４の電位の例であり、電位Ｖｉ3からＶｉ4に下降するランプ波形が第２のランプ波形の例である。【０３５７】
また、接地電位が第５の電位の例であり、電位Ｖｉ5，Ｖｉ5’，Ｖｈ5，Ｖｌ5が第６の電位の例であり、正の電位Ｖｅが第７の電位の例であり、電位Ｖｉ6，Ｖｉ6’，Ｖｈ6，Ｖｌ6が第８の電位の例である。【０３５８】
請求項の各構成要素として、請求項に記載されている構成または機能を有する他の種々の要素を用いることもできる。
【産業上の利用可能性】
【０３５９】
本発明は、種々の画像を表示する表示装置に利用することができる。
【図１】
2008066084.tif 000003
【図２】
2008066084.tif 000004
【図３】
2008066084.tif 000005
【図４】
2008066084.tif 000006
【図５】
2008066084.tif 000007
【図６】
2008066084.tif 000008
【図７】
2008066084.tif 000009
【図８】
2008066084.tif 000010
【図９】
2008066084.tif 000011
【図１０】
2008066084.tif 000012
【図１１】
2008066084.tif 000013
【図１２】
2008066084.tif 000014
【図１３】
2008066084.tif 000015
【図１４】
2008066084.tif 000016
【図１５】
2008066084.tif 000017
【図１６】
2008066084.tif 000018
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
複数の走査電極および維持電極と複数のデータ電極との交差部に複数の放電セルを有するプラズマディスプレイパネルと、
前記プラズマディスプレイパネルを１フィールド期間が複数のサブフィールドを含むサブフィールド法で駆動する駆動装置とを備え、
前記駆動装置は、
前記複数の走査電極を駆動する走査電極駆動回路と、
前記複数の維持電極を駆動する維持電極駆動回路とを備え、
前記走査電極駆動回路は、前記複数のサブフィールドのうち少なくとも１つのサブフィールドの初期化期間内における第１の期間で前記複数の走査電極に第１の電位から第２の電位に上昇する第１のランプ波形を印加し、前記第１の期間に続く第２の期間で前記複数の走査電極に第３の電位から第４の電位に下降する第２のランプ波形を印加し、
前記維持電極駆動回路は、前記第１の期間内における前記第１の期間よりも短い第３の期間で前記複数の維持電極に第５の電位から第６の電位に上昇する第３のランプ波形を印加し、前記第２の期間内における前記第２の期間よりも短い第４の期間で前記複数の維持電極に第７の電位から第８の電位に下降する第４のランプ波形を印加し、前記プラズマディスプレイパネルの状態に基づいて前記第３のランプ波形の波高値および前記第４のランプ波形の波高値を変更する、プラズマディスプレイ装置。
【請求項２】
前記プラズマディスプレイパネルの状態として前記プラズマディスプレイパネルの点灯率を検出する検出部をさらに備え、
前記維持電極駆動回路は、前記検出部により検出される点灯率に基づいて前記第３のランプ波形の波高値および前記第４のランプ波形の波高値を変更する、請求項１記載のプラズマディスプレイ装置。
【請求項３】
前記プラズマディスプレイパネルの状態として前記プラズマディスプレイパネルに表示される画像の平均輝度レベルを検出する検出部をさらに備え、
前記維持電極駆動回路は、前記検出部により検出される平均輝度レベルに基づいて前記第３のランプ波形の波高値および前記第４のランプ波形の波高値を変更する、請求項１記載のプラズマディスプレイ装置。
【請求項４】
前記維持電極駆動回路は、前記検出部により検出される平均輝度レベルが低いほど前記第３のランプ波形の波高値および前記第４のランプ波形の波高値を高くする、請求項３記載のプラズマディスプレイ装置。
【請求項５】
前記プラズマディスプレイパネルの状態として前記プラズマディスプレイパネルの累積点灯時間を検出する検出部をさらに備え、
前記維持電極駆動回路は、前記検出部により検出される累積点灯時間に基づいて前記第３のランプ波形の波高値および前記第４のランプ波形の波高値を変更する、請求項１記載のプラズマディスプレイ装置。
【請求項６】
前記プラズマディスプレイパネルの状態として前記プラズマディスプレイパネルの温度を検出する検出部をさらに備え、
前記維持電極駆動回路は、前記検出部により検出される温度に基づいて前記第３のランプ波形の波高値および前記第４のランプ波形の波高値を変更する、請求項１記載のプラズマディスプレイ装置。
【請求項７】
前記維持電極駆動回路は、前記第３の期間および前記第４の期間で前記複数の維持電極をフローティング状態にする、請求項１記載のプラズマディスプレイ装置。
【請求項８】
複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、
前記複数のサブフィールドのうち少なくとも１つのサブフィールドの初期化期間内における第１の期間で前記複数の走査電極に第１の電位から第２の電位に上昇する第１のランプ波形を印加するステップと、
前記第１の期間に続く第２の期間で前記複数の走査電極に第３の電位から第４の電位に下降する第２のランプ波形を印加するステップと、
前記第１の期間内における前記第１の期間よりも短い第３の期間で前記複数の維持電極に第５の電位から第６の電位に上昇する第３のランプ波形を印加するステップと、
前記第２の期間内における前記第２の期間よりも短い第４の期間で前記複数の維持電極に第７の電位から第８の電位に下降する第４のランプ波形を印加するステップと、
前記プラズマディスプレイパネルの状態に基づいて前記第３のランプ波形の波高値および前記第４のランプ波形の波高値を変更するステップとを備えた、プラズマディスプレイパネルの駆動方法。
【請求項９】
複数の走査電極および維持電極と複数のデータ電極との交差部に複数の放電セルを有するプラズマディスプレイパネルと、
前記プラズマディスプレイパネルを１フィールド期間が複数のサブフィールドを含むサブフィールド法で駆動する駆動装置とを備え、
前記駆動装置は、
前記複数の走査電極を駆動する走査電極駆動回路と、
前記複数の維持電極を駆動する維持電極駆動回路とを備え、
前記走査電極駆動回路は、前記複数のサブフィールドのうち少なくとも１つのサブフィールドの初期化期間内における前半期間で前記複数の走査電極に上昇する第１のランプ波形を印加し、前記前半期間に続く後半期間で前記複数の走査電極に下降する第２のランプ波形を印加し、
前記維持電極駆動回路は、前記前半期間で前記複数の維持電極に上昇する第３のランプ波形を印加し、前記後半期間で前記複数の維持電極に下降する第４のランプ波形を印加し、前記プラズマディスプレイパネルの状態に基づいて前記第３のランプ波形の波高値および前記第４のランプ波形の波高値を変更する、プラズマディスプレイ装置。
【請求項１０】
複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、
前記複数のサブフィールドのうち少なくとも１つのサブフィールドの初期化期間内における前半期間で前記複数の走査電極に上昇する第１のランプ波形を印加するステップと、
前記前半期間に続く後半期間で前記複数の走査電極に下降する第２のランプ波形を印加するステップと、
前記前半期間内において前記複数の維持電極に上昇する第３のランプ波形を印加するステップと、
前記後半期間内において前記複数の維持電極に下降する第４のランプ波形を印加するステップと、
前記プラズマディスプレイパネルの状態に基づいて前記第３のランプ波形の波高値および前記第４のランプ波形の波高値を変更するステップとを備えた、プラズマディスプレイパネルの駆動方法。
【手続補正２】
【補正対象書類名】明細書
【補正対象項目名】全文
【補正方法】変更
【補正の内容】
【発明の詳細な説明】
【技術分野】
【０００１】
本発明は、プラズマティスプレイ装置およびその駆動方法に関する。
【背景技術】
【０００２】
プラズマディスプレイパネル（以下、パネルと略記する）として代表的な交流面放電型パネルにおいては、対向配置された前面板と背面板との間に多数の放電セルが形成されている。
【０００３】
前面板は、前面ガラス基板、一対の走査電極と維持電極とからなる表示電極、誘電体層および保護層を含む。複数の表示電極が、互いに平行となるように前面ガラス基板上に形成されている。それらの表示電極を覆うように、誘電体層および保護層が前面ガラス基板上に形成されている。
【０００４】
背面板は、背面ガラス基板、データ電極、誘電体層、隔壁および蛍光体層を含む。複数のデータ電極が、互いに平行となるように背面ガラス基板上に形成されている。それらのデータ電極を覆うように、誘電体層が背面ガラス基板上に形成されている。さらに、誘電体層上には、複数のデータ電極と平行となるように複数の隔壁が形成されている。誘電体層の表面および隔壁の側面には、蛍光体層が形成されている。
【０００５】
そして、複数の表示電極と複数のデータ電極とが立体交差するように、前面板と背面板とが対向配置される。前面板と背面板との間に放電空間が形成される。放電空間には放電ガスが封入されている。ここで、表示電極とデータ電極とが対向する部分に放電セルが形成される。このような構成のパネルにおいては、各放電セル内でガス放電により紫外線が発生する。この紫外線によりＲ（赤）、Ｇ（緑）およびＢ（青）各色の蛍光体が励起発光することによりカラー表示が行われる。
【０００６】
パネルを駆動する方法としてはサブフィールド法が用いられている。また、サブフィールド法の中でも、階調表示に関係しない発光を極力減らすことによりコントラスト比を向上させる新規な駆動方法が特開２０００−２４２２２４号公報（以下、特許文献１と記す）に開示されている。
【０００７】
以下の説明において、１フィールド期間は初期化期間、書込み期間および維持期間を有するＮ個のサブフィールドに分割される。分割されたＮ個のサブフィールドを、それぞれ第１ＳＦ、第２ＳＦ、・・・、および第ＮＳＦと略記する。特許文献１の駆動方法によれば、これらＮ個のサブフィールドのうち第１ＳＦを除くサブフィールドにおいては、前のサブフィールドの維持期間中に点灯した放電セルでのみ初期化動作が行われる。
【０００８】
具体的には、第１ＳＦの初期化期間の前半部（第１の期間）では、走査電極に緩やかに上昇するランプ波形を印加することにより微弱放電を発生させ、書込み動作に必要な壁電荷を各電極上に形成する。このとき、後で壁電荷の最適化を図ることを見越して過剰に壁電荷を形成しておく。続いて、初期化期間の後半部（第２の期間）では、走査電極に緩やかに下降するランプ波形を印加することにより再び微弱放電を発生させる。これにより、各電極上に過剰に蓄えられた壁電荷を弱めることにより、各放電セルにおける壁電荷量が適切な量に調整される。
【０００９】
第１ＳＦの書込み期間では、発光させるべき放電セルにおいて書込み放電を発生させる。そして、第１ＳＦの維持期間では、走査電極および維持電極に維持パルスを印加することにより、書込み放電を起こした放電セルにおいて維持放電を発生させ、対応する放電セルの蛍光体層を発光させることにより画像表示が行われる。
【００１０】
続く第２ＳＦの初期化期間では、第１ＳＦの初期化期間の後半部と同様の駆動波形、すなわち走査電極に緩やかに下降するランプ波形を印加する。これにより、書込み動作に必要な壁電荷形成が維持放電と同時に行われる。それにより、第２ＳＦの初期化期間に、第１ＳＦの初期化期間と同様の前半部を独立に設ける必要がなくなる。
【００１１】
上記のように、走査電極に緩やかに下降するランプ波形が印加されることにより、第１ＳＦにおいて維持放電を行った放電セルで微弱放電が発生する。これにより、各電極上に過剰に蓄えられた壁電荷が弱められ、各々の放電セルに対して適切な壁電荷に調整される。また、維持放電が発生しなかった放電セルでは、第１ＳＦの初期化期間終了時における壁電荷が保たれているので、微弱放電が発生しない。
【００１２】
このように、第１ＳＦの初期化動作は全ての放電セルを放電させる全セル初期化動作であり、第２ＳＦ以降の初期化動作は維持放電を行った放電セルのみ初期化する選択初期化動作である。したがって、全ての放電セルのうちの画像表示に関係しない放電セル（発光しない放電セル）では、第１ＳＦの初期化期間でのみ微弱放電が発生し、他のＳＦの初期化期間で微弱放電が発生しない。その結果、コントラストの高い画像表示が可能となる。
【００１３】
また、上記の全セル初期化動作を行う際の初期化放電を安定化させる方法として、第１の期間にデータ電極にデータパルスを印加する駆動方法が特開２００５−３２１６８０号公報（以下、特許文献２と記す）に開示されている。特許文献２の駆動方法によれば、全セル初期化期間の第１の期間において、データ電極に正のデータ電圧を印加し、走査電極とデータ電極間よりも先に走査電極と維持電極と間の放電を発生させることにより初期化放電を安定化し、良好な品質で画像表示を行うことが可能となる。
【００１４】
さらに、この全セル初期化動作において、不必要な放電を抑制し、コントラストを高める方法が特開２００４−１６３８８４号公報（以下、特許文献３と記す）に開示されている。
【００１５】
特許文献３の駆動方法によれば、第１の期間において、走査電極に緩やかに上昇するランプ波形が印加される一部の期間で、維持電極が接地端子およびノードから切り離される（ハイインピーダンス状態）。この場合、走査電極へのランプ波形の印加とともに、維持電極にもランプ波形が印加される。これにより、走査電極と維持電極との間の電位差が小さくなり、不必要な放電が抑制され、コントラストが高められる。
【特許文献１】特開２０００−２４２２２４号公報
【特許文献２】特開２００５−３２１６８０号公報
【特許文献３】特開２００４−１６３８８４号公報
【発明の開示】
【発明が解決しようとする課題】
【００１６】
近年、パネルの高精細度化、大画面化に伴い放電セル数が増加している。そのため、上述の初期化動作時に電荷調整が最適に行われない場合には、画像表示の不具合が発生する。
【００１７】
上述のように、特許文献２の駆動方法においては、全セル初期化動作時に、走査電極と維持電極との間、または走査電極とデータ電極との間で電荷調整が行われる。走査電極の電荷調整は、走査電極に印加されるランプ波形によって同時に行われる。
【００１８】
このとき、初期化放電の第１の期間でデータ電極にデータパルスが印加される。この場合、走査電極とデータ電極との間の電位差が小さくなる。それにより、走査電極とデータ電極との間の放電よりも走査電極と維持電極間の放電が先に発生する。これにより、初期化放電が安定化される。
【００１９】
そのため、第１の期間における走査電極の上りランプ波形の波高値は、データ電極に印加されたデータパルスの電圧との間の電位差が走査電極とデータ電極との間の壁電荷を十分に蓄積することが可能な値に設定される必要がある。
【００２０】
一方、第１の期間でデータ電極にデータパルスが印加されている際には、維持電極が０Ｖに接地されている。そのため、第１の期間における走査電極の上りランプの波高値を大きくすると、走査電極と維持電極との間の電位差が大きくなり、強い放電が発生する。その結果、コントラストが低下する。
【００２１】
これに対し、特許文献３の駆動方法のように、第１の期間における走査電極へのランプ波形の印加中に、維持電極をハイインピーダンス状態にして維持電極にランプ波形を印加する場合、走査電極と維持電極との間の電位差が著しく大きくなることが抑制される。その結果、強い放電の発生が抑制され、コントラストが向上する。
【００２２】
しかしながら、この場合、維持電極に蓄積される壁電荷が減少するので、初期化期間の次の書込み期間での書込み放電が不安定になる。その結果、画像表示の不具合が発生する。
【００２３】
本発明の目的は、画像のコントラストが十分に向上されるとともに、画像表示の不具合が十分に防止されたプラズマディスプレイ装置およびその駆動方法を提供することである。
【課題を解決するための手段】
【００２４】
（１）本発明の一局面に従うプラズマディスプレイ装置は、複数の走査電極および維持電極と複数のデータ電極との交差部に複数の放電セルを有するプラズマディスプレイパネルと、プラズマディスプレイパネルを１フィールド期間が複数のサブフィールドを含むサブフィールド法で駆動する駆動装置とを備え、駆動装置は、複数の走査電極を駆動する走査電極駆動回路と、複数の維持電極を駆動する維持電極駆動回路とを備え、走査電極駆動回路は、複数のサブフィールドのうち少なくとも１つのサブフィールドの初期化期間内における第１の期間で複数の走査電極に第１の電位から第２の電位に上昇する第１のランプ波形を印加し、第１の期間に続く第２の期間で複数の走査電極に第３の電位から第４の電位に下降する第２のランプ波形を印加し、維持電極駆動回路は、第１の期間内における第１の期間よりも短い第３の期間で複数の維持電極に第５の電位から第６の電位に上昇する第３のランプ波形を印加し、第２の期間内における第２の期間よりも短い第４の期間で複数の維持電極に第７の電位から第８の電位に下降する第４のランプ波形を印加し、プラズマディスプレイパネルの状態に基づいて第３のランプ波形の波高値および第４のランプ波形の波高値を変更するものである。
【００２５】
このプラズマディスプレイ装置においては、複数のサブフィールドのうち少なくとも１つのサブフィールドの初期化期間内における第１の期間で、走査電極駆動回路により複数の走査電極に第１の電位から第２の電位に上昇する第１のランプ波形が印加される。そして、第１の期間内における第１の期間よりも短い第３の期間で、維持電極駆動回路により複数の維持電極に第５の電位から第６の電位に上昇する第３のランプ波形が印加される。
【００２６】
これにより、第３の期間では、複数の走査電極と複数の維持電極との間の電位差が大きくなることが抑制される。そのため、複数の走査電極と複数の維持電極との間で初期化放電が発生しない。したがって、第１の期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。
【００２７】
また、第１の期間に続く第２の期間で初期化放電のために複数の走査電極に第３の電位から第４の電位に下降する第２のランプ波形が印加される。そして、第２の期間内における第２の期間よりも短い第４の期間で、維持電極駆動回路により複数の維持電極に第７の電位から第８の電位に下降する第４のランプ波形が印加される。
【００２８】
これにより、第４の期間では、複数の走査電極と複数の維持電極との間の電位差が大きくなることが抑制される。そのため、複数の走査電極と複数の維持電極との間で初期化放電が発生しない。したがって、第２の期間における初期化放電の発生期間が短縮されるので、第１の期間で複数の走査電極および複数の維持電極に蓄積された壁電荷の減少量が少なくなる。
【００２９】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。
【００３０】
それにより、複数の走査電極上および複数の維持電極上の壁電荷を十分に書込み放電に適した値に調整することができる。
【００３１】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００３２】
（２）プラズマディスプレイ装置は、プラズマディスプレイパネルの状態としてプラズマディスプレイパネルの点灯率を検出する検出部をさらに備え、維持電極駆動回路は、検出部により検出される点灯率に基づいて第３のランプ波形の波高値および第４のランプ波形の波高値を変更してもよい。
【００３３】
この場合、プラズマディスプレイパネルの点灯率に基づいて第３のランプ波形の波高値および第４のランプ波形の波高値を変更することにより、点灯率に応じて走査電極と維持電極との間での壁電荷の制御および走査電極とデータ電極との間での壁電荷の制御をそれぞれ独立に行うことができる。
【００３４】
それにより、複数の走査電極上および複数の維持電極上の壁電荷を十分に書込み放電に適した値に調整することができる。
【００３５】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００３６】
（３）プラズマディスプレイ装置は、プラズマディスプレイパネルの状態としてプラズマディスプレイパネルに表示される画像の平均輝度レベルを検出する検出部をさらに備え、維持電極駆動回路は、検出部により検出される平均輝度レベルに基づいて第３のランプ波形の波高値および第４のランプ波形の波高値を変更してもよい。
【００３７】
この場合、プラズマディスプレイパネルに表示される画像の平均輝度レベルに基づいて第３のランプ波形の波高値および第４のランプ波形の波高値を変更することにより、平均輝度レベルに応じて走査電極と維持電極との間での壁電荷の制御および走査電極とデータ電極との間での壁電荷の制御をそれぞれ独立に行うことができる。
【００３８】
それにより、複数の走査電極上および複数の維持電極上の壁電荷を十分に書込み放電に適した値に調整することができる。
【００３９】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００４０】
（４）維持電極駆動回路は、検出部により検出される平均輝度レベルが低いほど第３のランプ波形の波高値および第４のランプ波形の波高値を高くしてもよい。
【００４１】
この場合、平均輝度レベルが低い場合に、初期化期間の発光輝度が十分に低減される。したがって、低輝度の映像においてもコントラストが十分に向上される。
【００４２】
（５）プラズマディスプレイ装置は、プラズマディスプレイパネルの状態としてプラズマディスプレイパネルの累積点灯時間を検出する検出部をさらに備え、維持電極駆動回路は、検出部により検出される累積点灯時間に基づいて第３のランプ波形の波高値および第４のランプ波形の波高値を変更してもよい。
【００４３】
この場合、プラズマディスプレイパネルの累積点灯時間に基づいて第３のランプ波形の波高値および第４のランプ波形の波高値を変更することにより、累積点灯時間に応じて走査電極と維持電極との間での壁電荷の制御および走査電極とデータ電極との間での壁電荷の制御をそれぞれ独立に行うことができる。
【００４４】
それにより、複数の走査電極上および複数の維持電極上の壁電荷を十分に書込み放電に適した値に調整することができる。
【００４５】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００４６】
（６）プラズマディスプレイ装置は、プラズマディスプレイパネルの状態としてプラズマディスプレイパネルの温度を検出する検出部をさらに備え、維持電極駆動回路は、検出部により検出される温度に基づいて第３のランプ波形の波高値および第４のランプ波形の波高値を変更してもよい。
【００４７】
この場合、プラズマディスプレイパネルの温度に基づいて第３のランプ波形の波高値および第４のランプ波形の波高値を変更することにより、温度に応じて走査電極と維持電極との間での壁電荷の制御および走査電極とデータ電極との間での壁電荷の制御をそれぞれ独立に行うことができる。
【００４８】
それにより、複数の走査電極上および複数の維持電極上の壁電荷を十分に書込み放電に適した値に調整することができる。
【００４９】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００５０】
（７）維持電極駆動回路は、第３の期間および第４の期間で複数の維持電極をフローティング状態にしてもよい。
【００５１】
複数の維持電極がフローティング状態になると、複数の維持電極の電位は、容量結合により複数の走査電極の電位変化に従って変化する。これにより、第３の期間および第４の期間においては、複数の維持電極の電位が、複数の走査電極に印加される第１のランプ波形および第２のランプ波形に従って変化する。
【００５２】
したがって、簡単な回路構成で、複数の維持電極に第３のランプ波形および第４のランプ波形を印加することができる。その結果、コストの上昇が抑制される。
【００５３】
（８）本発明の他の局面に従うプラズマディスプレイパネルの駆動方法は、複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、複数のサブフィールドのうち少なくとも１つのサブフィールドの初期化期間内における第１の期間で複数の走査電極に第１の電位から第２の電位に上昇する第１のランプ波形を印加するステップと、第１の期間に続く第２の期間で複数の走査電極に第３の電位から第４の電位に下降する第２のランプ波形を印加するステップと、第１の期間内における第１の期間よりも短い第３の期間で複数の維持電極に第５の電位から第６の電位に上昇する第３のランプ波形を印加するステップと、第２の期間内における第２の期間よりも短い第４の期間で複数の維持電極に第７の電位から第８の電位に下降する第４のランプ波形を印加するステップと、プラズマディスプレイパネルの状態に基づいて第３のランプ波形の波高値および第４のランプ波形の波高値を変更するステップとを備えたものである。
【００５４】
このプラズマディスプレイパネルの駆動方法においては、複数のサブフィールドのうち少なくとも１つのサブフィールドの初期化期間内における第１の期間で、複数の走査電極に第１の電位から第２の電位に上昇する第１のランプ波形が印加される。そして、第１の期間内における第１の期間よりも短い第３の期間で、複数の維持電極に第５の電位から第６の電位に上昇する第３のランプ波形が印加される。
【００５５】
これにより、第３の期間では、複数の走査電極と複数の維持電極との間の電位差が大きくなることが抑制される。そのため、複数の走査電極と複数の維持電極との間で初期化放電が発生しない。したがって、第１の期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。
【００５６】
また、第１の期間に続く第２の期間で初期化放電のために複数の走査電極に第３の電位から第４の電位に下降する第２のランプ波形が印加される。そして、第２の期間内における第２の期間よりも短い第４の期間で、複数の維持電極に第７の電位から第８の電位に下降する第４のランプ波形が印加される。
【００５７】
これにより、第４の期間では、複数の走査電極と複数の維持電極との間の電位差が大きくなることが抑制される。そのため、複数の走査電極と複数の維持電極との間で初期化放電が発生しない。したがって、第２の期間における初期化放電の発生期間が短縮されるので、第１の期間で複数の走査電極および複数の維持電極に蓄積された壁電荷の減少量が少なくなる。
【００５８】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。
【００５９】
それにより、複数の走査電極上および複数の維持電極上の壁電荷を十分に書込み放電に適した値に調整することができる。
【００６０】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００６１】
（９）本発明のさらに他の局面に従うプラズマディスプレイ装置は、複数の走査電極および維持電極と複数のデータ電極との交差部に複数の放電セルを有するプラズマディスプレイパネルと、プラズマディスプレイパネルを１フィールド期間が複数のサブフィールドを含むサブフィールド法で駆動する駆動装置とを備え、駆動装置は、複数の走査電極を駆動する走査電極駆動回路と、複数の維持電極を駆動する維持電極駆動回路とを備え、走査電極駆動回路は、複数のサブフィールドのうち少なくとも１つのサブフィールドの初期化期間内における前半期間で複数の走査電極に上昇する第１のランプ波形を印加し、前半期間に続く後半期間で複数の走査電極に下降する第２のランプ波形を印加し、維持電極駆動回路は、前半期間で複数の維持電極に上昇する第３のランプ波形を印加し、後半期間で複数の維持電極に下降する第４のランプ波形を印加し、プラズマディスプレイパネルの状態に基づいて第３のランプ波形の波高値および第４のランプ波形の波高値を変更するものである。
【００６２】
このプラズマディスプレイ装置においては、複数のサブフィールドのうち少なくとも１つのサブフィールドの初期化期間内における前半期間で、走査電極駆動回路により複数の走査電極に上昇する第１のランプ波形が印加される。また、前半期間においては、維持電極駆動回路により複数の維持電極に上昇する第３のランプ波形が印加される。
【００６３】
これにより、前半期間において、複数の走査電極に第１のランプ波形が印加されかつ複数の維持電極に第３のランプ波形が印加される際には、複数の走査電極と複数の維持電極との間の電位差が大きくなることが抑制される。そのため、複数の走査電極と複数の維持電極との間で初期化放電が発生しない。したがって、前半期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。
【００６４】
また、前半期間に続く後半期間で初期化放電のために複数の走査電極に下降する第２のランプ波形が印加される。また、後半期間内においては、維持電極駆動回路により複数の維持電極に下降する第４のランプ波形が印加される。
【００６５】
これにより、後半期間において、複数の走査電極に第２のランプ波形が印加されかつ複数の維持電極に第４のランプ波形が印加される際には、複数の走査電極と複数の維持電極との間の電位差が大きくなることが抑制される。そのため、複数の走査電極と複数の維持電極との間で初期化放電が発生しない。したがって、後半期間における初期化放電の発生期間が短縮されるので、前半期間で複数の走査電極および複数の維持電極に蓄積された壁電荷の減少量が少なくなる。
【００６６】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。
【００６７】
それにより、複数の走査電極上および複数の維持電極上の壁電荷を十分に書込み放電に適した値に調整することができる。
【００６８】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００６９】
（１０）本発明のさらに他の局面に従うプラズマディスプレイパネルの駆動方法は、複数の走査電極および維持電極と複数のデータ電極との交差部に複数の放電セルを有するプラズマディスプレイパネルを、１フィールド期間が複数のサブフィールドを含むサブフィールド法で駆動する駆動方法であって、複数のサブフィールドのうち少なくとも１つのサブフィールドの初期化期間内における前半期間で複数の走査電極に上昇する第１のランプ波形を印加するステップと、前半期間に続く後半期間で複数の走査電極に下降する第２のランプ波形を印加するステップと、前半期間内において複数の維持電極に上昇する第３のランプ波形を印加するステップと、後半期間内において複数の維持電極に下降する第４のランプ波形を印加するステップと、プラズマディスプレイパネルの状態に基づいて第３のランプ波形の波高値および第４のランプ波形の波高値を変更するステップとを備えたものである。
【００７０】
このプラズマディスプレイパネルの駆動方法においては、複数のサブフィールドのうち少なくとも１つのサブフィールドの初期化期間内における前半期間で、複数の走査電極に上昇する第１のランプ波形が印加される。また、前半期間においては、複数の維持電極に上昇する第３のランプ波形が印加される。
【００７１】
これにより、前半期間において、複数の走査電極に第１のランプ波形が印加されかつ複数の維持電極に第３のランプ波形が印加される際には、複数の走査電極と複数の維持電極との間の電位差が大きくなることが抑制される。そのため、複数の走査電極と複数の維持電極との間で初期化放電が発生しない。したがって、前半期間における初期化放電の発生期間が短縮されるので、複数の放電セルの発光輝度が抑制される。その結果、コントラストが向上する。この場合、複数の走査電極および複数の維持電極に蓄積される壁電荷の量が少なくなる。
【００７２】
また、前半期間に続く後半期間で初期化放電のために複数の走査電極に下降する第２のランプ波形が印加される。また、後半期間内においては、維持電極駆動回路により複数の維持電極に下降する第４のランプ波形が印加される。
【００７３】
これにより、後半期間において、複数の走査電極に第２のランプ波形が印加されかつ複数の維持電極に第４のランプ波形が印加される際には、複数の走査電極と複数の維持電極との間の電位差が大きくなることが抑制される。そのため、複数の走査電極と複数の維持電極との間で初期化放電が発生しない。したがって、後半期間における初期化放電の発生期間が短縮されるので、前半期間で複数の走査電極および複数の維持電極に蓄積された壁電荷の減少量が少なくなる。
【００７４】
また、プラズマディスプレイパネルの状態に基づいて第３のランプ波形の波高値および第４のランプ波形の波高値を変更することにより、プラズマディスプレイパネルの状態に応じて走査電極と維持電極との間での壁電荷の制御および走査電極とデータ電極との間での壁電荷の制御をそれぞれ独立に行うことができる。
【００７５】
それにより、複数の走査電極上および複数の維持電極上の壁電荷を十分に書込み放電に適した値に調整することができる。
【００７６】
したがって、コントラストを向上させつつ、書込み動作を安定化することができる。また、安定した書込み動作により維持期間での誤放電を抑えることができる。その結果、コントラストが高く表示品質の良好な画像を表示することができる。
【００７７】
維持電極駆動回路は、検出部により検出される点灯率に基づいて第３のランプ波形の波高値および第４のランプ波形の波高値を段階的に変更してもよい。
【００７８】
この場合、初期化期間の発光輝度が段階的に変化するので、初期化期間の発光輝度の変化が視聴者により視認されない。したがって、表示品質がさらに良好となる。
【００７９】
維持電極駆動回路は、検出部により検出される点灯率が第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される点灯率が第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。
【００８０】
この場合、第３のランプ波形の波高値および第４のランプ波形の波高値が段階的に変化するとともにヒステリシス特性を有する。したがって、表示品質が十分に向上される。
【００８１】
維持電極駆動回路は、検出部により検出される点灯率が第１の閾値よりも小さい値から第１の閾値以上になった場合および検出部により検出される点灯率が第２の閾値よりも大きい値から第２の閾値以下になった場合に第３のランプ波形の波高値および第４のランプ波形の波高値を段階的に変更してもよい。
【００８２】
この場合、第３のランプ波形の波高値および第４のランプ波形の波高値が段階的に変化するとともにヒステリシス特性を有する。したがって、表示品質が十分に向上される。
【００８３】
維持電極駆動回路は、検出部により検出される平均輝度レベルに基づいて第３のランプ波形の波高値および第４のランプ波形の波高値を段階的に変更してもよい。
【００８４】
この場合、初期化期間の発光輝度が段階的に変化するので、初期化期間の発光輝度の変化が視聴者により視認されない。したがって、表示品質がさらに良好となる。
【００８５】
維持電極駆動回路は、検出部により検出される平均輝度レベルが第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される平均輝度レベルが第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。
【００８６】
この場合、第３のランプ波形の波高値および第４のランプ波形の波高値の変化がヒステリシス特性を有する。それにより、初期化期間の発光輝度が頻繁に切り替わることが防止される。したがって、表示品質がさらに良好となる。
【００８７】
維持電極駆動回路は、検出部により検出される平均輝度レベルが第１の閾値よりも小さい値から第１の閾値以上になった場合および検出部により検出される平均輝度レベルが第２の閾値よりも大きい値から第２の閾値以下になった場合に第３のランプ波形の波高値および第４のランプ波形の波高値を段階的に変更してもよい。
【００８８】
この場合、第３のランプ波形の波高値および第４のランプ波形の波高値が段階的に変化するとともにヒステリシス特性を有する。したがって、表示品質が十分に向上される。
【００８９】
維持電極駆動回路は、検出部により検出される点灯率累積点灯時間が閾値を超えた後にプラズマディスプレイパネルの電源がオフにされ、その後にプラズマディスプレイパネルの電源がオンにされたときに、第３のランプ波形の波高値および第４のランプ波形の波高値を変更してもよい。
【００９０】
この場合、視聴者が映像を見ているときには初期化期間の発光輝度が変化せず、視聴者がプラズマディスプレイパネルの電源をオンしたときに初期化期間の発光輝度が変化する。それにより、視聴者により初期化期間の発光輝度の変化が視認されない。したがって、表示品質の劣化が防止される。
【００９１】
維持電極駆動回路は、検出部により検出される点灯率累積点灯時間が閾値を超えた場合に、第３のランプ波形の波高値および第４のランプ波形の波高値を小さくしてもよい。
【００９２】
この場合、累積点灯時間が長くなると、放電セルの放電空間における走査電極と維持電極との間の放電開始電圧が高くなるので、初期化放電が発生しにくくなる。したがって、累積点灯時間が長い場合には、第３のランプ波形の波高値および第４のランプ波形の波高値を小さくすることにより初期化期間において初期化放電を確実に発生させることができる。
【００９３】
維持電極駆動回路は、検出部により検出される温度に基づいて第３のランプ波形の波高値および第４のランプ波形の波高値を段階的に変更してもよい。
【００９４】
この場合、初期化期間の発光輝度が段階的に変化するので、初期化期間の発光輝度の変化が視聴者により視認されない。したがって、表示品質がさらに良好となる。
【００９５】
維持電極駆動回路は、検出部により検出される温度が第１の閾値よりも小さい値から第１の閾値以上になった場合に第３のランプ波形の波高値を第１の値から第２の値に変更するとともに第４のランプ波形の波高値を第３の値から第４の値に変更し、検出部により検出される温度が第１の閾値よりも小さい第２の閾値よりも大きい値から第２の閾値以下になった場合に第３のランプ波形の波高値を第２の値から第１の値に変更するとともに第４のランプ波形の波高値を第４の値から第３の値に変更してもよい。
【００９６】
この場合、第３のランプ波形の波高値および第４のランプ波形の波高値の変化がヒステリシス特性を有する。それにより、初期化期間の発光輝度が頻繁に切り替わることが防止される。したがって、表示品質がさらに良好となる。
【００９７】
維持電極駆動回路は、検出部により検出される温度が第１の閾値よりも小さい値から第１の閾値以上になった場合および検出部により検出される温度が第２の閾値よりも大きい値から第２の閾値以下になった場合に第３のランプ波形の波高値および第４のランプ波形の波高値を段階的に変更してもよい。
【００９８】
この場合、第３のランプ波形の波高値および第４のランプ波形の波高値が段階的に変化するとともにヒステリシス特性を有する。したがって、表示品質が十分に向上される。
【発明の効果】
【００９９】
本発明のプラズマディスプレイ装置およびその駆動方法によれば、画像のコントラストが十分に向上されるとともに、画像表示の不具合が十分に防止され、高品質の画像を得ることができる。
【発明を実施するための最良の形態】
【０１００】
以下、本発明の一実施の形態に係るプラズマディスプレイ装置およびその駆動方法について、図面を用いて説明する。
【０１０１】
以下の説明において、ランプ波形の波高値とは、特に言及する場合を除き、時間の変化とともに緩やかに上昇または下降するランプ波形の電圧の最大変化量、例えばランプ波形の印加開始時点の電位と印加終了時点の電位との差分値をいう。
【０１０２】
［第１の実施の形態］
図１は第１の実施の形態に用いるプラズマディスプレイの要部を示す斜視図である。プラズマディスプレイパネル（以下、パネルと略記する）１は、互いに対向配置されたガラス製の前面基板２および背面基板３を備える。前面基板２および背面基板３の間に放電空間が形成される。前面基板２上には複数対の走査電極４および維持電極５が互いに平行に形成されている。各対の走査電極４および維持電極５が表示電極を構成する。走査電極４および維持電極５を覆うように誘電体層６が形成され、誘電体層６上には保護層７が形成されている。
【０１０３】
背面基板３上には絶縁体層８で覆われた複数のデータ電極９が設けられている。絶縁体層８上には、データ電極９と平行な方向に延びるストライプ状の隔壁１０が設けられている。また、絶縁体層８の表面および隔壁１０の側面に蛍光体層１１が設けられている。そして、複数対の走査電極４および維持電極５と複数のデータ電極９とが垂直に交差するように前面基板２と背面基板３とが対向配置され、前面基板２と背面基板３との間に放電空間が形成されている。放電空間には、放電ガスとして、例えばネオンとキセノンとの混合ガスが封入されている。なお、パネルの構造は上述したものに限られず、例えば井桁状の隔壁を備えた構造を用いてもよい。
【０１０４】
上記蛍光体層１１は、放電セルごとにＲ（赤）、Ｇ（緑）およびＢ（青）のいずれかの蛍光体層を含む。パネル１上の１画素は、Ｒ、ＧおよびＢの蛍光体をそれぞれ含む３つの放電セルにより構成される。
【０１０５】
図２は第１の実施の形態におけるパネルの電極配列図である。行方向に沿ってｎ本の走査電極ＳＣ1〜ＳＣn（図１の走査電極４）およびｎ本の維持電極ＳＵ1〜ＳＵn（図１の維持電極５）が配列され、列方向に沿ってｍ本のデータ電極Ｄ1〜Ｄm（図１のデータ電極９）が配列されている。ｎおよびｍはそれぞれ２以上の自然数である。そして、１対の走査電極ＳＣiおよび維持電極ＳＵiと１つのデータ電極Ｄjとが交差した部分に放電セルＤＣが形成されている。それにより、放電空間内にｍ×ｎ個の放電セルが形成されている。なお、ｉは１〜ｎのうち任意の整数であり、ｊは１〜ｍのうち任意の整数である。
【０１０６】
図３は第１の実施の形態に係るプラズマディスプレイ装置の構成図である。このプラズマディスプレイ装置は、パネル１、データ電極駆動回路１２、走査電極駆動回路１３、維持電極駆動回路１４、タイミング発生回路１５、画像信号処理回路１８、点灯率検出器２０Ａおよび電源回路（図示せず）を備える。
【０１０７】
画像信号処理回路１８は画像信号ｓｉｇをパネル１の画素数に応じた画像データに変換し、各画素の画像データを複数のサブフィールドに対応する複数のビットに分割し、それらをデータ電極駆動回路１２に出力する。
【０１０８】
データ電極駆動回路１２はサブフィールド毎の画像データを各データ電極Ｄ1〜Ｄmに対応する信号に変換し、その信号に基づいて各データ電極Ｄ1〜Ｄmを駆動する。
【０１０９】
タイミング発生回路１５は水平同期信号Ｈおよび垂直同期信号Ｖに基づいてタイミング信号を発生し、それらのタイミング信号をそれぞれの駆動回路ブロック（データ電極駆動回路１２、走査電極駆動回路１３および維持電極駆動回路１４）へ供給する。
【０１１０】
走査電極駆動回路１３はタイミング信号に基づいて走査電極ＳＣ1〜ＳＣnに駆動波形を供給し、維持電極駆動回路１４はタイミング信号に基づいて維持電極ＳＵ1〜ＳＵnに駆動波形を供給する。
【０１１１】
点灯率検出器２０Ａは、各サブフィールドの点灯率を検出し、その値をタイミング発生回路１５に供給する。ここで、点灯率とは、同時に点灯（発光）する放電セルＤＣの数を、パネルの全放電セルＤＣの数で除算することにより得られる値である。
【０１１２】
次に、パネル１を駆動するための駆動電圧波形およびパネル１の動作について説明する。
【０１１３】
本実施の形態において、各フィールドは、初期化期間、書込み期間および維持期間を有する複数のサブフィールドに分割される。例えば、１フィールドが時間軸上でＮ個のサブフィールド（以下、第１ＳＦ、第２ＳＦ、・・・、および第ＮＳＦと略記する）に分割される。
【０１１４】
図４は第１の実施の形態においてパネル１の各電極に印加される駆動電圧波形を示す図である。図４の例では、第１ＳＦおよび第２ＳＦにおける駆動電圧波形が示されている。
【０１１５】
本例では、第１ＳＦが全セル初期化動作を行う初期化期間を有するサブフィールド（以下、「全セル初期化サブフィールド」と略記する）に相当し、第２ＳＦが選択初期化動作を行う初期化期間を有するサブフィールド（以下、「選択初期化サブフィールド」と略記する）に相当する。
【０１１６】
まず、第１ＳＦ（全セル初期化サブフィールド）における駆動電圧波形およびその駆動電圧波形に基づくパネル１の動作について説明する。
【０１１７】
第１ＳＦの初期化期間の前半部（以下、前半期間と呼ぶ）には、データ電極Ｄ1〜Ｄmを正の電位Ｖｄに保持し、維持電極ＳＵ1〜ＳＵnの電位を０Ｖに保持する。その状態で、走査電極ＳＣ1〜ＳＣnに対して放電開始電圧以下となる電位Ｖｉ1から放電開始電圧を超える電位Ｖｉ2に向かって緩やかに上昇するランプ波形を印加する。
【０１１８】
それにより、全ての放電セルＤＣにおいて１回目の微弱な初期化放電が発生し、走査電極ＳＣ1〜ＳＣn上に負の壁電荷が蓄えられるとともに維持電極ＳＵ1〜ＳＵn上およびデータ電極Ｄ1〜Ｄm上に正の壁電荷が蓄えられる。ここで、電極上の壁電圧とは、電極を覆う誘電体層または蛍光体層上等に蓄積した壁電荷により生じる電圧をいう。
【０１１９】
前半期間における所定のタイミングで、０Ｖに保持された維持電極ＳＵ1〜ＳＵnに、０Ｖから電位Ｖｉ5まで上昇するランプ波形を印加する。これにより、走査電極ＳＣ1〜ＳＣnと維持電極ＳＵ1〜ＳＵnとの電位差が電圧Ｖｉ5の分だけ小さくなる。それにより、走査電極ＳＣ1〜ＳＣnと維持電極ＳＵ1〜ＳＵnとの間で強い放電が発生することが抑制され、コントラストが向上される。
【０１２０】
初期化期間の後半部（以下、後半期間と呼ぶ）には、維持電極ＳＵ1〜ＳＵnを正の電位Ｖｅに保持した状態で、走査電極ＳＣ1〜ＳＣnに電位Ｖｉ3から電位Ｖｉ4に向かって緩やかに下降するランプ波形を印加する。すると、全ての放電セルＤＣにおいて２回目の微弱な初期化放電が発生し、走査電極ＳＣ1〜ＳＣn上の壁電圧および維持電極ＳＵ1〜ＳＵn上の壁電圧が弱められ、データ電極Ｄ1〜Ｄm上の壁電圧も書込み動作に適した値に調整される。
【０１２１】
上記後半期間における所定のタイミングで、正の電位Ｖｅに保持された維持電極ＳＵ1〜ＳＵnに、正の電位Ｖｅから電位Ｖｉ6まで下降するランプ波形を印加する。この場合、維持電極ＳＵ1〜ＳＵnと走査電極ＳＣ1〜ＳＣnとの間の電位差が放電開始電圧を超える時点から維持電極ＳＵ1〜ＳＵnにランプ波形が印加されるまでの期間中に、放電により前半期間に蓄積された壁電荷が減少する。
【０１２２】
上述のように、本実施の形態では、前半期間に維持電極ＳＵ1〜ＳＵnに０Ｖから電位Ｖｉ5まで上昇するランプ波形が印加される。この場合、このランプ波形を印加しない場合に比べて、前半期間の終了時に維持電極ＳＵ1〜ＳＵnに蓄積される壁電荷が電圧Ｖｉ5の分減少する。それにより、後半期間において、次の書込みに必要な維持電極ＳＵ1〜ＳＵn上の壁電荷が不足し、書込み放電が不安定になることが懸念される。
【０１２３】
そこで、上述のように、本実施の形態では、後半期間に維持電極ＳＵ1〜ＳＵnに正の電位Ｖｅから電位Ｖｉ6まで下降するランプ波形が印加される。このランプ波形が印加される期間中には、微弱放電が発生しない。そのため、ランプ波形を印加しない場合に比べて、微弱放電が発生する期間が短縮される。これにより、放電により減少する壁電荷の量が低減される。それにより、維持電極ＳＵ1〜ＳＵn上の壁電荷が書込みに必要な量よりも少なくなることが防止される。
【０１２４】
その結果、走査電極ＳＣ1〜ＳＣn上の壁電圧および維持電極ＳＵ1〜ＳＵn上の壁電圧を書込み動作に適した値に弱めることが可能となる。また、データ電極Ｄ1〜Ｄm上の壁電圧が書込み動作に適した値に調整される。
【０１２５】
なお、電位Ｖｉ6の値を調整することにより、走査電極ＳＣ1〜ＳＣn上の壁電圧および維持電極ＳＵ1〜ＳＵn上の壁電圧を次の書込み放電に適した電圧に調整することが可能となる。
【０１２６】
続く書込み期間では、維持電極ＳＵ1〜ＳＵnを正の電位Ｖｅ’に保ち、走査電極ＳＣ1〜ＳＣnを一旦電位Ｖｃに保持する。次に、１行目の走査電極ＳＣ1に負の走査パルス電圧Ｖａが印加されるとともに、データ電極Ｄ1〜Ｄmのうち１行目において発光すべき放電セルＤＣのデータ電極Ｄk（ｋ＝１〜ｍのいずれか）に正の書込みパルス電圧Ｖｄが印加される。
【０１２７】
図４では、書込みパルス電圧Ｖｄと走査パルス電圧Ｖａとが同時に印加されている時間（以下、「書込み時間」と略記する）が矢印Ｔｗで表されている。
【０１２８】
書込み時間Ｔｗにおいては、データ電極Ｄkと走査電極ＳＣ1との交差部の電圧は、外部印加電圧（Ｖｄ−Ｖａ）にデータ電極Ｄk上の壁電圧および走査電極ＳＣ1上の壁電圧が加算されたものとなる。それにより、データ電極Ｄkと走査電極ＳＣ1との交差部の電圧が、放電開始電圧を超える。
【０１２９】
そして、データ電極Ｄkと走査電極ＳＣ1との間および維持電極ＳＵ1と走査電極ＳＵ1との間で書込み放電が発生する。
【０１３０】
その結果、この放電セルＤＣの走査電極ＳＣ1上に正の壁電荷が蓄積され、維持電極ＳＵ1上に負の壁電荷が蓄積され、データ電極Ｄk上にも負の壁電荷が蓄積される。このようにして、１行目に表示すべき放電セルＤＣで書込み放電が発生することにより、各電極Ｄk，ＳＣ1，ＳＵ1上で壁電荷が蓄積される（書込み動作）。
【０１３１】
一方、書込みパルス電圧Ｖｄが印加されなかったデータ電極Ｄｈ（ｈ≠ｋ）と走査電極ＳＣ1との交差部の電圧は放電開始電圧を超えない。そのため、その交差部の放電セルＤＣでは書込み放電が発生しない。以上の書込み動作がｎ行目の放電セルに至るまで順次行われ、書込み期間が終了する。
【０１３２】
続く維持期間では、走査電極ＳＣ1〜ＳＣnが０Ｖに戻され、走査電極ＳＣ1〜ＳＣnに維持期間の最初の維持パルス電圧Ｖｓが印加される。このとき、書込み放電を起こした放電セルＤＣにおいては、走査電極ＳＣiと維持電極ＳＵiとの間の電圧が、維持パルス電圧Ｖｓに走査電極ＳＣi上の壁電圧および維持電極ＳＵi上の壁電圧の大きさが加算されたものとなり、放電開始電圧を超える。そして、走査電極ＳＣiと維持電極ＳＵiとの間に維持放電が起こり、走査電極ＳＣi上に負の壁電荷が蓄積され、維持電極ＳＵi上に正の壁電荷が蓄積される。
【０１３３】
このとき、データ電極Ｄk上にも正の壁電荷が蓄積される。書込み期間において書込み放電が起きなかった放電セルＤＣでは維持放電は発生せず、初期化期間の終了時における壁電圧状態が保持される。
【０１３４】
続いて、走査電極ＳＣ1〜ＳＣnが０Ｖに戻され、走査電極ＳＣ1〜ＳＣnに２番目の維持パルス電圧Ｖｓが印加される。すると、維持放電を起こした放電セルＤＣでは、維持電極ＳＵiと走査電極ＳＣiとの間の電圧が放電開始電圧を超える。これにより、再び維持電極ＳＵiと走査電極ＳＣiとの間に維持放電が起こり、維持電極ＳＵi上に負の壁電荷が蓄積され、走査電極ＳＣi上に正の壁電荷が蓄積される。
【０１３５】
以降同様に、走査電極ＳＣ1〜ＳＣnと維持電極ＳＵ1〜ＳＵnとに輝度重みに応じた数の維持パルスが交互に印加されることにより、書込み期間において書込み放電を起こした放電セルＤＣでは維持放電が継続して行われる。こうして維持期間における維持動作が終了する。
【０１３６】
続いて、第２ＳＦ（選択初期化サブフィールド）における駆動電圧波形およびその駆動電圧波形に基づくパネル１の動作について説明する。
【０１３７】
第２ＳＦの初期化期間では、初めに維持電極ＳＵ1〜ＳＵnが正の電位Ｖｅで保持され、データ電極Ｄ1〜Ｄmが接地電位に保持される。この状態で、走査電極ＳＣ1〜ＳＣnに電位Ｖｉ3’から電位Ｖｉ4に向かって緩やかに下降するランプ波形が印加される。すると、前のサブフィールドの維持期間で維持放電が起きた放電セルＤＣでは微弱な初期化放電が発生する。それにより、走査電極ＳＣi上の壁電圧および維持電極ＳＵi上の壁電圧が弱められ、データ電極Ｄk上の壁電圧も書込み動作に適した値に調整される。
【０１３８】
一方、前のサブフィールドで書込み放電および維持放電が起きなかった放電セルＤＣにおいては、放電が発生せず、前のサブフィールドの初期化期間の終了時における壁電荷の状態がそのまま保たれる。
【０１３９】
このように、第２ＳＦ、すなわち選択初期化サブフィールドの初期化期間においては、直前のサブフィールドで維持放電が起こった放電セルＤＣで選択的に初期化放電を発生させる選択初期化動作が行われる。
【０１４０】
書込み期間および維持期間における駆動電圧波形および動作は、第１ＳＦ（全セル初期化サブフィールド）の書込み期間および維持期間における駆動電圧波形および動作と同様であるため説明を省略する。
【０１４１】
次に、第１ＳＦの初期化期間において、維持電極ＳＵ1〜ＳＵnにランプ波形を印加する理由について、従来の駆動方法と比較して説明する。
【０１４２】
図５は全セル初期化動作時に従来のプラズマディスプレイ装置で用いられる駆動電圧波形図である。図６は全セル初期化動作時に第１の実施の形態に係るプラズマディスプレイ装置で用いられる駆動電圧波形図である。図５および図６においては、走査電極ＳＣ1〜ＳＣn、維持電極ＳＵ1〜ＳＵnおよびデータ電極Ｄ1〜Ｄmをそれぞれ符号ＳＣ，ＳＵ，ＤＡで表す。
【０１４３】
まず、図５の駆動電圧波形の前半期間について説明する。図５の前半期間では、走査電極ＳＣに正の電位Ｖｉ1から正の電位Ｖｉ2まで緩やかに上昇するランプ波形が印加される。このとき、維持電極ＳＵは０Ｖに保持され、データ電極は電圧Ｖｄに保持される。
【０１４４】
そのため、維持電極ＳＵには、走査電極ＳＣと維持電極ＳＵとの間の電圧が放電開始電圧から電圧Ｖｉ2に到達するまでの期間中、放電に応じた壁電荷が蓄積される。
【０１４５】
また、データ電極ＤＡには、走査電極ＳＣとデータ電極ＤＡとの間の電圧が放電開始電圧から電圧（Ｖｉ2−Ｖｄ）に到達するまでの期間中、放電に応じた壁電荷が蓄積される。
【０１４６】
なお、前半期間においては、データ電極ＤＡにデータパルスＶｄが印加されている。これにより、走査電極ＳＣと維持電極ＳＵとの間の放電が、走査電極ＳＣとデータ電極ＤＡとの間の放電よりも先に発生する。それにより、初期化放電が安定化する。
【０１４７】
この場合、前半期間において、走査電極ＳＣに印加される上りランプ波形の波高値は、走査電極ＳＣとデータ電極ＤＡとの間の電位差が十分に放電開始電圧を超えるように調整される必要がある。このように、ランプ波形の波高値が調整されることにより、走査電極ＳＣ上およびデータ電極ＤＡ上に十分な壁電荷が蓄積される。
【０１４８】
一方、維持電極ＳＵは前半期間では０Ｖ（接地電位）に保持されているので、上りランプ波形の波高値が大きく設定されていると、走査電極ＳＣと維持電極ＳＵとの間の電位差が大きくなる。この場合、強い放電が起こってコントラストが低下する。
【０１４９】
そこで、図６に示すように、本実施の形態に係るプラズマディスプレイ装置の駆動方法においては、前半期間中であって、走査電極ＳＣに上りランプ波形が印加されている期間中に、維持電極ＳＵを接地端子およびノードから切り離してハイインピーダンス状態にする期間を設ける。
【０１５０】
本実施の形態において、ハイインピーダンス状態とは、維持電極ＳＵが電源端子、接地端子およびノードから切り離された状態（フローティング状態）をいう。
【０１５１】
この場合、維持電極ＳＵの電位は容量結合により走査電極ＳＣの電位の変化に従って変化する。したがって、維持電極ＳＵにもランプ波形が印加される。これにより、走査電極ＳＣと維持電極ＳＵとの間の放電を減少させることが可能となり、コントラストを向上させることが可能となる。
【０１５２】
続いて、図５の駆動電圧波形の後半期間について説明する。初期化期間における後半期間は、前半期間で各電極ＳＣ，ＳＵ，ＤＡに蓄積された電荷を調整するために設定される。
【０１５３】
図５において、維持電極ＳＵでは、放電開始電圧から電位Ｖｉ2と電位Ｖｅとの電位差までの電圧の大きさに応じて壁電圧が弱められる。また、データ電極ＤＡでは、放電開始電圧から電位Ｖｉ2までの電圧の大きさに応じて壁電圧が弱められる。
【０１５４】
ここで、後半期間における維持電極ＳＵの電位Ｖｅは、初期化期間に続く書込み期間の書込み動作を安定させるために設定されている。したがって、維持電極ＳＵの電位を変化させることは困難である。そのため、従来は、図５に示す前半期間と同様に、維持電極ＳＵとデータ電極ＤＡのどちらか一方に合わせて電位Ｖｉ4を設定していた。
【０１５５】
そのため、上述のように、前半期間に維持電極ＳＵに上りランプ波形を印加して走査電極ＳＣと維持電極ＳＵとの間の放電を減少させた場合、維持電極ＳＵに蓄積される壁電荷が減少し、次の書込み期間における書込み放電が不安定になる。
【０１５６】
そこで、本実施の形態では、図６に示すように、初期化期間の前半期間だけでなく後半期間においても維持電極ＳＵにランプ波形が印加される。このように、上りランプ波形の電位Ｖｉ5および下りランプ波形の電位Ｖｉ6を設定することにより、走査電極ＳＣにランプ波形が印加されているときに、維持電極ＳＵに印加される電圧が変化する。これにより、走査電極ＳＣと維持電極ＳＵとの間の電位差、および走査電極ＳＣとデータ電極ＤＡとの間の電位差が、前半期間および後半期間で独立して制御される。
【０１５７】
具体的には、走査電極ＳＣの電位を正の電位Ｖｉ1から正の電位Ｖｉ2に上昇させる上りランプ波形の印加開始から所定期間中は、維持電極ＳＵの電位が０Ｖ（ＧＮＤ：接地電位）で保持される。その後、走査電極ＳＣの電位が上りランプ波形により所定の高さに達したタイミングから維持電極ＳＵにもランプ波形を印加する。すると、走査電極ＳＣと維持電極ＳＵとの間の放電および電荷蓄積は、維持電極ＳＵにランプ波形を印加するタイミングで止まる。
【０１５８】
次に、走査電極ＳＣへの上りランプ波形の印加終了後、すなわち走査電極ＳＣが正の電位Ｖｉ2に達した後、走査電極ＳＣの電位を正の電位Ｖｉ2から正の電位Ｖｉ3に切り換えるタイミングで、維持電極ＳＵを一旦接地し、その後、走査電極ＳＣに下りランプ波形を印加する前に維持電極ＳＵに電圧Ｖｅを印加する。
【０１５９】
そして、走査電極ＳＣの電位を正の電位Ｖｉ3から負の電位Ｖｉ4に下降させる下りランプ波形の印加開始から所定期間中は、維持電極ＳＵが電位Ｖｅに保持される。所定期間が経過したタイミングから維持電極ＳＵにもランプ波形を印加する。これにより、走査電極ＳＣと維持電極ＳＵとの間の放電および電荷調整は、維持電極ＳＵにランプ波形を印加するタイミングで止まる。
【０１６０】
その後、走査電極ＳＣへの下りランプ波形の印加が終了するタイミングで維持電極ＳＵへのランプ波形の印加も終了させる。その後、維持電極ＳＵが電位Ｖｅに保持される。また、維持電極ＳＵは、次の書込み期間で電位Ｖｅ’に保持される。
【０１６１】
このように、前半期間においては、維持電極ＳＵにランプ波形を印加し、ランプ波形の電位Ｖｉ5を設定することにより、走査電極ＳＣと維持電極ＳＵとの間の放電が減少される。また、維持電極ＳＵに蓄積する壁電荷が減少しても、続く初期化期間の後半期間において、維持電極ＳＵにランプ波形を印加し、ランプ波形の電位Ｖｉ6を設定することにより、走査電極ＳＣおよび維持電極ＳＵに蓄積された壁電荷を不要に削除することなく、初期化動作を完了することが可能となる。
【０１６２】
これにより、不必要な放電が抑制されるので、次の書込み期間における書込み放電を安定化することが可能となるとともに、表示に関係がない発光を抑制し、高いコントラストを有する画像を得ることが可能となる。
【０１６３】
本実施の形態においては、上記所定の電位Ｖｉ1〜Ｖｉ6の設定値は、放電セルＤＣに応じて最適に設定することが望ましい。
【０１６４】
例えば前半期間および後半期間中の所定のタイミングで維持電極ＳＵをハイインピーダンス状態にする。この場合、維持電極ＳＵを電位Ｖｉ5および電位Ｖｉ6にするための電圧が、回路コストを上昇させることなく容易に得られる。
【０１６５】
また、図６では、走査電極ＳＣの電位を電位Ｖｉ2から電位Ｖｉ3に切り換えるタイミングで維持電極ＳＵを０Ｖに接地し、その後、走査電極ＳＣへの下りランプ波形の印加前に維持電極ＳＵを電位Ｖｅに保持しているが、これは一例であり、維持電極ＳＵの電位を電位Ｖｉ5から電位Ｖｅに保持してもよい。
【０１６６】
また、維持電極ＳＵへの上りランプ波形の印加開始タイミングは、全ての放電セルＤＣで走査電極ＳＣと維持電極ＳＵとの間の放電が開始された後のタイミングに設定されることが望ましい。また、維持電極ＳＵの下りランプ波形の印加開始タイミングは、走査電極ＳＣと維持電極ＳＵとの間の電位差が調整されるように、パネル１に応じて最適に設定されることが望ましい。
【０１６７】
また、本実施の形態では、放電を安定化させるために、書込み期間において維持電極ＳＵの電位を電位Ｖｅから電位Ｖｅ’に電圧Ｖｅ２分積み上げている。しかしながら、電圧Ｖｅ２がない場合でも、効果は変わらない。
【０１６８】
本実施の形態においては、維持電極ＳＵに印加されるランプ波形の波高値が各サブフィールドの点灯率によって制御される。この理由について説明する。
【０１６９】
本実施の形態では、各サブフィールドの点灯率が所定の閾値を下回った場合の画像が「ハイコントラスト画像」として検出される。このようなハイコントラスト画像として、例えば月および星が含まれる夜空の画像、および暗い画面を背景として白い文字が表示された画像等を挙げることができる。
【０１７０】
このような画像においては、輝度が低い背景内に輝度が高い対象物が存在する。すなわち、輝度が低くかつ面積が大きい表示領域と、輝度が高くかつ面積が小さい表示領域とを含む。そのため、このような画像は、コントラストが向上されることにより著しく明瞭にパネル１上に表示される。
【０１７１】
このような画像においては、パネル１における黒の表示領域が大きく、放電する面積が小さくなる。したがって、初期化放電の量を少なくした場合でも、安定した書込み動作が可能である。また、初期化期間に維持電極ＳＵに印加するランプ波形の波高値を大きくすることができる。これにより、黒輝度の輝度レベルを下げることにより、大きなコントラスト改善効果を得ることができる。
【０１７２】
各サブフィールドの点灯率が所定の閾値を下回った場合または上回った場合に、維持電極ＳＵに印加する上りおよび下りのランプ波形の波高値を変更することは、初期化期間の発光輝度の変化が視認されないように、段階的に行われることが望ましい。この段階的変化は、初期化期間における発光輝度の変化が視認されないように行われることが好ましく、例えばヒステリシス機能を用いることができる。
【０１７３】
図７は図３の維持電極駆動回路１４の一構成例を示す回路図である。図７の維持電極駆動回路１４は電荷回収型の維持電極駆動回路である。
【０１７４】
図７に示すように、維持電極駆動回路１４は、ダイオードＤ１０１からダイオード１０３、コンデンサＣ１０１、コンデンサＣ１０２、ｎチャンネル電界効果トランジスタ（以下、トランジスタと略記する）Ｑ１０１，Ｑ１０２，Ｑ１０３，Ｑ１０４，Ｑ１０５ａ，Ｑ１０５ｂ，Ｑ１０６，Ｑ１０７およびコイルＬ１０１を含む。
【０１７５】
トランジスタＱ１０１は、電圧Ｖｓを受ける電源端子Ｖ１０１とノードＮ１０１との間に接続され、ゲートには制御信号Ｓ１０１が与えられる。
【０１７６】
トランジスタＱ１０２は、ノードＮ１０１と接地端子との間に接続され、ゲートには制御信号Ｓ１０２が与えられる。ノードＮ１０１は、維持電極ＳＵ（図２の維持電極ＳＵ1〜ＳＵn）に接続される。
【０１７７】
ノードＮ１０１とノードＮ１０２との間には、コイルＬ１０１が接続される。ノードＮ１０２とノードＮ１０３との間には、ダイオードＤ１０１およびトランジスタＱ１０３が直列に接続されるとともに、ダイオードＤ１０２およびトランジスタＱ１０４が直列に接続される。コンデンサＣ１０１はノードＮ１０３と接地端子との間に接続される。トランジスタＱ１０３のゲートには制御信号Ｓ１０３が与えられ、トランジスタＱ１０４のゲートには制御信号Ｓ１０４が与えられる。
【０１７８】
ダイオードＤ１０３は、電圧Ｖｅを受ける電源端子Ｖ１０２とノードＮ１０４との間に接続される。トランジスタＱ１０５ａおよびトランジスタＱ１０５ｂは、ノードＮ１０４とノードＮ１０１との間に直列に接続される。トランジスタＱ１０５ａおよびトランジスタＱ１０５ｂのゲートには制御信号Ｓ１０５が与えられる。コンデンサＣ１０２は、ノードＮ１０４とノードＮ１０５との間に接続される。
【０１７９】
トランジスタＱ１０６は、ノードＮ１０５と接地端子との間に接続され、ゲートには制御信号Ｓ１０６が与えられる。トランジスタＱ１０７は、電圧Ｖｅ２を受ける電源端子Ｖ１０３とノードＮ１０５との間に接続され、ゲートには制御信号Ｓ１０７が与えられる。
【０１８０】
なお、図７ではスイッチング素子としてｎチャンネルＦＥＴを用いているが、これに代えて、スイッチング動作を行う素子としてＩＧＢＴ（絶縁ゲート型バイポーラ・トランジスタ）等の他の素子を用いても良い。
【０１８１】
ｎチャンネルＦＥＴＱ１０１〜Ｑ１０７に与えられる制御信号Ｓ１０１〜Ｓ１０７は、図３のタイミング回路１５から維持電極駆動回路１４にタイミング信号として与えられる。これらの制御信号Ｓ１０１〜Ｓ１０７は、回収コンデンサＣ１０１と維持電極（図示せず）との間の電荷の授受を制御する。
【０１８２】
図８は第１の実施の形態に係るプラズマディスプレイ装置において図４の第１ＳＦの初期化期間に走査電極ＳＣおよび維持電極ＳＵに与えられる駆動電圧波形図ならびに維持電極駆動回路１４に与えられる制御信号のタイミング図である。
【０１８３】
図８の最上段に走査電極ＳＣの駆動電圧波形が示され、次の段に維持電極ＳＵの駆動電圧波形が示されている。
【０１８４】
本実施の形態において、維持電極ＳＵに与えられる制御信号Ｓ１０２，Ｓ１０５は、各サブフィールドの点灯率に応じて変化する。具体的には、サブフィールドの点灯率が所定の閾値よりも低い場合と、サブフィールドの点灯率が所定の閾値以上である場合とで制御信号Ｓ１０２，Ｓ１０５が異なる。
【０１８５】
初めに、サブフィールドの点灯率が所定の閾値よりも低い場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。
【０１８６】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。
【０１８７】
走査電極ＳＵへの上りランプ波形の印加開始から所定期間経過した後、時点ｔ１ａで、制御信号Ｓ１０２がローレベルとなる。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。
【０１８８】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。
【０１８９】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。
【０１９０】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。
【０１９１】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。
【０１９２】
その後、制御信号Ｓ１０５，Ｓ１０７がハイレベルとなる。これにより、維持電極ＳＵが電位Ｖｅに電圧Ｖｅ２を加算した電位Ｖｅ’で保持される。
【０１９３】
続いて、サブフィールドの点灯率が所定の閾値以上である場合について説明する。サブフィールドの点灯率が所定の閾値以上である場合、走査電極ＳＵへの上りランプ波形の印加開始から所定期間経過した後、時点ｔ１ｂで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｉ5’まで上昇する。
【０１９４】
ここで、時点ｔ１ｂは、サブフィールドの点灯率が所定の閾値よりも低い場合に制御信号Ｓ１０２がハイレベルからローレベルに切り替わる時点ｔ１ａよりも遅くなるように設定される。そのため、サブフィールドの点灯率が所定の閾値以上である場合には、サブフィールドの点灯率が所定の閾値よりも低い場合に比べて維持電極ＳＵがハイインピーダンス状態となる期間が短縮される（矢印ＰＩ３’で示される第３の期間参照）。その結果、維持電極ＳＵに印加される上りランプ波形の波高値（接地電位と電位Ｖｉ5’との電位差）は、サブフィールドの点灯率が所定の閾値よりも低い場合の波高値（接地電位と電位Ｖｉ5との電位差）よりも小さくなる。
【０１９５】
また、走査電極ＳＵへの下りランプ波形の印加開始から所定期間経過した後、時点ｔ５ｂで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｉ6’まで下降する。
【０１９６】
ここで、時点ｔ５ｂは、サブフィールドの点灯率が所定の閾値よりも低い場合に制御信号Ｓ１０２がハイレベルからローレベルに切り替わる時点ｔ５ａよりも遅くなるように設定される。そのため、サブフィールドの点灯率が所定の閾値以上である場合には、サブフィールドの点灯率が所定の閾値よりも低い場合に比べて維持電極ＳＵがハイインピーダンス状態となる期間が短縮される（矢印ＰＩ４’で示される第４の期間参照）。その結果、維持電極ＳＵに印加される下りランプ波形の波高値（電位Ｖｉ3と電位Ｖｉ6’との電位差）は、サブフィールドの点灯率が所定の閾値よりも低い場合の波高値（電位Ｖｉ3と電位Ｖｉ6との電位差）よりも大きくなる。
【０１９７】
上記のように、本実施の形態に係るプラズマディスプレイ装置においては、サブフィールドの点灯率が所定の閾値よりも低い場合に維持電極ＳＵをハイインピーダンス状態にする期間（第３の期間および第４の期間）が長く設定され、サブフィールドの点灯率が所定の閾値以上である場合に維持電極ＳＵをハイインピーダンス状態にする期間が短く設定される。
【０１９８】
それにより、サブフィールドの点灯率が所定の閾値よりも低い場合に維持電極ＳＵに発生するランプ波形の波高値が、サブフィールドの点灯率が所定の閾値以上である場合に発生するランプ波形の波高値よりも大きくなる。
【０１９９】
これらより、以下の効果を得ることができる。サブフィールドの点灯率が所定の閾値よりも低い場合、そのサブフィールドで表示される画像は、黒の表示領域が大きくなる。したがって、パネル１上の放電面積が小さくなる。そのため、維持電極ＳＵがハイインピーダンス状態となる期間を長く設定し、初期化放電における電荷の調整量を少なくしても、後続の書込み期間で安定した書込み動作が行われる。したがって、点灯率が低い揚合には、維持電極ＳＵに印加するランプ波形電圧の印加タイミングを早くして、ランプ波形電圧の波高値を大きくする。その結果、初期化放電の発生が低減され、明瞭なハイコントラスト画像を得ることが可能となる。
【０２００】
一方、サブフィールドの点灯率が所定の閾値以上である場合、維持電極ＳＵがハイインピーダンス状態となる期間を短く設定し、初期化放電における電荷の調整量を多くする。これにより、後続の書込み期間で安定した書込み動作が行われる。したがって、点灯率が高い揚合には、維持電極ＳＵに印加するランプ波形電圧の印加タイミングを遅くして、ランプ波形電圧の波高値を小さくする。その結果、初期化期間における初期化放電の発生を低減するとともに、後続の書込み動作に必要な壁電荷が十分に調整される。
【０２０１】
図９はサブフィールドの点灯率と維持電極ＳＵへのランプ波形の印加タイミングとの関連性の一例を示す図である。図９の説明においては、ランプ波形の波高値は、時間の変化とともに緩やかに上昇または下降するランプ波形の印加終了時における電圧値をいう。
【０２０２】
本例では、サブフィールドの点灯率に応じて維持電極ＳＵのランプ波形の波高値が２段階に設定される。本例では、図８で説明した点灯率の閾値を５％に設定する。
【０２０３】
図９に示すように、点灯率の閾値が５％以上である場合、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。
【０２０４】
一方、点灯率の閾値が５％よりも低い場合、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。
【０２０５】
本実施の形態において、図９に示されるタイミングおよび波高値は、一例であり、これらの値はパネルにおける走査電極ＳＣおよび維持電極ＳＵ間の放電開始電圧に応じて適宜設定することが好ましい。
【０２０６】
本例において、各サブフィールドの点灯率が５％以上である状態から５％を下回る状態に変化する場合には、図９に示されるタイミングおよびランプ波形の波高値に応じてパネル１の駆動条件が変更される。
【０２０７】
上記のようにパネル１の駆動条件が著しく変化すると、初期化期間の発光輝度の変化が視認される場合がある。そこで、このような駆動条件の変更は、輝度の変化が視認されないように、段階的に行われてもよい。
【０２０８】
例えば、各サブフィールドの点灯率が５％以上である状態から５％を下回る状態に変化した場合、そのときのフィールドから１フィールドごとに、維持電極ＳＵをハイインピーダンス状態にするタイミングを２μｓずつずらすことにより、図９に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。
【０２０９】
上記と同様に、サブフィールドの点灯率が５％を下回る状態から５％以上の状態に変化する場合にも、そのときのフィールドから１フィールドごとに、維持電極ＳＵをハイインピーダンス状態とするタイミングを２μｓずつずらすことにより、図９に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。
【０２１０】
閾値にはヒステリシス幅が設定されてもよい。例えば、５％の閾値に、上下２％のヒステリシス幅を設ける。このように、ヒステリシス幅を設定することにより、以下のようにパネル１の駆動条件を変更することができる。
【０２１１】
例えば、サブフィールドの点灯率が５％以上の状態から５％を下回る状態に変化する場合には、図９に示されるタイミングおよびランプ波形の波高値に応じてパネル１の駆動条件が変更されるが、その後、サブフィールドの点灯率が上昇する際には、点灯率が７％以上となるまでパネル１の駆動条件を変更しない。
【０２１２】
このようなヒステリシス制御を行うことにより、例えば表示される画像のサブフィールドの点灯率が５％程度である場合に、画像の輝度が著しく切り替わることが防止される。それにより、初期化期間における発光輝度の変化が視認されることが十分に防止される。
【０２１３】
なお、本実施の形態では、図９に示される閾値を用いてパネル１を駆動する旨を説明したが、これらの閾値は、パネル１の放電開始電圧に応じて最適に設定することが望ましい。また、本実施では、１つの閾値を設定する旨を説明したが、閾値は複数設定されてもよい。
【０２１４】
本実施の形態では、全セル初期化サブフィールドが第１ＳＦに設定される例を説明したが、全セル初期化サブフィールドは第１ＳＦ以外のサブフィールド（例えば、第２ＳＦまたは第３ＳＦ等）に設定されてもよいし、複数のサブフィールドに設定されてもよい。
【０２１５】
この場合、全セル初期化波形が挿入されたサブフィールドにおいて、走査電極ＳＣにランプ波形が印加される間に維持電極ＳＵにランプ波形を印加する。これにより、全セル初期化波形が挿入されたサブフィールドで、上記同様の効果を得ることができる。
【０２１６】
また、複数のサブフィールドに全セル初期化波形が挿入される場合には、選択的に特定のサブフィールドにおいて、走査電極ＳＣにランプ波形が印加される間に維持電極ＳＵにランプ波形を印加してもよい。
【０２１７】
本実施の形態では、維持電極ＳＵをハイインピーダンス状態とすることにより、維持電極ＳＵのランプ波形を得ている。これに限らず、走査電極ＳＣ用のランプ波形生成回路と同様の構成を維持電極ＳＵ用のランプ波形生成回路としてプラズマディスプレイ装置に設けてもよい。この場合、初期化期間において、走査電極ＳＣに与えるランプ波形と同じ傾きを有するランプ波形を容易に維持電極ＳＵに与えることができる。
【０２１８】
初期化放電が安定しているパネル１を表示させる場合には、初期化期間における前半期間に、データ電極ＤＡにデータパルスＶｄを印加しなくてもよい。
【０２１９】
［第２の実施の形態］
以下、第２の実施の形態に係るプラズマディスプレイ装置について、第１の実施の形態に係るプラズマディスプレイ装置と異なる点を説明する。
【０２２０】
図１０は第２の実施の形態に係るプラズマディスプレイ装置の構成図である。図１０に示すように、本実施の形態に係るプラズマディスプレイ装置は、第１の実施の形態に係るプラズマディスプレイ装置の構成のうちの点灯率検出器２０Ａに代えて、ＡＰＬ検出器２０Ｂを備える。
【０２２１】
ＡＰＬ検出器２０Ｂは、画像信号ｓｉｇのＡＰＬ（平均画像レベル）を検出し、検出したＡＰＬを示す信号をタイミング発生回路１５へ出力する。ここで、ＡＰＬとは、１フレームにおける画像信号ｓｉｇの輝度レベルの平均をいい、１画面の画像の全体的な明るさを表している。本実施の形態では、１フレームは１フィールドに等しい。
【０２２２】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。
【０２２３】
ここで、本実施の形態では、図１０のＡＰＬ検出器２０Ｂにより検出されるＡＰＬの値に応じてランプ波形の波高値を制御する。この理由について説明する。
【０２２４】
本実施の形態に係るプラズマディスプレイ装置においては、ＡＰＬ検出回路２０により検出されるＡＰＬの値に応じて維持電極ＳＵに印加される維持パルスの数が変更される。
【０２２５】
具体的には、ＡＰＬの値が低くなるほど、１フィールド当りの維持パルス数が増加される。これにより、電力が一定に保たれつつ、画像のコントラストが強調される。
【０２２６】
したがって、前のフィールドでＡＰＬの値が低く維持パルス数が多いほど、次のフィールドの開始時点では、前のフィールドの維持放電に伴って放電セルＤＣ内部に発生するプライミングの量が多くなる。それにより、初期化期間における前半期間（図６）中、走査電極ＳＣと維持電極ＳＵとの間の放電開始電圧が低くなる。
【０２２７】
すなわち、前のフィールドでＡＰＬの値が低い画像が表示される際には、初期化期間の前半期間中に、走査電極ＳＣと維持電極ＳＵとの間で放電が発生しやすくなる。なお、プライミングとは、放電のための起爆剤となる励起粒子をいう。
【０２２８】
一方、ＡＰＬの値が高くなるほど、１フィールド当りの維持パルス数が減少される。この場合、前のフィールドでＡＰＬの値が高く維持パルス数が少ないほど、次のフィールドの開始時点では、前のフィールドの維持放電に伴って放電セルＤＣ内部に発生するプライミングの量が少なくなる。それにより、初期化期間における前半期間（図６）中、走査電極ＳＣと維持電極ＳＵとの間の放電開始電圧が高くなる。
【０２２９】
すなわち、前のフィールドでＡＰＬの値が高い画像が表示される際には、初期化期間の前半期間中に、走査電極ＳＣと維持電極ＳＵとの間で放電が発生しにくくなる。
【０２３０】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。
【０２３１】
そのため、本願発明では、前半期間中に維持電極ＳＵに上りランプ波形を印加するタイミングを、ＡＰＬ検出器２０Ｂにより検出されるＡＰＬの値に応じて適宜制御する。それにより、維持電極ＳＵに印加される上りランプ波形の波高値を制御し、各電極ＳＣ，ＳＵ，ＤＡの壁電荷を調整するとともに、必要のない放電を減らす。
【０２３２】
具体的には、例えば前のフィールドでＡＰＬの値が低い画像を表示する場合には放電開始電圧が低くなるので、前半期間中に維持電極ＳＵに上りランプ波形を印加するタイミングを早める。これにより、走査電極ＳＣと維持電極ＳＵとの間の初期化放電の期間が短縮され、上りランプ波形の波高値が大きくなる。それにより、前半期間における上りランプ波形の印加後に走査電極ＳＣおよび維持電極ＳＵに蓄積される壁電荷の量が過剰に多くなることが防止される。すなわち、走査電極ＳＣ上および維持電極ＳＵ上の壁電荷の量を減らすことができる。
【０２３３】
この場合、書込み期間における書込み放電を安定して発生させるために、前半期間に続く後半期間では、前半期間終了時に走査電極ＳＣ上および維持電極ＳＵ上に蓄積された壁電荷の量に応じて維持電極ＳＵに下りランプ波形を印加するタイミングを早め、下りランプ波形の波高値を大きくする。これにより、前半期間で、走査電極ＳＣ上および維持電極ＳＵ上に蓄積された壁電荷が、後半期間における初期化放電により減りすぎることが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。
【０２３４】
逆に、例えば前のフィールドでＡＰＬの値が高い画像を表示する場合には放電開始電圧が高くなるので、前半期間中に維持電極ＳＵに上りランプ波形を印加するタイミングを遅らせ、上りランプ波形の波高値を小さくする。これにより、走査電極ＳＣと維持電極ＳＵとの間の初期化放電の期間が長時間化される。それにより、前半期間における上りランプ波形の印加後に走査電極ＳＣおよび維持電極ＳＵに蓄積される壁電荷の量が過剰に少なくなることが防止される。すなわち、走査電極ＳＣ上および維持電極ＳＵ上の壁電荷の量を多くすることができる。
【０２３５】
この場合、書込み期間における書込み放電を安定して発生させるために、前半期間に続く後半期間では、前半期間終了時に走査電極ＳＣ上および維持電極ＳＵ上に蓄積された壁電荷の量に応じて維持電極ＳＵに下りランプ波形を印加するタイミングを遅らせ、下りランプ波形の波高値を小さくする。これにより、前半期間で、走査電極ＳＣ上および維持電極ＳＵ上に蓄積された壁電荷が、後半期間における初期化放電により十分に減らすことができないことが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。
【０２３６】
上記のように、ＡＰＬの値に応じて前半期間における維持電極ＳＵへの印加タイミングをずらして上りランプ波形の波高値を変化させる場合には、後半期間においても同様に、維持電極ＳＵへの印加タイミングを適宜ずらして下りランプ波形の波高値を適宜変化させる。これにより、書込み期間の書込み放電を安定して発生させることが可能となり、パネル１に良好な品質の画像を表示させることが可能となる。
【０２３７】
ＡＰＬ検出器２０Ｂにより検出されるＡＰＬに応じて維持電極ＳＵの上りおよび下りのランプ波形の波高値を変更することは、初期化期間の発光輝度の変化が視認されないように、段階的に行われることが望ましい。この段階的変化は、初期化期間における発光輝度の変化が視認されないように行われることが好ましく、例えばヒステリシス機能を用いることができる。
【０２３８】
第２の実施の形態に係るプラズマディスプレイ装置においても、第１の実施の形態において説明した図７の維持電極駆動回路１４と同じ構成を有する維持電極駆動回路１４（図１０）が用いられる。
【０２３９】
図１１は第２の実施の形態に係るプラズマディスプレイ装置において図４の第１ＳＦの初期化期間に走査電極ＳＣおよび維持電極ＳＵに与えられる駆動電圧波形図ならびに維持電極駆動回路１４に与えられる制御信号のタイミング図である。
【０２４０】
図１１の最上段に走査電極ＳＣの駆動電圧波形が示され、次の段に維持電極ＳＵの駆動電圧波形が示されている。
【０２４１】
本実施の形態において、維持電極ＳＵに与えられる制御信号Ｓ１０２，Ｓ１０５は、ＡＰＬ検出器２０Ｂにより検出されるＡＰＬの値に応じて変化する。具体的には、ＡＰＬの値が低い場合と、中程度の場合と、高い場合とで制御信号Ｓ１０２，Ｓ１０５が異なる。
【０２４２】
初めに、ＡＰＬの値が中程度の場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。
【０２４３】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。
【０２４４】
走査電極ＳＵへの上りランプ波形の印加開始から所定期間経過した後、時点ｔ１ａで、制御信号Ｓ１０２がローレベルとなる（太い実線部参照）。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。
【０２４５】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。
【０２４６】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。
【０２４７】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。
【０２４８】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。
【０２４９】
その後、制御信号Ｓ１０５，Ｓ１０７がハイレベルとなる。これにより、維持電極ＳＵが電位Ｖｅに電圧Ｖｅ２を加算した電位Ｖｅ’で保持される。
【０２５０】
続いて、ＡＰＬの値が低い場合について説明する。なお、図１１において、ＡＰＬの値が低い場合の制御信号Ｓ１０２，Ｓ１０５は太い一点鎖線で示されている。
【０２５１】
ＡＰＬの値が低い場合、走査電極ＳＵへの上りランプ波形の印加開始から所定期間経過した後、時点ｔ１ｂで、制御信号Ｓ１０２がローレベルとなる（太い一点差鎖線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｈ5まで上昇する。
【０２５２】
ここで、時点ｔ１ｂは、ＡＰＬの値が中程度の場合に制御信号Ｓ１０２がハイレベルからローレベルに切り替わる時点ｔ１ａよりも早くなるように設定される。そのため、ＡＰＬの値が低い場合には、ＡＰＬの値が中程度の場合に比べて維持電極ＳＵがハイインピーダンス状態となる期間が長時間化される（矢印ＰＩ３ｂで示される第３の期間参照）。その結果、維持電極ＳＵに印加される上りランプ波形の波高値（接地電位と電位Ｖｈ5との電位差）は、ＡＰＬの値が中程度の場合の波高値（接地電位と電位Ｖｉ5との電位差）よりも大きくなる。
【０２５３】
また、走査電極ＳＵへの下りランプ波形の印加開始から所定期間経過した後、時点ｔ５ｂで、制御信号Ｓ１０５がローレベルとなる（太い一点鎖線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｈ6まで下降する。
【０２５４】
ここで、時点ｔ５ｂは、ＡＰＬの値が中程度の場合に制御信号Ｓ１０２がハイレベルからローレベルに切り替わる時点ｔ５ａよりも早くなるように設定される。そのため、ＡＰＬの値が低い場合には、ＡＰＬの値が中程度の場合に比べて維持電極ＳＵがハイインピーダンス状態となる期間が長時間化される（矢印ＰＩ４ｂで示される第４の期間参照）。その結果、維持電極ＳＵに印加される下りランプ波形の波高値（電位Ｖｉ3と電位Ｖｈ6との電位差）は、ＡＰＬの値が中程度の場合の波高値（電位Ｖｉ3と電位Ｖｉ6との電位差）よりも大きくなる。
【０２５５】
ＡＰＬの値が高い場合、走査電極ＳＵへの上りランプ波形の印加開始から所定期間経過した後、時点ｔ１ｃで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｌ5まで上昇する。
【０２５６】
ここで、時点ｔ１ｃは、ＡＰＬの値が中程度の場合に制御信号Ｓ１０２がハイレベルからローレベルに切り替わる時点ｔ１ａよりも遅くなるように設定される。そのため、ＡＰＬの値が高い場合には、ＡＰＬの値が中程度の場合に比べて維持電極ＳＵがハイインピーダンス状態となる期間が短縮される（矢印ＰＩ３ｃで示される第３の期間参照）。その結果、維持電極ＳＵに印加される上りランプ波形の波高値（接地電位と電位Ｖｌ5との電位差）は、ＡＰＬの値が中程度の場合の波高値（接地電位と電位Ｖｉ5との電位差）よりも小さくなる。
【０２５７】
また、走査電極ＳＵへの下りランプ波形の印加開始から所定期間経過した後、時点ｔ５ｃで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｌ6まで下降する。
【０２５８】
ここで、時点ｔ５ｃは、ＡＰＬの値が中程度の場合に制御信号Ｓ１０２がハイレベルからローレベルに切り替わる時点ｔ５ａよりも遅くなるように設定される。そのため、ＡＰＬの値が高い場合には、ＡＰＬの値が中程度の場合に比べて維持電極ＳＵがハイインピーダンス状態となる期間が短縮される（矢印ＰＩ４ｃで示される第４の期間参照）。その結果、維持電極ＳＵに印加される下りランプ波形の波高値（電位Ｖｉ3と電位Ｖｌ6との電位差）は、ＡＰＬの値が中程度の場合の波高値（電位Ｖｉ3と電位Ｖｉ6との電位差）よりも小さくなる。
【０２５９】
上記のように、本実施の形態に係るプラズマディスプレイ装置においては、ＡＰＬの値が低い場合と、中程度の場合と、高い場合とで維持電極ＳＵをハイインピーダンス状態にする期間（第３の期間および第４の期間）が互いに異なるように設定される。
【０２６０】
すなわち、ＡＰＬの値が低い場合には維持電極ＳＵをハイインピーダンス状態にする期間が長く設定され、ＡＰＬの値が中程度の場合には維持電極ＳＵをハイインピーダンス状態にする期間が中程度に設定され、ＡＰＬの値が高い場合には維持電極ＳＵをハイインピーダンス状態にする期間が長く設定される。
【０２６１】
それにより、ＡＰＬの値が低い場合に維持電極ＳＵに発生するランプ波形の波高値が、ＡＰＬの値が中程度の場合に発生するランプ波形の波高値よりも大きくなる。一方、ＡＰＬの値が高い場合に維持電極ＳＵに発生するランプ波形の波高値が、ＡＰＬの値が中程度の場合に発生するランプ波形の波高値よりも小さくなる。
【０２６２】
上記のように、ＡＰＬの値に応じて、維持電極ＳＵをハイインピーダンス状態にする期間を変化させることにより、表示品質が向上されかつコントラストが向上された画像を得ることができる。
【０２６３】
図１２はＡＰＬ検出器２０Ｂにより検出されるＡＰＬの値に応じて設定される維持電極ＳＵへのランプ波形の印加タイミングおよび波高値の一例を示す図である。図１２の説明においては、ランプ波形の波高値は、時間の変化とともに緩やかに上昇または下降するランプ波形の印加終了時における電圧値をいう。
【０２６４】
本例では、ＡＰＬの値に応じて維持電極ＳＵへのランプ波形の印加タイミングおよび波高値が３段階で設定される。
【０２６５】
図１２に示すように、ＡＰＬの値が０％以上１０％以下である場合（低い場合）、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。
【０２６６】
続いて、ＡＰＬの値が１０％よりも高く３０％以下である場合（中程度の場合）、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。
【０２６７】
ＡＰＬの値が３０％よりも高く１００％以下である場合（高い場合）、維持電極ＳＵに印加される上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。
【０２６８】
本実施の形態において、図１２に示されるタイミングおよび波高値は、一例であり、これらの値はパネルにおける走査電極ＳＣおよび維持電極ＳＵ間の放電開始電圧に応じて適宜設定することが好ましい。
【０２６９】
本例において、ＡＰＬの値が０％以上１０％以下の範囲内にある状態から１０％よりも高く３０％以下の範囲内にある状態に変化する場合には、図１２に示されるタイミングおよびランプ波形の波高値に応じてパネル１の駆動条件が変更される。
【０２７０】
上記のようにパネル１の駆動条件が著しく変化すると、初期化期間の発光輝度の変化が視認される場合がある。そこで、このような駆動条件の変更は、輝度の変化が視認されないように、段階的に行われてもよい。
【０２７１】
例えば、ＡＰＬの値が０％以上１０％以下の範囲内にある状態から１０％よりも高く３０％以下の範囲内にある状態に変化した場合、ＡＰＬの値が１０％よりも高く３０％以下の範囲内にある状態に変化したときのフィールドから１フィールドごとに、維持電極ＳＵをハイインピーダンス状態にするタイミングを２μｓずつずらすことにより、図１２に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。
【０２７２】
上記と同様に、ＡＰＬの値が１０％よりも高く３０％以下の範囲内にある状態から３０％よりも高く１００％以下の範囲内にある状態に変化した場合、ＡＰＬの値が３０％よりも高く１００％以下の範囲内にある状態に変化したときのフィールドから１フィールドごとに、維持電極ＳＵをハイインピーダンス状態にするタイミングを２μｓずつずらすことにより、図１２に示される所望のタイミングに変更する。このように、フィールド毎に段階的にタイミングをずらすことにより、維持電極ＳＵをハイインピーダンス状態にするタイミングが徐々に所望のタイミングに近づくように変更される。その結果、輝度の変化が視認されることが十分に防止される。
【０２７３】
ＡＰＬの値が３０％よりも高く１００％以下の範囲内にある状態から１０％よりも高く３０％以下の範囲内にある状態に変化した場合、およびＡＰＬの値が１０％よりも高く３０％以下の範囲内にある状態から０％以上１０％以下の範囲内にある状態に変化した場合についても上記と同様の処理を行う。その結果、輝度の変化が視認されることが十分に防止される。
【０２７４】
上述のように、図１２の例においては、ＡＰＬの値が、０％以上１０％以下の範囲、１０％よりも高く３０％以下の範囲、および３０％よりも高く１００％以下の範囲のいずれの範囲に属するかに応じてパネル１の駆動条件が変更される。
【０２７５】
本実施の形態においては、各範囲を区分する閾値にヒステリシス幅が設定されてもよい。図１２の例では、１０％および３０％が閾値に相当する。
【０２７６】
例えば、３０％の閾値に、上下２％のヒステリシス幅を設ける。このように、ヒステリシス幅を設定することにより、以下のようにパネル１の駆動条件を変更することができる。
【０２７７】
例えば、ＡＰＬの値が３０％よりも高い状態から３０％以下の状態に変化する場合には、図１２に示されるタイミングおよびランプ波形の波高値に応じてパネル１の駆動条件が変更されるが、その後、ＡＰＬの値が上昇する際には、ＡＰＬの値が３２％よりも高い状態となるまでパネル１の駆動条件を変更しない。
【０２７８】
このようなヒステリシス制御を行うことにより、例えば表示される画像のＡＰＬの値が３０％程度である場合に、画像の輝度が著しく切り替わることが防止される。それにより、初期化期間における発光輝度の変化が視認されることが十分に防止される。
【０２７９】
なお、本実施の形態では、図１２に示されるようにＡＰＬの値が３つの範囲のいずれに属するかに応じてパネル１を駆動する旨を説明したが、これらの範囲はパネル１の放電開始電圧に応じて最適に設定することが望ましい。また、本実施では、ＡＰＬの値について３つの範囲を設定する旨を説明したが、ＡＰＬの値の範囲は２つ設定されてもよいし、４つ設定されてもよい。
【０２８０】
［第３の実施の形態］
以下、第３の実施の形態に係るプラズマディスプレイ装置について、第１の実施の形態に係るプラズマディスプレイ装置と異なる点を説明する。
【０２８１】
図１３は第３の実施の形態に係るプラズマディスプレイ装置の構成図である。図１３に示すように、本実施の形態に係るプラズマディスプレイ装置は、第１の実施の形態に係るプラズマディスプレイ装置の構成のうちの点灯率検出器２０Ａに代えて、点灯時間検出器２０Ｃを備える。
【０２８２】
点灯時間検出器２０Ｃは、画像信号ｓｉｇの入力状態を監視することによりパネル１における累積点灯時間を検出し、その値をタイミング発生回路１５に供給する。ここで、累積点灯時間とは、使用者によりプラズマディスプレイ装置の電源がオンされる状態、具体的にはパネル１が駆動状態にある時間の累積値をいう。以下の説明において、パネル１を駆動状態とする操作をオン操作と呼び、パネル１を非駆動状態とする操作をオフ操作と呼ぶ。
【０２８３】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。
【０２８４】
ここで、本実施の形態では、図１３の点灯時間検出器２０Ｃにより検出される累積点灯時間に応じてランプ波形の波高値を制御する。この理由について説明する。
【０２８５】
一般に、プラズマディスプレイ装置においては、パネル１の累積点灯時間に応じて走査電極ＳＣと維持電極ＳＵとの間の放電開始電圧が変化する。具体的には、累積点灯時間が長くなるほど走査電極ＳＣと維持電極ＳＵとの間の放電開始電圧が高くなる。
【０２８６】
この場合、第１ＳＦ（全セル初期化サブフィールド）の初期化期間における前半期間中に、走査電極ＳＣと維持電極ＳＵとの間で放電が発生しにくくなる。
【０２８７】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。
【０２８８】
そのため、本願発明では、前半期間中に維持電極ＳＵに上りランプ波形を印加するタイミングを、点灯時間検出器２０Ｃにより検出される累積点灯時間に応じて適宜制御する。それにより、維持電極ＳＵに印加される上りランプ波形の波高値を制御し、各電極ＳＣ，ＳＵ，ＤＡの壁電荷を調整する。
【０２８９】
具体的には、例えば累積点灯時間が所定の閾値よりも長くなった場合に、放電開始電圧の上昇に応じて前半期間中に維持電極ＳＵに上りランプ波形を印加するタイミングを遅らせ、上りランプ波形の波高値を小さくする。
【０２９０】
これにより、走査電極ＳＣと維持電極ＳＵとの間の初期化放電の期間が放電開始電圧の上昇に伴って短縮されることが防止される。それにより、前半期間における上りランプ波形の印加後に走査電極ＳＣおよび維持電極ＳＵに蓄積される壁電荷の量が過剰に少なくなることが防止される。
【０２９１】
また、この場合、書込み期間における書込み放電を安定して発生させるために、後半期間中に維持電極ＳＵに下りランプ波形を印加するタイミングを遅らせ、下りランプ波形の波高値を小さくする。
【０２９２】
これにより、前半期間で、走査電極ＳＣ上および維持電極ＳＵ上に蓄積された壁電荷が、後半期間における初期化放電により十分に減らすことができないことが防止される。それにより、走査電極ＳＣ、維持電極ＳＵおよびデータ電極ＤＡ上に蓄積される壁電荷の量が、書込み放電に適した値に調整される。その結果、表示品質が向上されかつコントラストが向上された画像を得ることができる。
【０２９３】
上記累積点灯時間に応じて維持電極ＳＵの上りおよび下りのランプ波形の波高値を変更するタイミングは、例えば累積点灯時間が所定の閾値よりも長くなった後、オフ操作が行われ、さらにその後オン操作されるタイミングで設定されることが好ましい。このように、維持電極ＳＵに印加するランプ波形の変更を、オン操作およびオフ操作のタイミングで行うことにより、初期化期間の発光輝度の変化が視認されにくくなる。
【０２９４】
第３の実施の形態に係るプラズマディスプレイ装置においても、第１の実施の形態において説明した図７の維持電極駆動回路１４と同じ構成を有する維持電極駆動回路１４（図１３）が用いられる。
【０２９５】
第３の実施の形態に係るプラズマディスプレイ装置の走査電極ＳＣおよび維持電極ＳＵは、例えば第１の実施の形態において説明した図８の駆動電圧波形を用いて駆動することができる。以下、走査電極ＳＣおよび維持電極ＳＵの動作、ならびに維持電極駆動回路１４（図１３）に与えられる制御信号について図８を参照しつつ説明する。
【０２９６】
本実施の形態において、維持電極ＳＵに与えられる制御信号Ｓ１０２，Ｓ１０５は、点灯時間検出器２０Ｃにより検出される累積点灯時間に応じて変化する。具体的には、累積点灯時間が所定の閾値以下である場合と、累積点灯時間が所定の閾値よりも長い場合とで制御信号Ｓ１０２，Ｓ１０５が異なる。
【０２９７】
初めに、累積点灯時間が所定の閾値以下である場合について説明する。第１ＳＦの開始時点ｔｓでは、制御信号Ｓ１０１，Ｓ１０３，Ｓ１０４，Ｓ１０５，Ｓ１０６，Ｓ１０７がローレベルにあり、制御信号Ｓ１０２がハイレベルにある。それにより、トランジスタＱ１０１，Ｑ１０３，Ｑ１０４，Ｑ１０５ａ，Ｑ１０５ｂ，Ｑ１０６，Ｑ１０７がオフし、トランジスタＱ１０２がオンしている。これにより、維持電極ＳＵ（図７のノードＮ１０１）が接地電位となっている。
【０２９８】
その後、時点ｔ０で走査電極ＳＣの電位がＶｉ1に上昇する。そして、時点ｔ０１で走査電極ＳＵに電位Ｖｉ1から電位Ｖｉ2まで上昇する上りランプ波形が印加される。このランプ波形は、時点ｔ０１から時点ｔ２までの第１の期間ＰＩ１に走査電極ＳＵに印加される。
【０２９９】
走査電極ＳＵへの上りランプ波形の印加開始から所定期間経過した後、時点ｔ１ａで、制御信号Ｓ１０２がローレベルとなる（太い実線部参照）。これにより、トランジスタＱ１０２がオフする。この場合、維持電極ＳＵは電源端子および接地端子のいずれにも接続されない。その結果、維持電極ＳＵがハイインピーダンス状態となる。これにより、走査電極ＳＣの電位の上昇に伴って、時点ｔ１ａから時点ｔ２までの第３の期間ＰＩ３に維持電極ＳＵの電位がＶｉ5まで上昇する。
【０３００】
維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。時点ｔ２から時点ｔ３の期間では、走査電極ＳＣの電位が一定に維持されるので、維持電極ＳＵの電位も一定に維持される。
【０３０１】
時点ｔ４で、走査電極ＳＣに電位Ｖｉ3から電位Ｖｉ4まで下降する下りランプ波形の印加が開始される。このランプ波形は、時点ｔ４から時点ｔ６までの第２の期間ＰＩ２に走査電極ＳＵに印加される。
【０３０２】
このとき、制御信号Ｓ１０５がハイレベルとなる。これにより、トランジスタＱ１０５ａ，Ｑ１０５ｂがオンする。それにより、電源端子Ｖ１０２からノードＮ１０４を通して維持電極ＳＵに電流が流れる。その結果、維持電極ＳＵの電位が上昇し、電位Ｖｅで保持される。
【０３０３】
走査電極ＳＵへの下りランプ波形の印加開始から所定期間経過した後、時点ｔ５ａで、制御信号Ｓ１０５がローレベルとなる。これにより、トランジスタＱ１０５がオフする。この場合、維持電極ＳＵは電源端子および接地端子のいずれにも接続されない。その結果、維持電極ＳＵが再びハイインピーダンス状態となる。これにより、走査電極ＳＣの電位の下降に伴って、時点ｔ５ａから時点ｔ６までの第４の期間ＰＩ４に維持電極ＳＵの電位がＶｉ6まで下降する。維持電極ＳＵがハイインピーダンス状態である場合、走査電極ＳＣと維持電極ＳＵとの間の電位差がほぼ一定に保たれる。そのため、走査電極ＳＣと維持電極ＳＵとの間で放電が発生しにくくなる。
【０３０４】
その後、制御信号Ｓ１０５，Ｓ１０７がハイレベルとなる。これにより、維持電極ＳＵが電位Ｖｅに電圧Ｖｅ２を加算した電位Ｖｅ’で保持される。
【０３０５】
続いて、累積点灯時間が所定の閾値よりも長くなった場合について説明する。累積点灯時間が所定の閾値よりも長くなった場合、走査電極ＳＵへの上りランプ波形の印加開始から所定期間経過した後、時点ｔ１ｂで、制御信号Ｓ１０２がローレベルとなる（太い点線部参照）。これにより、トランジスタＱ１０２がオフする。この場合、上述のように維持電極ＳＵがハイインピーダンス状態となる。これにより、走査電極ＳＣの電位の上昇に伴って、維持電極ＳＵの電位がＶｉ5’まで上昇する。
【０３０６】
ここで、時点ｔ１ｂは、累積点灯時間が所定の閾値以下である場合に制御信号Ｓ１０２がハイレベルからローレベルに切り替わる時点ｔ１ａよりも遅くなるように設定される。そのため、累積点灯時間が所定の閾値よりも長い場合には、累積点灯時間が所定の閾値以下である場合に比べて維持電極ＳＵがハイインピーダンス状態となる期間が短縮される（矢印ＰＩ３’で示される第３の期間参照）。その結果、維持電極ＳＵに印加される上りランプ波形の波高値（接地電位と電位Ｖｉ5’との電位差）は、累積点灯時間が所定の閾値以下である場合の波高値（接地電位と電位Ｖｉ5との電位差）よりも小さくなる。
【０３０７】
また、走査電極ＳＵへの下りランプ波形の印加開始から所定期間経過した後、時点ｔ５ｂで、制御信号Ｓ１０５がローレベルとなる（太い点線部参照）。これにより、トランジスタＱ１０５ａ，Ｑ１０５ｂがオフする。この場合、上述のように維持電極ＳＵがハイインピーダンス状態となる。これにより、走査電極ＳＣの電位の下降に伴って、維持電極ＳＵの電位がＶｉ6’まで下降する。
【０３０８】
ここで、時点ｔ５ｂは、累積点灯時間が所定の閾値以下である場合に制御信号Ｓ１０２がハイレベルからローレベルに切り替わる時点ｔ５ａよりも遅くなるように設定される。そのため、累積点灯時間が所定の閾値よりも長い場合には、累積点灯時間が所定の閾値以下である場合に比べて維持電極ＳＵがハイインピーダンス状態となる期間が短縮される（矢印ＰＩ４’で示される第４の期間参照）。その結果、維持電極ＳＵに印加される下りランプ波形の波高値（電位Ｖｉ3と電位Ｖｉ6’との電位差）は、累積点灯時間が所定の閾値以下である場合の波高値（電位Ｖｉ3と電位Ｖｉ6との電位差）よりも小さくなる。
【０３０９】
上記のように、本実施の形態に係るプラズマディスプレイ装置においては、累積点灯時間が所定の閾値以下である場合に維持電極ＳＵをハイインピーダンス状態にする期間（第３の期間および第４の期間）が長く設定され、累積点灯時間が所定の閾値よりも長い場合に維持電極ＳＵをハイインピーダンス状態にする期間が短く設定される。これにより、表示品質が向上されかつコントラストが向上された画像を得ることができる。
【０３１０】
図１４は点灯時間検出器２０Ｃにより検出される累積点灯時間に応じて設定される維持電極ＳＵへのランプ波形の印加タイミングおよび波高値の一例を示す図である。図１４の説明においては、ランプ波形の波高値は、時間の変化とともに緩やかに上昇または下降するランプ波形の印加終了時における電圧値をいう。
【０３１１】
本例では、累積点灯時間に応じて維持電極ＳＵへのランプ波形の印加タイミングおよび波高値が３段階で設定される。
【０３１２】
図１４に示すように、累積点灯時間が０時間以上５００時間以下である場合、維持電極ＳＵに印加される上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。
【０３１３】
続いて、累積点灯時間が５００時間よりも長く１５００時間以下である場合、維持電極ＳＵに印加される上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。
【０３１４】
累積点灯時間が１５００時間よりも長い場合、維持電極ＳＵに印加される上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。
【０３１５】
本実施の形態において、図１４に示されるタイミングおよび波高値は一例であり、これらの値はパネル１における走査電極ＳＣおよび維持電極ＳＵ間の放電開始電圧に応じて適宜設定することが好ましい。
【０３１６】
なお、本実施の形態では、図１４に示されるように累積点灯時間が３つの範囲のいずれに属するかに応じてパネル１を駆動する旨を説明したが、これらの範囲はパネル１の放電開始電圧に応じて最適に設定することが望ましい。また、本実施では、累積点灯時間について３つの範囲を設定する旨を説明したが、累積点灯時間の範囲は２つ設定されてもよいし、４つ設定されてもよい。
【０３１７】
本実施の形態においては、累積点灯時間は、点灯時間検出器２０Ｃが画像信号ｓｉｇの入力状態を監視することにより検出される。これに代えて、累積点灯時間は、オン操作およびオフ操作を行うためのスイッチの切替信号を監視することにより検出してもよい。したがって、点灯時間検出器２０Ｃは、図１３に示される各構成と個別に設けられてもよい。
【０３１８】
［第４の実施の形態］
以下、第４の実施の形態に係るプラズマディスプレイ装置について、第１の実施の形態に係るプラズマディスプレイ装置と異なる点を説明する。
【０３１９】
図１５は第４の実施の形態に係るプラズマディスプレイ装置の構成図である。図１５に示すように、本実施の形態に係るプラズマディスプレイ装置は、第１の実施の形態に係るプラズマディスプレイ装置の構成のうちの点灯率検出器２０Ａに代えて、温度検出器２０Ｄを備える。
【０３２０】
温度検出器２０Ｄは、パネル１の温度を検出し、その値をタイミング発生回路１５へ出力する。なお、温度検出器２０は、パネル１に接触するように設けられてもよく、パネル１から離間するように設けられてもよい。例えば、パネル１の背面側に取り付けられた回路基板上に温度検出器２０が設けられてもよい。
【０３２１】
本実施の形態に係るプラズマディスプレイ装置においても、図６の例に示されるように、全セル初期化動作が行われる初期化期間の前半期間および後半期間中の所定のタイミングで維持電極ＳＵをハイインピーダンス状態にする。これにより、維持電極ＳＵに上りランプ波形および下りランプ波形が印加される。
【０３２２】
ここで、本実施の形態では、図１５の温度検出器２０Ｄにより検出されるパネル１の温度に応じてランプ波形の波高値を制御する。この理由について説明する。
【０３２３】
一般に、プラズマディスプレイ装置においては、パネル１の温度に応じて走査電極ＳＣと維持電極ＳＵとの間の放電開始電圧が変化する。具体的には、パネル１の温度が低いほど、走査電極ＳＣと維持電極ＳＵとの間の放電開始電圧が高くなる。
【０３２４】
この場合、第１ＳＦ（全セル初期化サブフィールド）の初期化期間における前半期間中に、走査電極ＳＣと維持電極ＳＵとの間で放電が発生しにくくなる。
【０３２５】
本実施の形態の形態において、前半期間中に維持電極ＳＵに上りランプ波形を印加するタイミングは、全ての放電セルＤＣ内で走査電極ＳＣと維持電極ＳＵとの間の微弱放電が発生した後となるように設定される必要がある。
【０３２６】
そのため、本願発明では、前半期間中に維持電極ＳＵに上りランプ波形を印加するタイミングを、温度検出器２０Ｄにより検出されるパネル１の温度に応じて適宜制御する。それにより、維持電極ＳＵに印加される上りランプ波形の波高値を制御し、各電極ＳＣ，ＳＵ，ＤＡの壁電荷を調整する。
【０３２７】
具体的には、例えばパネル１の温度が所定の閾値よりも低い場合に、放電開始電圧の高さに応じて前半期間中に維持電極ＳＵに上りランプ波形を印加するタイミングを遅らせ、上りランプ波形の波高値を小さくする。
【０３２８】
これにより、放電開始電圧が高い場合でも、走査電極ＳＣと維持電極ＳＵとの間の初期化放電の期間を十分に長くすることができる。それにより、前半期間における上りランプ波形の印加後に走査電極ＳＣおよび維持電極ＳＵに蓄積される壁電荷の量が過剰に少なくなることが防止される。
【０３２９】
また、この場合、書込み期間における書込み放電を安定して発生させるために、後半期間中に維持電極ＳＵに下りランプ波形を印加するタイミングを遅らせ、下りランプ波形の波高値を小さくする。
【０３３０】
なお、パネル１の温度に応じて維持電極ＳＵに印加されるランプ波形の波高値を変更することは、初期化期間の発光輝度の変化が視認されないように、段階的に行われることが望ましい。また、この段階的変化は、初期化期間における発光輝度の変化が視認されないように行われることが好ましく、例えばヒステリシス機能を用いることができる。
【０３３１】
第４の実施の形態に係るプラズマディスプレイ装置においても、第１の実施の形態において説明した図７の維持電極駆動回路１４と同じ構成を有する維持電極駆動回路１４（図１５）が用いられる。
【０３３２】
第４の実施の形態に係るプラズマディスプレイ装置の走査電極ＳＣおよび維持電極ＳＵは、例えば第１の実施の形態において説明した図８の駆動電圧波形を用いて駆動することができる。以下、走査電極ＳＣおよび維持電極ＳＵの動作、ならびに維持電極駆動回路１４（図１３）に与えられる制御信号について図８を参照しつつ説明する。
【０３３３】
本実施の形態において、パネル１の温度が高い場合には、走査電極ＳＵへの上りランプ波形の印加開始から所定期間経過した後、例えば時点ｔ１ａで制御信号Ｓ１０２がローレベルとなる。これにより、維持電極ＳＵが時点ｔ１ａから時点ｔ２までの第３の期間ＰＩ３にハイインピーダンス状態となる。
【０３３４】
一方、パネル１の温度が低い場合には、例えば時点ｔ１ａよりも遅い時点ｔ１ｂで、制御信号Ｓ１０２がローレベルとなる。これにより、維持電極ＳＵが時点１ｂから時点ｔ２までの第３の期間（図８の矢印ＰＩ３’）にハイインピーダンス状態となる。
【０３３５】
このように、パネル１の温度に応じて制御信号Ｓ１０２が切り換えられることにより、パネル１の温度が低い場合には、パネル１の温度が高い場合に比べて前半期間において維持電極ＳＵがハイインピーダンス状態となる期間が短縮される。それにより、パネル１の温度が低い場合に維持電極ＳＵに発生する上りランプ波形の波高値は、パネル１の温度が高い場合に維持電極ＳＵに発生する上りランプ波形の波高値よりも小さくなる。
【０３３６】
また、パネル１の温度が高い場合には、走査電極ＳＵへの下りランプ波形の印加開始から所定期間経過した後、例えば時点ｔ５ａで制御信号Ｓ１０５がローレベルとなる。これにより、維持電極ＳＵが時点ｔ５ａから時点ｔ６までの第４の期間ＰＩ４にハイインピーダンス状態となる。
【０３３７】
一方、パネル１の温度が低い場合には、例えば時点ｔ５ａよりも遅い時点ｔ５ｂで、制御信号Ｓ１０５がローレベルとなる。これにより、維持電極ＳＵが時点５ｂから時点ｔ６までの第４の期間（図８の矢印ＰＩ４’）にハイインピーダンス状態となる。
【０３３８】
このように、パネル１の温度に応じて制御信号Ｓ１０５が切り換えられることにより、パネル１の温度が低い場合には、パネル１の温度が高い場合に比べて前半期間において維持電極ＳＵがハイインピーダンス状態となる期間が短縮される。それにより、パネル１の温度が低い場合に維持電極ＳＵに発生する下りランプ波形の波高値は、パネル１の温度が高い場合に維持電極ＳＵに発生する下りランプ波形の波高値よりも小さくなる。
【０３３９】
上記のように、本実施の形態に係るプラズマディスプレイ装置においては、パネル１の温度が低い場合に維持電極ＳＵをハイインピーダンス状態にする期間（第３の期間および第４の期間）が短く設定される。これにより、パネル１の温度が低いほど、維持電極ＳＵに発生するランプ波形の波高値が小さくなる。その結果、パネル１の温度変化に関わらず、表示品質の良好な画像を常時表示させることが可能となる。
【０３４０】
なお、本実施の形態においては、パネル１の温度に関して１または複数の閾値を設け、その閾値を基準として維持電極ＳＵのランプ波形の波高値を変更してもよい。
【０３４１】
図１６は温度検出器２０Ｄにより検出される温度に応じて設定される維持電極ＳＵへのランプ波形の印加タイミングおよび波高値の一例を示す図である。図１６の説明においては、ランプ波形の波高値は、時間の変化とともに緩やかに上昇または下降するランプ波形の印加終了時における電圧値をいう。
【０３４２】
本例では、ＡＰＬの値に応じて維持電極ＳＵへのランプ波形の印加タイミングおよび波高値が３段階で設定される。
【０３４３】
図１６に示すように、パネル１の温度が５℃以下である場合、維持電極ＳＵに発生する上りランプ波形の波高値は例えば０Ｖに設定され、下りランプ波形の波高値は例えば１６０Ｖに設定される。また、上りランプ波形を得るために維持電極ＳＵをハイインピーダンス状態にするタイミングは例えば１３０μｓに設定される。下りランプ波形を得るために維持電極ＳＵをハイインピーダンス状態にするタイミングは例えば２００μｓに設定される。
【０３４４】
パネル１の温度が５℃よりも高く２５℃以下である場合、維持電極ＳＵに発生する上りランプ波形の波高値は例えば３５Ｖに設定され、下りランプ波形の波高値は例えば１２５Ｖに設定される。また、上りランプ波形を得るために維持電極ＳＵをハイインピーダンス状態にするタイミングは例えば１００μｓに設定される。下りランプ波形を得るために維持電極ＳＵをハイインピーダンス状態にするタイミングは例えば１７０μｓに設定される。
【０３４５】
パネル１の温度が２５℃よりも高い場合、維持電極ＳＵに発生する上りランプ波形の波高値は例えば７０Ｖに設定され、下りランプ波形の波高値は例えば９０Ｖに設定される。また、上りランプ波形を得るために維持電極ＳＵをハイインピーダンス状態にするタイミングは例えば７０μｓに設定される。下りランプ波形を得るために維持電極ＳＵをハイインピーダンス状態にするタイミングは例えば１４０μｓに設定される。
【０３４６】
なお、パネル１の駆動条件の変更は、輝度の変化が視認されないように、段階的に行われてもよい。
【０３４７】
例えば、パネル１の温度が５℃以下である状態から５℃よりも高い状態に変化した場合、そのときのフィールドから１フィールドごとに、維持電極ＳＵをハイインピーダンス状態にするタイミングを２μｓずつ遅らせることにより、図１６に示される所望のタイミングに変更する。
【０３４８】
同様に、パネル１の温度が５℃以上の状態から５℃より低い状態に変化した場合、そのときのフィールドから１フィールドごとに、維持電極ＳＵをハイインピーダンス状態にするタイミングを２μｓずつ早めることにより、図１６に示される所望のタイミングに変更する。
【０３４９】
このように、フィールド毎に段階的にタイミングをずらすことにより、波高値が徐々に所望のタイミングに近づくように変更される。その結果、輝度の変化が視認されることが十分に防止される。
【０３５０】
本実施の形態においては、上記の各範囲を区分する閾値にヒステリシス幅が設定されてもよい。図１６の例では、５℃および２５℃が閾値に相当する。
【０３５１】
例えば、５℃の閾値に、上下２℃のヒステリシス幅を設ける。このように、ヒステリシス幅を設定することにより、以下のようにパネル１の駆動条件を変更することができる。
【０３５２】
例えば、パネル１の温度が５℃よりも高い状態から５℃以下の状態に変化する場合には、図１６に示されるタイミングおよびランプ波形の波高値に応じてパネル１の駆動条件が変更されるが、その後、パネル１の温度が上昇する際には、パネル１の温度が７℃よりも高くなるまでパネル１の駆動条件を変更しない。
【０３５３】
このようなヒステリシス制御を行うことにより、例えばパネル１の温度が５℃程度または２５℃程度である場合に、画像の輝度が著しく切り替わることが防止される。それにより、初期化期間における発光輝度の変化が視認されることが十分に防止される。
【０３５４】
［請求項の各構成要素と実施の形態の各要素との対応］
以下、請求項の各構成要素と実施の形態の各要素との対応の例について説明するが、本発明は下記の例に限定されない。
【０３５５】
第１〜第４の実施の形態においては、電位Ｖｉ1が第１の電位の例であり、電位Ｖｉ2が第２の電位の例であり、電位Ｖｉ1からＶｉ2に上昇するランプ波形が第１のランプ波形の例であり、電位Ｖｉ3が第３の電位の例であり、電位Ｖｉ4が第４の電位の例であり、電位Ｖｉ3からＶｉ4に下降するランプ波形が第２のランプ波形の例である。
【０３５６】
また、接地電位が第５の電位の例であり、電位Ｖｉ5，Ｖｉ5’，Ｖｈ5，Ｖｌ5が第６の電位の例であり、正の電位Ｖｅが第７の電位の例であり、電位Ｖｉ6，Ｖｉ6’，Ｖｈ6，Ｖｌ6が第８の電位の例である。
【０３５７】
請求項の各構成要素として、請求項に記載されている構成または機能を有する他の種々の要素を用いることもできる。
【産業上の利用可能性】
【０３５８】
本発明は、種々の画像を表示する表示装置に利用することができる。
【図面の簡単な説明】
【０３５９】
【図１】図１は第１の実施の形態に用いるプラズマディスプレイの要部を示す斜視図
【図２】図２は第１の実施の形態におけるパネルの電極配列図
【図３】図３は第１の実施の形態に係るプラズマディスプレイ装置の構成図
【図４】図４は第１の実施の形態においてパネルの各電極に印加される駆動電圧波形を示す図
【図５】図５は全セル初期化動作時に従来のプラズマディスプレイ装置で用いられる駆動電圧波形図
【図６】図６は全セル初期化動作時に第１の実施の形態に係るプラズマディスプレイ装置で用いられる駆動電圧波形図
【図７】図７は図３の維持電極駆動回路の一構成例を示す回路図
【図８】図８は第１の実施の形態に係るプラズマディスプレイ装置において図４の第１ＳＦの初期化期間に走査電極および維持電極に与えられる駆動電圧波形図ならびに維持電極駆動回路に与えられる制御信号のタイミング図
【図９】図９はサブフィールドの点灯率と維持電極へのランプ波形の印加タイミングとの関連性の一例を示す図
【図１０】図１０は第２の実施の形態に係るプラズマディスプレイ装置の構成図
【図１１】図１１は第２の実施の形態に係るプラズマディスプレイ装置において図４の第１ＳＦの初期化期間に走査電極および維持電極に与えられる駆動電圧波形図ならびに維持電極駆動回路に与えられる制御信号のタイミング図
【図１２】図１２はＡＰＬ検出回路により検出されるＡＰＬの値に応じて設定される維持電極へのランプ波形の印加タイミングの一例を示す図
【図１３】図１３は第３の実施の形態に係るプラズマディスプレイ装置の構成図
【図１４】図１４は点灯時間検出器により検出される累積点灯時間に応じて設定される維持電極へのランプ波形の印加タイミングおよび波高値の一例を示す図
【図１５】図１５は第４の実施の形態に係るプラズマディスプレイ装置の構成図
【図１６】図１６は温度検出器により検出される温度に応じて設定される維持電極ＳＵへのランプ波形の印加タイミングおよび波高値の一例を示す図
【手続補正３】
【補正対象書類名】図面
【補正対象項目名】全図
【補正方法】変更
【補正の内容】
【図１】
2008066084.tif 000019
【図２】
2008066084.tif 000020
【図３】
2008066084.tif 000021
【図４】
2008066084.tif 000022
【図５】
2008066084.tif 000023
【図６】
2008066084.tif 000024
【図７】
2008066084.tif 000025
【図８】
2008066084.tif 000026
【図９】
2008066084.tif 000027
【図１０】
2008066084.tif 000028
【図１１】
2008066084.tif 000029
【図１２】
2008066084.tif 000030
【図１３】
2008066084.tif 000031
【図１４】
2008066084.tif 000032
【図１５】
2008066084.tif 000033
【図１６】
2008066084.tif 000034
【国際調査報告】
2008066084.tif 000035
2008066084.tif 000036
2008066084.tif 000037
2008066084.tif 000038